(57)【要約】【課題】  遊技領域構成部材に被取付部材を好適に取付可能な遊技機を提供する。【解決手段】  右始動入賞装置４３２（被取付部材）を、基体４０１（遊技領域構成部材）の正面側（前側）から、その一部が貫通孔４０１Ｈ（取付穴）に配置される状態で基体４０１に取り付け、基体４０１の正面側からの連結部材を取り付ける操作（固定操作）により基体４０１に固定する構成であって、連結部材（固定手段）を基体４０１の正面側からの操作（固定を解除する操作）で取り外し、基体４０１から右始動入賞装置４３２を取り外そうとした場合においてその取り外しを制限可能な移動制限部８５（制限部）を備える構成とする。【選択図】  図３１
2020182570.tif 000002
【特許請求の範囲】
【請求項１】
遊技機における一部の領域を構成する板状部と、該板状部に貫通して形成された取付穴とを備えた遊技領域構成部材と、
前記遊技領域構成部材の前側から取り付けられ、前記遊技領域構成部材の取付穴の内側に一部が配置された状態で設けられる被取付部材と、
前記被取付部材を前記遊技領域構成部材に固定する手段であって、前記遊技領域構成部材の前側から固定操作及び取り外し操作が可能に設けられる固定手段と、
前記固定手段による前記被取付部材の固定を解除して、前記被取付部材を前側に取り外そうとした場合において前記被取付部材の取り外しを制限可能な制限部とを備えていることを特徴とする遊技機。
【請求項２】
前記遊技機は、パチンコ機であることを特徴とする請求項１に記載の遊技機。
【発明の詳細な説明】
【技術分野】
【０００１】
本発明は、弾球遊技機に代表される遊技機に関する。
【背景技術】
【０００２】
従来の遊技機において、遊技球が進入した場合に賞球が払い出される入賞口を有する入賞装置を、板状の基体（ベニヤ板等）の表側に取り付けるなど、基体となる部材に種々の部品を取り付ける構成が知られている。基体には、例えば、入賞装置が取り付けられる部分に貫通穴が設けられ、基体の表側を流下し入賞装置に進入した遊技球は、貫通穴を通して基体の裏側に案内され、その後、基体の裏側を流下する（例えば、特許文献１参照）。
【先行技術文献】
【特許文献】
【０００３】
【特許文献１】特開２０１２−８１０２２号公報
【発明の概要】
【発明が解決しようとする課題】
【０００４】
上記の従来の遊技機において、入賞装置に代表されるような基体に取り付けられる部品（被取付部材）に関する構成について、改善の余地のある可能性がある。
【０００５】
本発明は、上記例示した事情等に鑑みてなされたものであり、遊技領域構成部材に被取付部材を好適に取付可能な遊技機を提供することを目的としている。
【課題を解決するための手段】
【０００６】
上記の課題を解決するために、請求項１に記載の遊技機は、
遊技機における一部の領域を構成する板状部と、該板状部に貫通して形成された取付穴とを備えた遊技領域構成部材と、
前記遊技領域構成部材の前側から取り付けられ、前記遊技領域構成部材の取付穴の内側に一部が配置された状態で設けられる被取付部材と、
前記被取付部材を前記遊技領域構成部材に固定する手段であって、前記遊技領域構成部材の前側から固定操作及び取り外し操作が可能に設けられる固定手段と、
前記固定手段による前記被取付部材の固定を解除して、前記被取付部材を前側に取り外そうとした場合において前記被取付部材の取り外しを制限可能な制限部とを備えていることを特徴としている。
【発明の効果】
【０００７】
本発明によれば、遊技領域構成部材に被取付部材を好適に取付可能な遊技機を提供することができる。
【図面の簡単な説明】
【０００８】
【図１】遊技機の一例としてのパチンコ機の正面側斜視図
【図２】パチンコ機を開放状態で示す斜視図
【図３】パチンコ機を他の開放状態で示す斜視図
【図４】パチンコ機を更に他の開放状態で示す斜視図
【図５】パチンコ機の正面図
【図６】パチンコ機の前ブロックを取り外した状態を示す正面図
【図７】遊技盤の正面図
【図８】パチンコ機の背面側斜視図
【図９】パチンコ機の背面図
【図１０】パチンコ機の電気的な構成を示すブロック図
【図１１】主制御メイン処理の一例を示すフローチャート
【図１２】主制御割込み処理の一例を示すフローチャート
【図１３】喫煙情報を報知するか否かの選択態様を示す模式図である。
【図１４】通常遊技状態において特定長期演出が選択された場合における喫煙情報の報知態様の一例を示す説明図
【図１５】通常遊技状態において特定長期演出が選択されていない場合における喫煙情報の報知態様の例を示す説明図
【図１６】特別遊技状態における下大入賞装置の動作の一例を示すタイミングチャート
【図１７】特別遊技状態における喫煙情報の報知態様の一例を示す説明図
【図１８】特別遊技状態における喫煙情報の報知態様の他の一例を示す説明図
【図１９】特別遊技状態における喫煙情報の報知態様の他の一例を示す説明図
【図２０】特別遊技状態における喫煙情報の報知態様の他の一例を示す説明図
【図２１】擬似遊技領域が形成された遊技盤の一例を示す模式的な正面図
【図２２】擬似遊技の遊技態様を示す説明図
【図２３】右始動入賞装置の基体への取り付け過程を示す正面側から見た斜視図
【図２４】基体に取り付けられた右始動入賞装置を背面側から見た斜視図
【図２５】右始動入賞装置の基体への取り付け過程を示す断面図
【図２６】基体に取り付けられた右始動入賞装置の断面図
【図２７】中央構造体に進入した遊技球を上側中始動入賞装置の上方に誘導する貫通誘導部の近傍を示す正面図
【図２８】貫通誘導部の近傍を示す断面図
【図２９】貫通誘導部の形状の説明図
【図３０】貫通誘導部から流出する遊技球の挙動を示す説明図
【図３１】誘導部材により取り外しが制限された右始動入賞装置を示す断面図
【図３２】基体に取り付けられた右始動入賞装置の近傍の断面図
【発明を実施するための形態】
【０００９】
本発明に係る遊技機の実施形態について、遊技機の一種である弾球遊技機の一例としてのパチンコ機１００を説明し、その後に変形例や他の種類の遊技機を説明する。まず、パチンコ機１００の実施形態について、構造的な構成、電気的な構成、各種の制御処理を順に説明する。
【００１０】
＜構造的な構成＞
まず、図１から図９を主に参照して、パチンコ機１００の構造部分の構成について説明する。図１〜図４は、パチンコ機１００の各種状態を示す斜視図であり、図１はパチンコ機１００の閉鎖状態を示し、図２は外枠１０１に対して前ブロック１０２及び中間ブロック１０３が一体的に開放されている状態を示し、図３は中間ブロック１０３に対して前ブロック１０２が開放されている状態を示し、図４は中間ブロック１０３に対して後ブロック１０４が開放されている状態を示している。また、図５は、パチンコ機１００の正面図であり、図６は、図５の状態からパチンコ機１００の前ブロック１０２を取り外した状態を示している。なお、各図において各種の配線は省略されており、また、図３及び図６において遊技盤４００の構成の一部は省略されている。
【００１１】
パチンコ機１００は、例えば、図１〜図４に示すように、外枠１０１と、前ブロック１０２と、中間ブロック１０３と、後ブロック１０４とを備え、これら各部位を所定の操作により相対的に変位可能に構成されている。
【００１２】
外枠１０１は、パチンコ機１００の本体部分を支持する本体支持手段としての機能を有している。外枠１０１は、例えば、図２に示すように、天板部１１１、底板部１１２、左側板部１１３及び右側板部１１４が組み付けられた略四辺形状の枠体であり、パチンコ機１００を設置する遊技場に設けられた遊技機設置設備（島設備）に嵌め込まれると共に固定具（図示せず）によって強固に固定される。なお、パチンコ機１００において外枠１０１は必須の構成ではなく、外枠１０１又は外枠１０１と同一の内形形状を有し、外枠１０１を除いたパチンコ機１００の構成に相当する本体部分を支持する支持機構や、その本体部分を施錠する施錠機構の一部が島設備に備え付けられた構成としても良い。
【００１３】
外枠１０１における左右方向の一方側（左側板部１１３側）には、中間ブロック支持機構１２１，１２２が設けられている。この中間ブロック支持機構１２１，１２２によって外枠１０１と中間ブロック１０３とが接続（連結）され、パチンコ機１００の本体部分が、パチンコ機１００の正面視における左右方向の一端側（左側）を回動基端側とし、他端側（右側）を回動先端側として前方へ回動可能に構成されている。
【００１４】
中間ブロック支持機構１２１，１２２は、例えば、図１に示すように、外枠１０１の上端部と下端部とに離間して設けられている。中間ブロック支持機構１２１，１２２の各々は、例えば、外枠１０１に設けられる軸支持部によって、中間ブロック１０３に設けられる軸部が下側より支持され、軸支持部に設けられる軸孔に軸部が差し込まれた状態とされることにより、回動可能に構成されている。なお、中間ブロック１０３を含むパチンコ機１００の本体部分を回動可能とする構成は、上記構成に限らず、中間ブロック１０３側に軸孔を設け、外枠１０１側に軸部を形成するなど、他の構成としても良い。
【００１５】
中間ブロック支持機構１２１，１２２には、所定の取り外し操作によって外枠１０１と中間ブロック１０３との接続状態を解除する機能が設けられ、中間ブロック１０３を含むパチンコ機１００の本体部分が外枠１０１に対して取り外し可能に取り付けられている。例えば、外枠１０１に対して中間ブロック１０３を一定量以上開放し、且つ、上方側へ一定量移動させるという所定の取り外し操作をすることにより、外枠１０１に対する中間ブロック１０３の接続状態が解除される。これにより、外枠１０１に対してパチンコ機１００の本体部分が取り外し可能とされている。
【００１６】
中間ブロック１０３に対して前側には、前ブロック１０２が重なるようにして配置され、正面視左側に設けられる前ブロック支持機構１３１，１３２によって中間ブロック１０３と前ブロック１０２とが接続されている。前ブロック支持機構１３１，１３２は、中間ブロック支持機構１２１，１２２と同様の構成とされ、中間ブロック１０３に対して前ブロック１０２を前方へ回動可能に支持し、且つ、所定の取り外し操作により取り外し可能に構成されている。
【００１７】
中間ブロック１０３に対して後側には、後ブロック１０４が重なるようにして配置され、正面視左側に設けられる後ブロック支持機構１３６，１３７（図８参照）によって中間ブロック１０３と後ブロック１０４とが接続されている。後ブロック支持機構１３６，１３７には、中間ブロック支持機構１２１，１２２及び前ブロック支持機構１３１，１３２と同様の構成とされ、中間ブロック１０３に対して後ブロック１０４を後方へ回動可能に支持し、且つ、所定の取り外し操作により取り外し可能に支持する構成とされている。
【００１８】
また、パチンコ機１００には、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の解錠や施錠を行うために操作される錠操作機構とが設けられている。また、図３に示すように、中間ブロック１０３には、前ブロック１０２の開口を通してパチンコ機１００の前面側に露出する錠操作機構としてのキーシリンダ１４１が設けられている。
【００１９】
キーシリンダ１４１に対する所定の操作として、操作キー（図示せず）による右回転操作をした場合には、中間ブロック１０３に設けられた中間ブロック施錠機構の可動部１４３が作動する。これにより、中間ブロック施錠機構の一部として外枠１０１に設けられた被係合部１４２と可動部１４３との係合が解除されて、中間ブロック１０３は外枠１０１に対して開閉許容状態となる。
【００２０】
一方、キーシリンダ１４１に対する所定の操作キーによる左回転操作に応じて、中間ブロック１０３に設けられた前ブロック施錠機構の可動部１４４が作動する。これにより、前ブロック施錠機構の一部として前ブロック１０２に設けられた被係合部１４５と可動部１４４との係合が解除されて、前ブロック１０２は中間ブロック１０３に対して開閉許容状態となる。
【００２１】
また、パチンコ機１００には、中間ブロック１０３に対する後ブロック１０４の開閉を規制する後ブロック開閉規制機構が設けられている。この後ブロック開閉規制機構により、中間ブロック１０３に対して後ブロック１０４は、開閉が禁止された状態（開閉禁止状態）と開閉が許容された状態（開閉許容状態）とを所定の操作によって切り替え可能とされている。
【００２２】
後ブロック開閉規制機構は、例えば、図４に示すように、中間ブロック１０３に設けられる２つの開閉規制部１５０Ａ，１５０Ｂと、後ブロック１０４に設けられる１つの開閉規制部１５０Ｃとによって構成されている。これら３つの開閉規制部１５０Ａ〜１５０Ｃには、回転操作が可能な回動片１５１Ａ〜１５１Ｃが設けられている。回動片１５１Ａ〜１５１Ｃは、回転操作により、後ブロック１０４の閉鎖状態において前後に重なるように配置される開口部分との係合状態が変化し、これにより、開閉禁止状態に対応した開閉禁止姿勢と、開閉許容状態に対応した開閉許容姿勢とを切り替え操作可能とされている。全ての回動片１５１Ａ〜１５１Ｃを開閉許容姿勢にすると各回動片１５１Ａ〜１５１Ｃが開口を通過可能となって、後ブロック１０４が中間ブロック１０３に対して開閉許容状態となる。なお、開閉禁止姿勢及び開閉許容姿勢としては、開閉禁止状態と開閉許容状態が回動片１５１Ａ〜１５１Ｃの位置及び向きの少なくともいずれかの変化により切り替えられれば良く、一定位置で回転のみする構成としても良いし、一定方向に移動する構成としても良いし、移動と回転との組合せにより動作する構成としても良い。以下、各装置における構成部材が複数の姿勢の間を移行する場合における姿勢の変化についても同様とする。
【００２３】
３つの回動片１５１Ａ〜１５１Ｃのうち、それらの一部に相当する２つの回動片１５１Ａ，１５１Ｂは、図２に示すように、後ブロック１０４の開閉禁止状態において後ブロック１０４に形成された開口を通してパチンコ機１００の背面側に露出し、残り部分に相当する１つの回動片１５１Ｃは、図６に示すように、中間ブロック１０３の前側に露出している。このため、パチンコ機１００の背面側、又は中間ブロック１０３の前面側といった一方側からの操作だけでは、全ての回動片１５１Ａ〜１５１Ｃを開閉許容姿勢に切り替えることはできず、これにより、防犯性が高められている。
【００２４】
また、パチンコ機１００には、中間ブロック１０３から前ブロック１０２への遊技球の移動を規制する遊技球移動規制機構が設けられている。遊技球移動規制機構は、例えば、図３及び図６に示すように、中間ブロック１０３に設けられた流下規制片１６１と、前ブロック１０２に設けられた規制変更部１６２との組合せにより構成され、前ブロック１０２が位置する前方側へ流下規制片１６１がコイルバネ（図示せず）により付勢される構成とされている。
【００２５】
中間ブロック１０３に対して前ブロック１０２が閉鎖された状態（前ブロック１０２の閉鎖状態）においては、流下規制片１６１は、遊技球の流下を許容する移動許容状態とされ、具体的には、規制変更部１６２により中間ブロック１０３の後方側へ押圧されて押し込まれる。流下規制片１６１は、移動許容状態において中間ブロック１０３から前ブロック１０２に遊技球を誘導するための誘導通路（図示せず）に対して後側にずれて配置される。これにより、前ブロック１０２の閉鎖状態においては、中間ブロック１０３から前ブロック１０２への遊技球の移動が許容される。
【００２６】
一方、中間ブロック１０３に対して前ブロック１０２が開放された状態（前ブロック１０２の開放状態）においては、規制変更部１６２による流下規制片１６１の押圧が解除され、前ブロック１０２の閉鎖状態に比べて流下規制片１６１が前ブロック１０２側へ突出する移動禁止状態とされる。流下規制片１６１は、移動禁止状態において誘導通路内に突出し、下流側への遊技球の流下を阻止する。これにより、中間ブロック１０３から前ブロック１０２への遊技球の移動が禁止される。
【００２７】
また、パチンコ機１００には、図２に示すように、例えば中間ブロック１０３の後側であって回動先端側（背面視左側）における下端部に、外枠１０１に対して中間ブロック１０３が閉鎖されているか否かを検出する開閉検出スイッチ１０８が設けられ、また、図３に示すように、例えば中間ブロック１０３の前側であって回動先端側（正面視右側）における下端部に、中間ブロック１０３に対して前ブロック１０２が閉鎖されているか否かを検出する開閉検出スイッチ１０９が設けられている。
【００２８】
次に、前ブロック１０２、中間ブロック１０３及び後ブロック１０４の各構成について順に説明する。
【００２９】
前ブロック１０２は、図１及び図３に示すように、パチンコ機１００の前面の略全体を形成し、前後方向に厚みを有する略長方形状の部材であり、パチンコ機１００の前側表面部分を装飾する前面装飾手段としての機能を有している。前ブロック１０２は、合成樹脂製の基枠２０１を主体に構成され、基枠２０１の前後に複数の機能部品を取り付けて構成されている。基枠２０１の前面側には、パチンコ機１００の前面を形成する前面装飾体２１０が、前ブロック１０２の正面視中央部分を含んで形成される開口２１０Ａの外縁に沿って開口２１０Ａを囲った状態にして取り付けられている。前ブロック１０２を構成する基枠２０１と前面装飾体２１０とを組み合わせた状態においては、前面装飾体２１０が取り付けられた外周部を除いた広範囲にわたって開口２１０Ａが前後方向に貫通形成される。この開口２１０Ａを通じて、前ブロック１０２の後側に位置する遊技盤４００を含む中間ブロック１０３が遊技者から視認可能に構成されている。
【００３０】
また、前ブロック１０２には、図１及び図３に示すように、開口２１０Ａを塞ぐように基枠２０１の背面側に設けられた中央パネル２２０と、遊技球を貯留する主貯留機構２３０と、遊技球を貯留する補助貯留機構２４０と、主貯留機構２３０に貯留されている遊技球を発射するために遊技者によって操作される発射操作装置２５０とを備えている。
【００３１】
また、前ブロック１０２には、図１及び図５に示すように、前面装飾体２１０の一部として、開口２１０Ａの周縁を囲う開口周縁部２１１と、開口２１０Ａに対して下側において前方に突出する上側突出部２１７と、上側突出部２１７に対して下側に位置して前方に突出する下側突出部２１８と、下側突出部２１８の右側であって上側突出部２１７及び下側突出部２１８より奥側に位置する概ね平坦な領域で構成されて発射操作装置２５０が配置される平坦部２１９とが形成されている。上側突出部２１７には、主貯留機構２３０が配置され、下側突出部２１８には、補助貯留機構２４０が配置される。
【００３２】
中央パネル２２０は、基枠２０１と前面装飾体２１０とを組み合わせた状態において前後方向に貫通形成される開口２１０Ａを塞ぎつつ後方側を視認可能とするカバー体としての機能を有している。中央パネル２２０は、例えば、図１及び図３に示すように、基枠２０１の後方側から取着されるパネル枠２２１（図３参照）と、パネル枠２２１の前側に嵌め込まれた光透過性の前方板２２２（図１参照）と、パネル枠２２１の後側に前方板２２２と所定の間隙を隔てて略平行に嵌め込まれた光透過性の後方板２２３（図３参照）とを備えている。
【００３３】
主貯留機構２３０は、遊技進行に応じて獲得した遊技球や、遊技場から貸し出された遊技球を貯留する機能を有している。主貯留機構２３０は、例えば、図１に示すように、貯留部２３１と、球抜き機構（図示せず）と、その球抜き機構を作動させる球抜き操作部材２３２とを備えている。貯留部２３１には、パチンコ機１００の内部から貯留部２３１へ遊技球を流入させる流入口２３１Ａと、貯留部２３１からパチンコ機１００の内部へ遊技球を流出させる流出口（図示せず）と、流出口より上流側に形成される放出口（図示せず）とが設けられている。この放出口の開放により貯留部２３１から遊技球がパチンコ機１００の内部に取り込まれることなく遊技者側に放出される。球抜き機構は、遊技球の放出先を、流出口と放出口との間で切り換える機能を有している。
【００３４】
遊技進行に応じて獲得した遊技球や、後述する貸出操作装置２９２に対する貸出操作に応じて貸し出された遊技球は、主に流入口２３１Ａを通して貯留部２３１に流入する。また、貯留部２３１は、上方側に開口形成されており、この開口部分を通じて、遊技者が所有する遊技球が手操作により投入されたり、遊技場において貸し出される遊技球が供給されたりする。
【００３５】
貯留部２３１に流入した遊技球は一列に整列させられながら流出口及び放出口の形成されている側（図１の右上側）へ順次に案内される。球抜き操作部材２３２に対する球抜き操作（例えば、押下操作）が行われていない場合には遊技球は流出口を通して後述する発射装置３３０（図３参照）に誘導される。一方、球抜き操作部材２３２に対する球抜き操作が行われている場合には、遊技球は放出口を通して補助貯留機構２４０（図１参照）に誘導される。
【００３６】
補助貯留機構２４０は、図１及び図５に示すように、遊技球の流入口２４１Ａ，２４１Ｃ（図５参照）及び放出口２４１Ｂ（図１参照）を有する貯留部２４１と、放出口２４１Ｂを開閉させる球抜き機構２４３と、その球抜き機構２４３を作動させる球抜き操作部材２４２とを備えている。遊技進行に応じて獲得した遊技球等は主に主貯留機構２３０に流入するが貯留部２３１が満杯であれば流入口２４１Ａを通して貯留部２４１に流入する。また、球抜き操作部材２３２に対する球抜き操作に応じても、遊技球は流入口２４１Ｃを通して貯留部２３１から貯留部２４１に流入する。
【００３７】
貯留部２４１の底面は放出口２４１Ｂに向けて下降傾斜している。球抜き操作部材２４２に対する球抜き操作（例えば、押圧操作）によって放出口２４１Ｂを開放すると、貯留部２４１に貯留されている全ての遊技球を順次にパチンコ機１００の外部に放出できる。なお、球抜き操作部材２４２に対する球抜き操作によって放出口２４１Ｂが完全に開放された場合には、球抜き操作部材２４２に対する復帰操作（例えば、再度の押圧操作）がなされるまで、その開放状態に維持される。流入口２４１Ａの奥方には貯留部２４１に過剰に遊技球が貯留されているか否かを検出する球溢れスイッチ２４９（図１０参照）が設けられている。
【００３８】
発射操作装置２５０は、図１及び図５に示すように、前面装飾体２１０の平坦部２１９から前方に突出する台座２５１と、台座２５１の周囲に設けられた回動自在な発射ハンドル２５２と、発射ハンドル２５２の回転操作量を検出する可変抵抗器２５３（図１０参照）と、発射ハンドル２５２に遊技者が接触していることを検出する接触センサ２５４（図１０参照）と、発射ハンドル２５２の回転操作に伴う遊技球の射出を遊技者の操作によって無効化する発射停止スイッチ２５５（図５参照）とを含んでいる。遊技者によって発射ハンドル２５２が回転操作されると、その回転操作量に対応する強度で発射装置３３０（図３参照）から遊技球が遊技盤４００（図３参照）に向けて射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００３９】
また、前ブロック１０２における前面装飾体２１０の奥方には、枠発光装置２７１〜２７５（図１０参照）が設けられている。枠発光装置２７１〜２７５は、前面装飾体２１０の開口周縁部２１１に対して奥側に重なるようにして配置され、基枠２０１に取り付けられている。開口周縁部２１１は、図５に示すように、上側中央縁部２１１Ａと、上側中央縁部２１１Ａに対して左右両側に位置する左上側縁部２１１Ｂ及び右上側縁部２１１Ｃと、左上側縁部２１１Ｂに対して下側に位置する左側縁部２１１Ｄと、右上側縁部２１１Ｃに対して下側に位置する右側縁部２１１Ｅとを発光部として有し、それぞれの発光部に対応して枠発光装置２７１〜２７５が設置されている。
【００４０】
枠発光装置２７１〜２７５は、上側中央縁部２１１Ａに対応する上中央枠発光装置２７１と、左上側縁部２１１Ｂに対応する左上枠発光装置２７２と、右上側縁部２１１Ｃに対応する右上枠発光装置２７３と、左側縁部２１１Ｄに対応する左側枠発光装置２７４と、右側縁部２１１Ｅに対応する右側枠発光装置２７５（図１０参照）とにより構成されている。枠発光装置２７１〜２７５の各々は、１又は複数の発光手段としての発光ダイオード（ＬＥＤ）と、ＬＥＤを制御するための抵抗等の電子部品と、これら電子部品を一体化して電気的に接続するプリント基板とを有している。
【００４１】
また、前ブロック１０２には、図５に示すように、例えばその開口周縁部２１１の上部に、左上音響出力口２１１Ｆと、右上音響出力口２１１Ｇとが設けられ、また、それら左上音響出力口２１１Ｆ及び右上音響出力口２１１Ｇのそれぞれに対応して左上音響装置２８１及び右上音響装置２８２（図３及び図１０参照）が設けられている。左上音響装置２８１及び右上音響装置２８２は、前面装飾体２１０の開口周縁部２１１の奥方（後方）に位置するようにして基枠２０１に取り付けられている。
【００４２】
また、前ブロック１０２には、図１に示すように、例えば上側突出部２１７の上面右側部分に、遊技球貸出装置２９０が設けられている。遊技球貸出装置２９０は、パチンコ機１００に並んで配置されるカードユニット（図示せず）に投入された紙幣やカード等の残額に応じた数値を表示する度数表示装置２９１と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等を投入して、それらの金額に対応する数値が度数表示装置２９１に表示されている有効状態において、貸出操作装置２９２に対して貸出操作が行われると、貸出操作に応じて所定の個数の遊技球が後ブロック１０４の払出装置５４０（図８参照）から貸し出され、遊技球の貸し出しに伴って度数表示装置２９１の表示が更新される。一方、有効状態において返却操作装置２９３に対して返却操作が行われると、返却操作に応じて残額に対応する紙幣の等価物や残額を記録したカードがカードユニットから返却される。
【００４３】
また、前ブロック１０２には、図１に示すように、遊技者によって発射操作とは別の入力操作が可能な入力操作装置２６０が設けられている。入力操作装置２６０は、例えば、押込操作が可能な押圧操作装置２６１と、回転操作が可能な回転操作装置２６２と、上下左右の方向操作が可能な選択操作装置２６３とを備えている。これら操作装置２６１〜２６３により、パチンコ機１００において実行される演出を選択する演出選択操作や、パチンコ機１００の演出を実行する各装置の音量や光量を設定する装置設定操作、或いは、遊技者に関する情報を入力して前回以前の遊技に応じたパチンコ機１００の演出を実行可能とする演出設定操作等が実行可能とされ、これら操作を必要に応じて遊技者や遊技場の管理者が実行可能とされている。なお、入力操作装置２６０において遊技者が接触する入力操作部（例えば、回転操作装置２６２における円環状の回転操作部）は、モータやソレノイド等の入力操作部駆動手段によって回転、上下動、又は、振動等の動作がパチンコ機１００の制御（例えば、副制御基板９４０（図１０参照）の制御）により実行可能に構成されることが好ましく、入力操作の前後、又は、入力操作中のいずれか又は複数のタイミングで入力部分を動作させることにより、入力操作を積極的に促すなど入力操作を伴う演出を多様にすることができる。
【００４４】
次に、中間ブロック１０３について説明する。中間ブロック１０３は、前ブロック１０２と略同一サイズの略長方形状をした部材であり、前ブロック１０２と後ブロック１０４とが取り付けられることにより、パチンコ機１００の本体部分を一体化した状態にする機能を有している。中間ブロック１０３は、基枠３０１に対して遊技盤４００を含む複数の機能部品を取り付けて構成されている。
【００４５】
中間ブロック１０３は、図３及び図４に示すように、開口を有する基枠３０１と、基枠３０１の開口を覆いつつ前面側より取着される遊技盤４００（図３参照）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３参照）と、遊技盤４００の背面側に装着されて遊技進行を統括的に制御する主制御装置３７０（図４参照）と、主制御装置３７０からの命令に基づいて遊技演出や状態報知を制御する副制御装置３９０（図４参照）とを備えている。
【００４６】
基枠３０１には、図３に示すように、後述する払出装置５４０（図８参照）から放出された遊技球を前ブロック１０２に誘導する誘導通路が内部に形成される誘導通路部３０１Ａと、複数の配線（図示せず）や信号中継装置３１１が位置する開孔３０１Ｂとが設けられている。開孔３０１Ｂは、遊技盤４００より下側において前後方向に貫通する形状をなし、開孔３０１Ｂに挿通される複数の配線は、前ブロック１０２に設けられる種々の装置（例えば、枠発光装置２７１〜２７５、左上音響装置２８１及び右上音響装置２８２）と、中間ブロック１０３の背面側や後ブロック１０４に設けられる装置（例えば、主制御装置３７０や副制御装置３９０）とを電気的に接続するための配線を含み、信号中継装置３１１は、その配線の一部を中継する中継基板としての機能を有している。
【００４７】
遊技盤４００は、図３に示すように、排出口４０１Ａ等の遊技球が前後に通過可能な貫通孔を有する平板状の基体４０１と、基体４０１の左下から右上に亘り滑らかに湾曲する外レール４０２と、基体４０１の右下から左上に亘り滑らかに湾曲する内レール４０３と、内レール４０３の左上側の先端に取着された戻り球防止機構４０４と、外レール４０２の右上側の先端に取着される反跳防止部材４０５とを備えている。外レール４０２は、後述する発射装置３３０から発射された遊技球を遊技領域内へ誘導するものである。戻り球防止機構４０４は、外レール４０２及び内レール４０３が平行に対向する間部分で形成される発射通路４０１Ｂから遊技領域内へ一旦放出された遊技球が発射通路４０１Ｂに戻ることを防止する。反跳防止部材４０５は、遊技盤４００の上部中央を越えて右側に向かった遊技球が再び上部中央を経由して左側に戻るような遊技球の大幅な反跳を防止する衝撃吸収性を有し、例えば、制振ゴム等の材料により形成されている。
【００４８】
前ブロック１０２の背面側下部には、図３に示すように、戻り球通路部１６３が形成されている。発射装置３３０から発射通路４０１Ｂの方向へ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、この間隙の下方に配置される戻り球通路部１６３を介して流入口２４１Ａ（図５参照）から補助貯留機構２４０（図５参照）に返却される。
【００４９】
戻り球防止機構４０４を超えて進行した遊技球は、遊技領域に到達し、遊技領域内を自重により落下しながら移動（流下）する。遊技領域は、略円形状の外周形状をなし、遊技球の直径より僅かに大きな前後幅を有する領域を大部分とする形状に区画されている。遊技領域は、概ね、外レール４０２及び内レール４０３とで外周部分が区画され、前側が中央パネル２２０の後方板２２３によって略平面状に区画され、後側が遊技盤４００の基体４０１によって略平面状に区画されている。なお、遊技領域に設けられる各種の構造物については後述する。
【００５０】
発射装置３３０は、図３に示すように、主貯留機構２３０に貯留されている遊技球を順次に発射位置に送り出す球送り機構３３１と、球送り機構３３１を駆動する球送りソレノイド３３２（図１０参照）と、発射位置に配置された遊技球を射出する発射機構３３３と、発射機構３３３を駆動する発射ソレノイド３３４（図１０参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動し、発射操作装置２５０に対する発射操作に応じて発射ソレノイド３３４の駆動制御が変化して発射力が調整される。
【００５１】
主制御装置３７０は、図４に示すように、主制御基板９２０（図１０参照）と、主制御基板９２０を収容する２つ割り構造の基板ケース３７１とを備えている。主制御基板９２０は、痕跡を残さずには開封できないように封止された透光性を有する基板ケース３７１の内部に収容されている。
【００５２】
また、主制御装置３７０は、遊技盤４００の背面側に回動自在に取り付けられている。具体的には、遊技盤４００の基体４０１に対して背面側に取り付け部３７２が回動可能に連結固定され、その取り付け部３７２に主制御装置３７０が取り付けられている。これにより、主制御装置３７０の背面側（表面側）だけでなく、取り付け部３７２を回動操作することで主制御装置３７０の前面側（裏面側）も、遊技盤４００に主制御装置３７０を取り付けたままで容易に確認可能とされている。取り付け部３７２に対して主制御装置３７０は、痕跡を残さずには取り外しできないように連結しても良く、主制御装置３７０の取り外し状況を管理し易くしても良い。
【００５３】
副制御装置３９０は、副制御基板９４０（図１０参照）と、副制御基板９４０を収容する２つ割り構造の基板ケース３９１とを備えている。副制御基板９４０は、例えば、主制御基板９２０と同様に痕跡を残さずには開封できないように封止された透光性を有する基板ケース３９１の内部に収容された状態にして遊技盤４００の背面側に取り付けられている。
【００５４】
ここで、遊技盤４００において、遊技領域に配置される各種の構造物について、図７を主に参照して説明する。図７は、遊技盤４００の正面図である。
【００５５】
遊技盤４００は、図７に示すように、基体４０１と、遊技球の流下方向や流下速度に変化を与える釘４１１や風車４１２等の流下変化部材と、基体４０１の概ね中央に配置された中央構造体４２０と、中央構造体４２０に対して下側に配置された第１特別図柄に係る始動装置（具体的には、上側中始動入賞装置４３１Ａ及び下側中始動入賞装置４３１Ｂ）と、中央構造体４２０に対して右下側に配置された第２特別図柄に係る始動装置（具体的には、右始動入賞装置４３２）と、右始動入賞装置４３２の下方に配置された大入賞装置４３３，４３４（具体的には、下大入賞装置４３３及び上大入賞装置４３４）と、遊技盤４００の右上側であって上下の大入賞装置４３３，４３４に対して上方（上流側）に配置された役連作動装置４３５と、右始動入賞装置４３２の上側（上流側）に配置された普通図柄に係る始動装置４３６と、下側中始動入賞装置４３１Ｂの左右両側に配置された一般入賞装置４３９Ａ，４３９Ｂとを備えている。
【００５６】
また、遊技盤４００には、上記した上側中始動入賞装置４３１Ａ等に対応して遊技球の通過を検出する検出手段としてのスイッチが複数設けられており（図１０参照）、各スイッチに対応した所定領域への遊技球の進入が検出可能とされている。例えば、上側中始動入賞装置４３１Ａに進入した遊技球を検出する中始動入賞スイッチ（上側中始動入賞スイッチ４４１Ａ）、下側中始動入賞装置４３１Ｂに進入した遊技球を検出する中始動入賞スイッチ（下側中始動入賞スイッチ４４１Ｂ）、右始動入賞装置４３２に進入した遊技球を検出する右始動入賞スイッチ４４２、下大入賞装置４３３に進入した遊技球を検出する下大入賞スイッチ４４３、上大入賞装置４３４に進入した遊技球を検出する上大入賞スイッチ４４４、役連作動装置４３５に進入した遊技球を検出する役連作動スイッチ４４５、始動装置４３６に進入した遊技球を検出する始動スイッチ４４６、下大入賞装置４３３の内部に形成された非特定通路（図示せず）に進入した遊技球を検出する非特定通路スイッチ４４７、下大入賞装置４３３の内部に形成された特定通路（図示せず）に進入した遊技球を検出する特定通路スイッチ４４８、一般入賞装置４３９Ａ，４３９Ｂに進入した遊技球を各々検出する一般入賞スイッチ４４９Ａ，４４９Ｂ等が遊技盤４００に設置されている。
【００５７】
また、遊技盤４００には、不正防止のために各種センサが設けられており（図１０参照）、パチンコ機１００に発生した異常を検出可能とされている。例えば、磁気センサ４９１、振動センサ４９２、電波センサ４９３等が遊技盤４００に設置されている。
【００５８】
中央構造体４２０及び始動装置４３６の遊技球の入口部分は入球口を構成し、各入球口に進入した遊技球は遊技領域に放出される。各入賞装置、具体的には、上側中始動入賞装置４３１Ａ、下側中始動入賞装置４３１Ｂ、右始動入賞装置４３２、下大入賞装置４３３、上大入賞装置４３４及び一般入賞装置４３９Ａ，４３９Ｂの遊技球の入口部分は入賞口を構成し、各入賞口に進入した遊技球は基体４０１に形成された貫通孔を通して基体４０１の背面側に形成された回収排出通路（図示せず）に案内される。また、各入賞装置に進入しなかった遊技球は、遊技領域の最下流側部分に設けられる排出口４０１Ａを通して回収排出通路へ案内される。回収排出通路に案内された遊技球は、パチンコ機１００から遊技場に設けられた遊技球循環装置（図示せず）に排出される。いずれかの入賞装置に遊技球が進入した場合には、入賞装置の種類に応じた所定の個数の遊技球が払出装置５４０（図８及び図９参照）から払い出される。なお、各入賞装置は、他の入賞装置と別々に構成されても良いし、２以上の入賞装置（例えば、上側中始動入賞装置４３１Ａ及び下側中始動入賞装置４３１Ｂ）が一体化された装置によって入賞装置が構成されても良く、また、上側中始動入賞装置４３１Ａ等の始動装置については必ずしも遊技球が進入した場合に所定の個数の遊技球が払い出される入賞口とする必要はなく、遊技球が払い出されることなく遊技領域に再び放出される入球口としても良い。
【００５９】
第１特別図柄に係る上側中始動入賞装置４３１Ａ及び下側中始動入賞装置４３１Ｂ、並びに、一般入賞装置４３９Ａ及び一般入賞装置４３９Ｂの各々は、それらへの遊技球の進入確率を変化させず、進入した遊技球を基体４０１の背面側へ誘導する。また、第２特別図柄に係る右始動入賞装置４３２は、その内部への遊技球の進入確率を変化させる機構を有している。なお、遊技球の進入確率を変化させる機構は、第２特別図柄に係る始動装置のみに設ける必要はなく、それに代えて、又は、それに加えて、第１特別図柄に係る始動装置、一般入賞装置４３９Ａ，４３９Ｂのいずれか又は複数に設けても良い。また、遊技球の進入確率を変化させる機構は、電気的に駆動されるソレノイド等の駆動手段により構成しても良いし、所定領域へ入球した遊技球の自重により動作する機構に代表される機械的に動作する機構により構成しても良い。
【００６０】
第２特別図柄に係る右始動入賞装置４３２は、進入許容姿勢と進入禁止姿勢との間の移行によって、その内部への遊技球の進入確率を変化させる右進入規制機構４５２と、右進入規制機構４５２を駆動する右進入規制ソレノイド４６２（図１０参照）とを備えている。右進入規制機構４５２は、右進入規制ソレノイド４６２によって駆動される２つの可動片を備えており、右進入規制機構４５２が進入禁止姿勢である場合には、２つの可動片が進入口（入賞口）を狭窄する（又は閉鎖する）配置をとることによって遊技球は右始動入賞装置４３２に進入できないが、右進入規制機構４５２が進入許容姿勢である場合には、２つの可動片がそれらの先端部の間隔が拡大するような配置をとることによって遊技球は右始動入賞装置４３２に進入できるようになる。右進入規制機構４５２は、普通図柄に係る始動装置４３６へ進入した遊技球が始動スイッチ４４６で検出されることに基づく抽選（以下において「普通図柄抽選」とも称す）で当選した場合に、右進入規制ソレノイド４６２による駆動に応じて所定の回数及び所定の時間だけ進入許容姿勢に移行する。
【００６１】
下大入賞装置４３３には、図７に示すように、進入許容姿勢と進入禁止姿勢との間の移行によって、その内部への遊技球の進入を規制する下進入規制機構４５３と、下進入規制機構４５３の姿勢を変化させる下進入規制ソレノイド４６３（図１０参照）と、非誘導姿勢と誘導姿勢との間の移行によって、下大入賞装置４３３に進入した遊技球を非特定通路又は特定通路に振り分ける振分機構（図示せず）と、振分機構の姿勢を変化させて遊技球の誘導先を切り換える切換ソレノイド４６５（図１０参照）とが設けられている。下大入賞装置４３３の下進入規制機構４５３が進入禁止姿勢である場合には、下進入規制機構４５３が進入口（入賞口）を閉鎖することによって遊技球は下大入賞装置４３３に進入できないが、下進入規制機構４５３が進入許容姿勢である場合には、下進入規制機構４５３が進入口を開放することによって遊技球は下大入賞装置４３３に進入できるようになる。また、下大入賞装置４３３に進入した遊技球は、振分機構が前方に突出する非誘導姿勢である場合には非特定通路に案内され、振分機構が後方に没入する誘導姿勢である場合には特定通路に誘導される。特定通路、非特定通路及び振分機構は、遊技状態の移行を多様にするために設けられ、特定通路へ遊技球が進入した場合には、遊技者に特典として有利な遊技状態が付与される。
【００６２】
上大入賞装置４３４には、図７に示すように、進入許容姿勢と進入禁止姿勢との間の移行によって、その内部への遊技球の進入を規制する上進入規制機構４５４と、上進入規制機構４５４の姿勢を変化させる上進入規制ソレノイド４６４（図１０参照）とが設けられている。上進入規制機構４５４が進入禁止姿勢である場合には、上進入規制機構４５４が進入口（入賞口）を閉鎖することによって遊技球は上大入賞装置４３４に進入できないが、上進入規制機構４５４が進入許容姿勢である場合には、上進入規制機構４５４が進入口を開放することによって遊技球は上大入賞装置４３４に進入できるようになる。
【００６３】
なお、右進入規制機構４５２等の内部への遊技球の進入確率を変化させる機構としての進入許容姿勢及び進入禁止姿勢としては、各機構を構成して各装置の入賞口（又は入球口）に遊技球が進入可能な特別状態と、遊技球が進入不能な通常状態とを切り替える動作部材の姿勢変化に対応し、各姿勢に応じて動作部材の位置及び向きの少なくともいずれかが異なるものであれば良い。また、右進入規制機構４５２等の遊技球の進入確率を変化させる機構として、遊技球が進入不能な状態を通常状態とする必要は必ずしもなく、通常状態においても遊技球の進入を許容し、特別状態においては通常状態より遊技球が進入し易い状態に動作部材の姿勢が変化する構成としても良い。
【００６４】
下大入賞装置４３３及び上大入賞装置４３４には、大当りの抽選に当選した場合に遊技球が進入可能となる。具体的には、第１特別図柄に係る上側中始動入賞装置４３１Ａ若しくは下側中始動入賞装置４３１Ｂへ進入した遊技球が上側中始動入賞スイッチ４４１Ａ若しくは下側中始動入賞スイッチ４４１Ｂで検出されることに基づく抽選（以下において「第１特別図柄抽選」とも称す）に当選した場合、又は、第２特別図柄に係る右始動入賞装置４３２へ進入した遊技球が右始動入賞スイッチ４４２で検出されることに基づく抽選（以下において「第２特別図柄抽選」とも称す）に当選した場合には、下進入規制ソレノイド４６３又は上進入規制ソレノイド４６４の少なくとも一方が作動する。この作動によって所定の回数に亘り所定の時間だけ下進入規制機構４５３又は上進入規制機構４５４の少なくとも一方が進入許容姿勢をとる。また、振分機構は、下進入規制機構４５３の進入許容姿勢への移行から所定の時間後に切換ソレノイド４６５の作動に応じて誘導姿勢に移行し、更に誘導姿勢への移行から所定の時間後に切換ソレノイド４６５の停止に応じて非誘導姿勢に戻る。
【００６５】
役連作動装置４３５は、下大入賞装置４３３及び上大入賞装置４３４が作動を開始するために必要な条件を設定するための装置である。大当りの抽選に当選した後には、役連作動装置４３５の遊技球の通過を条件として、下大入賞装置４３３又は上大入賞装置４３４のいずれかが作動を開始する。このため、遊技者は、大当りに当選した場合、自らの意図するタイミングで特別遊技状態を開始させることができる。なお、必ずしも役連作動装置４３５の遊技球の通過を条件として、下大入賞装置４３３又は上大入賞装置４３４のいずれかが作動を開始する構成とする必要はなく、それに代えて、又は、それに加えて、予め定めた時間の経過により下大入賞装置４３３又は上大入賞装置４３４のいずれかが作動を開始する構成としても良い。
【００６６】
また、遊技盤４００には、図７に示すように、図柄の変動表示や抽選結果を表示する表示装置４７１〜４７３と、遊技の保留回数を表示する表示装置４７６〜４７８とが一体化された複数の発光部を有する表示器が、遊技盤４００の一部に相当する左下部分に設けられている。複数の発光部は、各装置に対応する発光領域に予め区画され、各装置の状態が発光状態によって表示される。
【００６７】
具体的には、遊技盤４００には、第１特別図柄抽選に伴って、第１特別図柄を変動表示したり、第１特別図柄を抽選結果に応じた停止図柄で確定表示したりする第１特別図柄に係る特別図柄表示装置４７１と、第２特別図柄抽選に伴って、第２特別図柄を変動表示したり、第２特別図柄を抽選結果に応じた停止図柄で確定表示したりする第２特別図柄に係る特別図柄表示装置４７２と、第１特別図柄に係る単位遊技の保留回数を表示する特別図柄保留表示装置４７６と、第２特別図柄に係る単位遊技の保留回数を表示する特別図柄保留表示装置４７７とが設けられている。第１特別図柄に係る単位遊技の権利及び第２特別図柄に係る単位遊技の権利はそれぞれ最大４回まで保留される。ここで、単位遊技とは、１回の始動入賞に基づいて実行される１回分の遊技であり、１回の始動入賞に基づいて実行される抽選の当否判定と、その当否判定に基づいた抽選結果を表示するまでの変動表示の開始から終了までを含む一連の遊技をいう。
【００６８】
第１特別図柄に係る単位遊技の権利が最大回数まで保留されている場合には、始動入賞装置４３１に進入した遊技球が上側中始動入賞スイッチ４４１Ａ（図１０参照）又は下側中始動入賞スイッチ４４１Ｂ（図１０参照）によって検出されたとしても第１特別図柄に係る単位遊技の権利は追加されない。同様に、第２特別図柄に係る単位遊技の権利が最大回数まで保留されている場合に、右始動入賞装置４３２に進入した遊技球が右始動入賞スイッチ４４２（図１０参照）によって検出されたとしても第２特別図柄に係る単位遊技の権利は追加されない。
【００６９】
第１特別図柄に係る特別図柄表示装置４７１及び第２特別図柄に係る特別図柄表示装置４７２の各々は、複数の発光部で構成されており、主制御基板９２０（図１０参照）によって制御される。第１特別図柄の表示及び第２特別図柄の表示の各々は、複数の発光部の発光パターン（発光色を含む発光状態（消灯、点灯、点滅）の組合せ）によって表現される。第１特別図柄に係る特別図柄保留表示装置４７６及び第２特別図柄に係る特別図柄保留表示装置４７７は、２個の単色の発光部の発光状態（消灯、点灯、点滅）の組合せによって保留回数を表示する。
【００７０】
また、遊技盤４００には、普通図柄抽選に伴って、普通図柄を変動表示したり、普通図柄を抽選結果に応じた停止図柄で確定表示したりする普通図柄表示装置４７３と、普通図柄に係る単位遊技の権利の保留回数を表示する普通図柄保留表示装置４７８とが設けられている。普通図柄に係る単位遊技の権利は最大４回まで保留される。普通図柄に係る単位遊技の権利が最大回数まで保留されている場合には、始動装置４３６に進入した遊技球が始動スイッチ４４６によって検出されたとしても普通図柄に係る単位遊技の権利は追加されない。
【００７１】
普通図柄表示装置４７３は、複数の発光部で構成されており、主制御基板９２０（図１０参照）によって制御される。普通図柄は、複数の発光部の発光パターンによって表現される。また、普通図柄保留表示装置４７８は、２個の単色の発光部の発光状態（消灯、点灯、点滅）の組合せによって保留回数を表示する。
【００７２】
また、遊技盤４００には、中央構造体４２０の後方に重なるようにして、第１特別図柄及び第２特別図柄に係る単位遊技において、装飾図柄を変動表示したり、装飾図柄を確定表示したりする装飾図柄表示装置４７９が設けられている。装飾図柄の変動表示及び確定表示は、副制御基板９４０により制御され、主制御基板９２０による第１特別図柄や第２特別図柄の変動表示及び確定表示と同期している。装飾図柄の変動表示においては、第１特別図柄や第２特別図柄の変動表示よりも複雑かつ多様な演出が実行される。なお、第１特別図柄や第２特別図柄の変動表示及び確定表示と装飾図柄の変動表示及び確定表示とは、必ずしも完全に一致するタイミングで変動開始したり、確定表示として停止表示をしたりする必要はなく、各タイミングに僅かな時間差を設けつつ略同じタイミングで変動を開始し、略同じタイミングで確定表示が行われる設定としても良い。
【００７３】
また、遊技盤４００は、各種の構造物の裏側に設けられた盤面発光装置４９０（図１０参照）を備えており、盤面発光装置４９０は、副制御基板９４０による制御に基づいて遊技進行に伴う各種の発光演出や発光による状態報知を実行する。
【００７４】
ここで、各種の遊技状態及び遊技状態間の移行について説明する。通常時の遊技状態（以下において「通常遊技状態」とも略記する）は、第１特別図柄、第２特別図柄及び普通図柄の変動表示時間が長い状態（以下において「非時短状態」とも称す）に対応する。
【００７５】
第１特別図柄抽選又は第２特別図柄抽選において大当りに当選した場合には、その当選に基づいて移行する特別遊技状態中に遊技球が特定通路（下大入賞装置４３３の内部通路）へ進入するか否かに対応して、特別遊技状態後に移行する遊技状態が異なる。特別遊技状態中に遊技球が特定通路へ進入しなかった場合には、第１特別図柄抽選、第２特別図柄及び普通図柄の変動表示時間が非時短状態よりも短い状態（以下において「時短状態」とも称す）であって、かつ、第１特別図柄抽選及び第２特別図柄抽選における大当りの当選確率が通常遊技状態と同一の状態（以下において「低確率状態」とも称す）である遊技状態（以下において「時短遊技状態」とも称す）へ移行する。一方、特別遊技状態中に遊技球が特定通路へ進入した場合には、時短状態であって、かつ、第１特別図柄抽選及び第２特別図柄抽選における大当りの当選確率が通常遊技状態より高い状態（以下において「高確率状態」とも称す）である遊技状態（以下において「確変遊技状態」とも称す）へ移行する。
【００７６】
時短遊技状態は、第１特別図柄及び第２特別図柄に係る単位遊技の総数が所定の回数（例えば、５０回）となるまで維持されるが、その後は通常遊技状態に戻る。また、確変遊技状態は、第１特別図柄及び第２特別図柄に係る単位遊技の総数が所定の回数（例えば、１００回）となるまで維持されるが、その後は通常遊技状態に戻る。
【００７７】
なお、遊技状態及び遊技状態間の移行について、必ずしも上述した構成とする必要はなく、例えば、高確率状態が次回の大当りの当選まで継続する構成としても良いし、他の内容によって上記遊技状態の少なくとも１つを構成しても良いし、上述した各遊技状態とは別の遊技状態を更に含む構成としても良いし、上述した条件とは異なる条件によって遊技状態間が移行する構成としても良い。
【００７８】
次に、遊技盤４００の主要な装置の動作について概ね時系列に沿って説明する。主制御基板９２０においては、特別図柄（第１特別図柄及び第２特別図柄で共通）に係る当選乱数、大当り図柄乱数、停止パターン乱数、各種の変動パターン乱数が生成されており、各種の遊技状態において第１特別図柄に係る始動入賞装置４３１Ａ，４３１Ｂのいずれかに進入した遊技球が中始動入賞スイッチ４４１Ａ，４４１Ｂ（図１０参照）のいずれかによって検出された場合に第１特別図柄の始動入賞となる。第１特別図柄の始動入賞時に、第１特別図柄に係る単位遊技の権利が最大回数まで保留されていない場合には、特別図柄に係る当選乱数、大当り図柄乱数及び停止パターン乱数が取得されて、主制御基板９２０のＲＡＭの所定の領域に格納される。
【００７９】
第１特別図柄の始動入賞に基づいて取得された乱数による単位遊技は、特別遊技状態中でなく、第１特別図柄又は第２特別図柄に係る単位遊技中でもなく、第１特別図柄に係る単位遊技の権利が保留されていない場合には、それらの乱数の格納の直後に開始される。また、特別遊技状態中でない場合であっても、第１特別図柄又は第２特別図柄に係る単位遊技中や第１特別図柄又は第２特別図柄に係る単位遊技の権利が保留されている場合には、今回の入賞より前に保留されていた全ての特別図柄（第１特別図柄及び第２特別図柄）に係る単位遊技の終了後に、今回の始動入賞に基づく単位遊技が開始される。特別遊技状態中に第１特別図柄の始動入賞に基づいて各乱数が取得された場合には、その乱数による単位遊技は、特別遊技状態後において今回の始動入賞より前に保留されていた全ての特別図柄に係る単位遊技の後に開始される。
【００８０】
また、第１特別図柄の始動入賞に基づいて取得された乱数による単位遊技は、第２特別図柄に係る全ての単位遊技の終了後に開始される。すなわち、今回の始動入賞の後に第２特別図柄の始動入賞に基づいて各乱数が取得された場合には、その第２特別図柄の始動入賞に基づく単位遊技が優先して実行される。なお、必ずしも第２特別図柄の始動入賞に基づく単位遊技が第１特別図柄に係る単位遊技に優先して実行される構成とする必要はなく、始動入賞の順に第１特別図柄と第２特別図柄に係る単位優位制御が実行される構成であっても良いし、２つの特別図柄が択一的でなく同時に変動可能な構成であっても良い。
【００８１】
第１特別図柄の始動入賞に基づく第１特別図柄抽選において大当りに当選している場合には、更に、取得された大当り図柄乱数に基づいて第１特別図柄抽選の大当り当選に対応する停止図柄（大当り図柄）の種類が決定される。この停止図柄の種類と大当りの種類とが対応し、例えば、下進入規制機構４５３又は上進入規制機構４５４が進入許容姿勢をとる回数に相当するラウンド数（例えば、６ラウンドと１６ラウンド）や、特別遊技状態後に移行する遊技状態（確変遊技状態へ移行させるか否か）といった遊技状態の種類に対応して大当りの種類が複数種類設定され、その種類毎に大当り図柄が設定されている。第１特別図柄抽選において大当りに当選しなかった場合には、大当り図柄とは別のハズレ図柄が停止図柄として設定される。
【００８２】
第１特別図柄抽選の後に、現在の遊技状態、抽選結果、停止パターン乱数の値、各種の変動パターン乱数の値、第１特別図柄に係る単位遊技の権利の保留回数に基づいて、第１特別図柄の変動表示時間が決定されると共に、装飾図柄の変動パターンが選択される。その後、第１特別図柄に係る特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が継続される。その後、変動表示時間の経過に伴って、第１特別図柄に係る停止図柄が確定表示され、また、装飾図柄として第１特別図柄の停止図柄に対応する図柄が確定表示される。第１特別図柄及び装飾図柄の確定表示は少なくとも所定の一定時間に亘って継続される。
【００８３】
第１特別図柄に係る停止図柄が大当り図柄である場合には、第１特別図柄の確定表示後に、遊技状態は特別遊技状態に移行する。特別遊技状態においては、下大入賞装置４３３の下進入規制機構４５３及び上大入賞装置４３４の上進入規制機構４５４が、大当りの種類に応じた所定の順序で所定の回数だけ進入許容姿勢となる。下進入規制機構４５３及び上進入規制機構４５４における各回の進入許容姿勢中において、所定の個数（例えば、８個）の遊技球が大入賞スイッチ４４３，４４４によって検出された場合、又は、所定の最大進入許容時間（例えば、２９．５秒）が経過した場合には、下進入規制機構４５３又は上進入規制機構４５４は進入禁止姿勢に移行する。その後、所定の進入禁止時間の経過後に、再度、下進入規制機構４５３又は上進入規制機構４５４のいずれかが進入許容姿勢に復帰する。この進入規制動作が大当りの種類に対応した所定の順序で所定の回数だけ繰り返される。
【００８４】
下進入規制機構４５３及び上進入規制機構４５４は、特別遊技状態中においていずれか一方のみが進入許容姿勢をとる構成とされ、特別遊技状態の開始から所定の待機時間が経過した後（オープニング期間後）に初回の進入許容姿勢に一方が移行する。また、最終回の進入禁止姿勢への復帰から所定の進入禁止時間が経過し、更にその後に所定の待機時間が経過した後（エンディング期間後）に特別遊技状態は終了する。特別遊技状態の終了後には、上述のように、時短遊技状態又は確変遊技状態に移行する。
【００８５】
各種の遊技状態において、第２特別図柄に係る右始動入賞装置４３２に進入した遊技球が右始動入賞スイッチ４４２によって検出された場合に第２特別図柄の始動入賞となる。第２特別図柄の始動入賞に基づく単位遊技の制御は、上述した第１特別図柄に係る制御と同様に実行される。すなわち、第２特別図柄の始動入賞時に第２特別図柄に係る単位遊技の権利が最大回数まで保留されていなければ、特別図柄に係る各乱数が取得されて、この始動入賞に基づく単位遊技が実行される。また、第２特別図柄抽選に応じた停止図柄の決定、装飾図柄の変動パターンの選択、変動表示の実行、及び、遊技状態の移行制御等についても、第１特別図柄に係る制御と同様に実行される。
【００８６】
各種の遊技状態において、始動装置４３６に進入した遊技球が始動スイッチ４４６によって検出された場合、普通図柄に係る単位遊技の権利が最大回数まで保留されていなければ、普通図柄に係る当選乱数が取得されて、主制御基板９２０のＲＡＭの所定の領域に格納される。このとき、普通図柄に係る単位遊技中でなければ、その格納の直後に、その取得された普通図柄に係る単位遊技が開始される。一方、普通図柄に係る単位遊技中であれば、既得の普通図柄に係る単位遊技の権利に基づく単位遊技の終了後に、その取得された普通図柄に係る単位遊技が開始される。
【００８７】
普通図柄に係る単位遊技においては、当選乱数の値に基づいて当選したか否かが判定され、当選した場合には、停止図柄として所定の当り図柄が設定される。一方、普通図柄抽選において当選しなかった場合には、停止図柄として所定のハズレ図柄が設定される。普通図柄抽選後に、普通図柄表示装置４７３において普通図柄の変動表示が開始され、非時短状態にあっては所定の変動表示時間に亘って一定のパターンによる変動表示が継続され、時短状態にあっては非時短状態よりも短い所定の変動表示時間に亘って一定のパターンによる変動表示が継続される。遊技状態に応じた所定の時間の経過に伴って、普通図柄に係る停止図柄が一定時間に亘って確定表示される。
【００８８】
普通図柄に係る停止図柄が当り図柄である場合には、普通図柄の確定表示後に、右始動入賞装置４３２の右進入規制機構４５２が少なくとも１回は進入許容姿勢に移行する。具体的には、非時短状態（通常遊技状態及び特別遊技状態）において当選した場合には、右始動入賞装置４３２が所定の最大進入許容時間（例えば、略０．１秒）に亘って進入許容状態へ移行し、時短状態（時短遊技状態及び確変遊技状態）における当選の場合には、右始動入賞装置４３２が非時短状態の場合より長い所定の最大進入許容時間（例えば、略４．８秒）に亘って間欠的に（例えば、３回に分けて）進入許容姿勢に移行する。但し、所定の個数（例えば、１０個）の遊技球が右始動入賞スイッチ４４２によって検出された場合には、右進入規制機構４５２は最大進入許容時間の経過を待たずに進入禁止姿勢に移行し、また、進入許容姿勢への移行回数が所定の回数に到達していなくても、今回の普通図柄に係る単位遊技における右始動入賞装置４３２の動作が終了する。
【００８９】
次に、本実施形態のパチンコ機１００の遊技性について説明する。第２特別図柄抽選を受けるためには、まず、普通図柄抽選において当選しなければならず、更に、その当選に基づく右始動入賞装置４３２の進入許容状態において遊技球が右始動入賞装置４３２へ進入しなければならない。通常遊技状態における普通図柄に係る当りの当選確率は時短遊技状態における当選確率と同一であるが、通常遊技状態における当りの当選に基づく右始動入賞装置４３２の進入許容状態の滞在時間（例えば、略０．１秒）が時短状態における滞在時間（例えば、略４．８秒）に比べて極めて短く設定されているために、通常遊技状態において、第２特別図柄抽選を受けられる単位時間当りの機会は、第１特別図柄抽選を受けられる単位時間当りの機会よりも大幅に小さい。逆に、時短遊技状態や確変遊技状態等の時短状態においては、第２特別図柄抽選を受けられる単位時間当りの機会は、第１特別図柄抽選を受けられる単位時間当りの機会よりも大幅に大きい。
【００９０】
したがって、遊技者は、第１特別図柄抽選において大当りに当選し、その後の特別遊技状態において遊技球を特定通路へ進入させることによる確変遊技状態への移行を目指して遊技する。一方、時短遊技状態及び確変遊技状態においては、各遊技状態が終了する前に第２特別図柄抽選において大当りに当選することを目指して遊技する。
【００９１】
具体的には、遊技盤４００には、遊技球が流下する遊技領域の中央部に中央構造体４２０が設けられ、主に中央構造体４２０の左側から遊技球を流下させる遊技手法（左打ち遊技手法）と、主に中央構造体４２０の右側から遊技球を流下させる遊技手法（右打ち遊技手法）とが選択的に行える構成となっている。遊技者は、通常遊技状態においては、左打ち遊技手法によって遊技を行い、時短遊技状態及び確変遊技状態においては、右打ち遊技手法によって遊技を行う。また、下大入賞装置４３３及び上大入賞装置４３４が中央構造体４２０に対して右側に配置されているので、特別遊技状態においても右打ち遊技手法によって遊技を行う。
【００９２】
次に、後ブロック１０４について説明する。図８及び図９は、それぞれ、パチンコ機１００を示す背面側斜視図及び背面図である。なお、図８においては、理解の容易のために、外枠１０１を省略して示している。
【００９３】
後ブロック１０４は、図８及び図９に示すように、基体５０１に他の部材や装置が取着されて構成されている。この基体５０１と中間ブロック１０３とが後ブロック支持機構１３６，１３７によって接続されることにより、後ブロック１０４が中間ブロック１０３に対して開閉可能に支持されている。
【００９４】
後ブロック１０４は、遊技球を貯留する球貯留部としての遊技球タンク５１０と、遊技球タンク５１０の下流側に連続して遊技球を（例えば、１列に）整流させると共に１段に整列させる球整列部としてのタンクレール５２０と、タンクレール５２０の下流側においてタンクレール５２０から流入した遊技球を誘導する球誘導部としてのケースレール５３０と、ケースレール５３０の下流側において遊技球の払い出しや遊技球の貸し出しを実行する払出装置５４０と、払出装置５４０の下流側において払出装置５４０から流出した遊技球を基体５０１に形成された誘導通路（図示せず）に誘導する球誘導部としての誘導部材５５０と、払出装置５４０による遊技球の払い出しや遊技球の貸し出しを制御する払出制御装置５６０と、外部電力を各種の装置等で必要とする所定の電圧の電力に変換して出力する電力供給手段としての機能と発射操作装置２５０に対する発射操作に基づく遊技球の射出を主制御基板９２０と協同して制御する発射制御手段としての機能とを有する電源・発射制御装置５７０と、払出制御装置５６０及び遊技球貸出装置２９０（図１参照）とパチンコ機１００の側方に配置されるカードユニット（図示せず）との間の信号を中継する中継装置９５０とを備えている。
【００９５】
基体５０１は、樹脂（例えば、ＡＢＳ樹脂）により一体成型されており、前側部分に対応するベース部５０２と、ベース部５０２よりも後方に位置した保護カバー部５０３とを含んでいる。ベース部５０２は、その上側部分が後ブロック１０４の外形に沿って略枠状に形成されると共に、下側部分が前後方向に厚みを有する略平坦状に形成されており、他の装置が取り付けられる被取付部としての機能を有している。
【００９６】
保護カバー部５０３は、前後方向に厚みを有する略板状に形成されている。また、保護カバー部５０３は、中間ブロック１０３の背面全域を覆う形状でなく、主制御装置３７０の一部といった頻繁に検査や確認が必要な中間ブロック１０３の背面における一部をパチンコ機１００の背面に露出するための窓部を形成する大きさに設定されている。保護カバー部５０３の背面には、主制御装置３７０及び副制御装置３９０における発熱の放熱性を向上させる機能を有する多数の通気孔５０３Ａが形成されている。
【００９７】
遊技球タンク５１０は、上方に開口した横長の箱型容器であり、その長手方向の一端側に、島設備の球循環装置（図示せず）から供給される遊技球が逐次補給される。遊技球タンク５１０における遊技球の供給される側と異なる長手方向の一端側には開口（図示せず）が形成されている。遊技球タンク５１０の底面は長手方向に緩やかに傾斜し、遊技球タンク５１０に供給された遊技球は開口側に自重によって移動する。また、遊技球タンク５１０の底面は、長手方向に比して、長手方向と直交する方向（前後方向）にも傾斜し、開口が設けられる側（例えば、前側）に優位に遊技球を誘導する。また、遊技球タンク５１０の底面には、その上に重なるようにして金属製の帯電防止板（図示せず）が取着され、帯電防止板が接地電位に接続されて遊技球タンク５１０内及びその下流側の遊技球の静電気が除去される。
【００９８】
タンクレール５２０は、遊技球タンク５１０の開口が形成される側に取り付けられ、遊技球タンク５１０の開口を通して遊技球が流入する。タンクレール５２０は、遊技球が１列に並んで通過する幅を有する略樋状の遊技球の通路を形成する通路形成部材５２１と、通路形成部材５２１により形成される通路の上面として次第に高さが低くなる天面部を有してその通路を流下する遊技球を上下に重なった高さから次第に１段の高さに整流する整流部材５２２とを備えている。タンクレール５２０により形成される通路は、下流側に向けて緩やかに傾斜しており、遊技球タンク５１０とは反対側へ遊技球を誘導する。
【００９９】
ケースレール５３０は、タンクレール５２０の下側に連続するように縦長に形成されており、タンクレール５２０からの遊技球が流入する。ケースレール５３０には、遊技球が勢いよく流れないように左右に湾曲しつつ下方に連続している。また、ケースレール５３０における球通路の途中部分には、球切れを検出するための球切れ検出部５３９が設けられている。球切れ検出部５３９には、貯留球スイッチ５９１（図１０参照）が内蔵され、貯留球スイッチ５９１によって、ケースレール５３０又はその上流側で球詰り等が発生してケースレール５３０内に遊技球が正常に補給されていない球切れ状態を検出する。
【０１００】
払出装置５４０は、遊技球を送り出す送出機構と、送出機構を駆動する駆動手段としての払出モータ５４２（図１０参照）と、払出計数スイッチ５９２（図１０参照）とを備えている。払出制御装置５６０による制御に基づく払出モータ５４２の作動に応じて、球通路に貯留されている遊技球が下流側へ放出される。放出された遊技球の球通路の通過は、払出計数スイッチ５９２に検出され、これにより、払出制御装置５６０（払出制御基板９３０）が遊技球の払い出し数を計数する。
【０１０１】
払出制御装置５６０及び電源・発射制御装置５７０は、図８及び図９に示すように、後ブロック１０４の背面側下部に位置するように基体５０１のベース部５０２における下部背面に重なるようにして取り付けられている。これら払出制御装置５６０及び電源・発射制御装置５７０を含む後ブロック１０４は、機種変更等において遊技盤４００を別の遊技盤に交換した場合にも、継続利用可能とされている。
【０１０２】
払出制御装置５６０は、払出制御基板９３０（図１０参照）と、払出制御基板９３０を収容する基板ケースとを備え、払出制御基板９３０は、主制御基板９２０と同様に、開封の痕跡を残さずに開封できないように封止された基板ケースの内部に収容されている。
【０１０３】
電源・発射制御装置５７０は、電源・発射制御基板９００（図１０参照）と、電源・発射制御基板９００を収容する基板ケースとを備え、電源・発射制御基板９００は、主制御基板９２０と同様に、封止された基板ケースの内部に収容されている。
【０１０４】
＜電気的な構成＞
次に、パチンコ機１００の電気的構成について説明する。図１０は、パチンコ機１００の電気的構成を示すブロック図である。パチンコ機１００は、図１０に示すように、電源・発射制御基板９００、電源監視基板９１０、主制御基板９２０、払出制御基板９３０、副制御基板９４０等の制御回路装置を備えている。なお、図１０において、各種の信号を中継するだけの中継回路装置については省略している。以下に、これらの主要な制御回路装置を個別に詳細に説明する。
【０１０５】
電源・発射制御基板９００は、パチンコ機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【０１０６】
電源部９０１は、外部より供給される外部電力（例えば、交流２４ボルト）を取り込んで内部電力（例えば、直流２４ボルト）に変換すると共に、その内部電力から各種の電力を生成する。電源部９０１により生成される電力は、各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭの内容を保持させるためのバックアップ用電圧の電力等を含んでいる。
【０１０７】
電源部９０１は、内部電力から生成した各種の電力を、電源監視基板９１０、主制御基板９２０、払出制御基板９３０、副制御基板９４０等に供給する。具体的には、電源監視基板９１０に対しては、内部電力、駆動用電圧、制御用電圧及びバックアップ電圧の電力が供給される。主制御基板９２０に対しては、駆動用電圧、制御用電圧及びバックアップ電圧の電力が供給され、これら電力は、電源監視基板９１０の電源監視部９１１を介して供給される。払出制御基板９３０に対しては、駆動用電圧及び制御用電圧の電力が供給される。副制御基板９４０に対しては、駆動用電圧及び制御用電圧の電力が供給される。発射制御部９０２及び信号中継部９０３に対しては、駆動用電圧及び制御用電圧の電力が供給される。
【０１０８】
電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによってパチンコ機１００の内部への電力の供給が停止している状態や、外部電力自体の供給が停止している状態を「停電状態」と総称する。
【０１０９】
電源部９０１は、停電状態への移行後においても所定の期間にわたり制御用電圧の電力を正常に出力するように構成されている。これによって、主制御基板９２０は、現在の制御状態に復帰できるように状態を保存して制御を終了させることができる。
【０１１０】
発射制御部９０２は、主制御基板９２０と協同して、発射装置３３０の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置３３０から可変抵抗器２５３の抵抗値（発射ハンドル２５２の回転操作量）に応じた強さで遊技球が順次に発射される。
【０１１１】
信号中継部９０３は、初期化スイッチ９０７が押下された場合に、主制御基板９２０へオン状態の初期化信号を出力する。主制御基板９２０においては、オン状態の初期化信号の受信に応じて主制御基板９２０のＲＡＭに保存された保存情報を初期化する。なお、初期化スイッチ９０７は、必ずしも信号中継部９０３を介して主制御基板９２０に信号を出力する構成とする必要はなく、例えば、初期化スイッチ９０７を主制御基板９２０に直接搭載する等して基板ケース３７１内に初期化スイッチ９０７が収容される構成としても良く、これにより信号が伝送される区間を狙った不正な信号入力を抑止することができる。
【０１１２】
また、信号中継部９０３は、球溢れスイッチ２４９が遊技球を検出した場合に、主制御基板９２０へオン状態の球溢れ信号を出力する。主制御基板９２０においては、オン状態の球溢れ信号の検知に基づいて払出制御基板９３０に低速払出信号を出力し、低速払出信号を受信した払出制御基板９３０は、払出モータ５４２の回転速度（払出装置５４０からの遊技球の払出速度）を低速化させる。また、主制御基板９２０は、オフ状態の球溢れ信号の検知に基づいて払出制御基板９３０に高速払出信号を出力し、高速払出信号を受信した払出制御基板９３０は、払出モータ５４２の回転速度を高速化させる。
【０１１３】
電源監視基板９１０は、電源・発射制御基板９００からの電力供給状態を監視する電源監視部９１１と、電源・発射制御基板９００と主制御基板９２０との間の電力供給及び各種の信号の伝達を中継する信号中継部９１２とを含んでいる。電源監視部９１１は、停電状態への移行に応じて主制御基板９２０へ停電信号を出力するものでもあり、電源部９０１から出力される最大電圧である直流安定２４ボルトの電圧を監視し、この電圧が２２ボルト未満である状態が所定の時間だけ継続した場合に停電状態であると判断して、オン状態の停電信号を主制御基板９２０へ出力する。主制御基板９２０は、オン状態の停電信号の受信によって停電状態への移行を認識する。
【０１１４】
主制御基板９２０は、パチンコ機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御基板９００からのバックアップ電圧の電力供給によって内部データを維持（バックアップ）できる構成となっている。
【０１１５】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０は、他の装置と情報通信可能に接続する接続手段としての入出力ポートが搭載されており、例えば、主制御基板９２０及び中継装置９５０とは双方向の情報入出力通信が可能に接続され、開閉検出スイッチ１０８，１０９、貯留球スイッチ５９１、及び、払出計数スイッチ５９２とは、一方向のみの情報入力通信のみが可能に接続され、払出モータ５４２とは、一方向のみの情報出力通信のみが可能に接続されている。なお、払出制御基板９３０のＲＡＭは、主制御基板９２０のＲＡＭと同様に、停電状態において一定の期間にわたって内部データを維持可能とするバックアップ機能を有する構成としても良いし、主制御基板９２０のＲＡＭとは異なり、停電状態において内部データを維持しない構成としても良い。
【０１１６】
副制御基板９４０は、主制御基板９２０からの指示に基づいて、各種の演出装置や各種の発光装置や各種の音響装置等の動作を制御する。副制御基板９４０は、他の装置と情報通信可能に接続する接続手段としての入出力ポートが搭載されており、例えば、主制御基板９２０とは一方向のみの情報入力通信のみが可能に接続され、入力操作装置２６０とは双方向に情報通信可能に接続され、装飾図柄表示装置４７９等とは一方向の情報出力通信のみが可能に接続されている。
【０１１７】
＜各種の制御処理＞
次に、主制御基板９２０によって実行される各種の制御処理について説明する。主制御基板９２０における制御処理は、大別すると、停電状態からの復帰に伴い起動されるメイン処理と、定期的に（本形態では２ｍｓ（ミリ秒）周期で）メイン処理に割込みをかけて実行されるタイマ割込み処理とで構成されている。
【０１１８】
まず、図１１を参照して、主制御基板９２０によって実行されるメイン処理について説明する。図１１は、主制御基板９２０のメイン処理（図１１においては「主制御メイン処理」と略記）を示すフローチャートである。
【０１１９】
主制御基板９２０のメイン処理において、まず、主制御基板９２０の立ち上げや各種の情報を初期設定するための一連の制御開始処理（プログラム開始処理Ｓ１００１〜乱数初期設定処理Ｓ１０１９）が一度だけ実行され、その後は、割込みを禁止する割込み禁止処理Ｓ１０２０と、特別図柄に係る当選乱数初期値カウンタ（ＲＡＭの一部の領域）及び大当り図柄乱数初期値カウンタ（ＲＡＭの一部の領域）並びに普通図柄に係る当選乱数初期値カウンタ（ＲＡＭの一部の領域）の値を更新する乱数初期値更新処理Ｓ１０２１と、変動表示時間や変動パターン等を決定するための第１の変動種別カウンタ〜第４の変動種別カウンタ（ＲＡＭの一部の領域）の値を更新する変動用カウンタ更新処理Ｓ１０２２と、割込みを許可する割込み許可処理Ｓ１０２３とが繰り返し実行される。なお、割込み許可処理Ｓ１０２３の前にタイマ割込みの要求が発生した場合には、割込み許可処理Ｓ１０２３の直後にタイマ割込み処理が実行される。
【０１２０】
一連の制御開始処理において、プログラムの実行を制御するスタックポインタ（ＲＡＭの一部の領域）に初期値を設定するプログラム開始処理Ｓ１００１と、割込みモードを設定する割込みモード設定処理Ｓ１００２と、払出制御基板９３０及び副制御基板９４０等が立ち上がるまで所定の時間だけ待機する立上待機処理Ｓ１００３とが実行される。
【０１２１】
立上待機処理Ｓ１００３の後に、電源・発射制御基板９００の初期化スイッチ９０７からの初期化信号の出力状態の判定処理Ｓ１００４、停電情報（ＲＡＭの一部の領域）の値の判定処理Ｓ１００５、保存情報の記憶状態の判定処理Ｓ１００７が行われ、これらの判定結果に基づいてＲＡＭの保存情報を消去するか否かが判定される。ここで、保存情報とは、停電前の遊技の状態に復帰させるために必要な情報であって、停電前に遊技の進行に応じて更新されていたＲＡＭの一部の領域に対応し、実行中の単位遊技に関するカウンタの値や、始動入賞によって格納されたカウンタの値等が例示される。
【０１２２】
保存情報の記憶状態は、次のように判定される。まず、ＲＡＭの所定の範囲の記憶領域に対するチェックサム値を算出して（チェックサム算出処理Ｓ１００６）、その現在のチェックサム値と前回の停電状態への移行に伴い停電監視処理Ｓ１２０２（図１２参照）において算出されたチェックサム値の２の補数であるＲＡＭ判定値との排他的論理和が「０」であるか否か（判定処理Ｓ１００７）が判定され、これにより、現在のチェックサム値と停電状態への移行時のチェックサム値とが同一であるか否かが判定される。
【０１２３】
初期化信号がオン状態である場合（Ｓ１００４：Ｙ）、停電情報が停電状態への移行時に保存情報を保存して終了したことを示す所定の停電値でない場合（Ｓ１００５：Ｎ）、又は、保存情報が正常に保持されていない場合（Ｓ１００７：Ｎ）には、ＲＡＭの保存情報を消去するＲＡＭクリア処理Ｓ１００８が実行される。保存情報が正常に保持されていると判断された後（Ｓ１００７：Ｙ）、又は、ＲＡＭクリア処理Ｓ１００８が実行された後には、主制御基板９２０に接続されている各種の装置を初期化するハードウェア初期化処理Ｓ１００９が実行される。
【０１２４】
ハードウェア初期化処理Ｓ１００９の後には、停電情報が停電値であるか否かの判定処理Ｓ１０１０が実行される。停電情報が停電値である場合（Ｓ１０１０：Ｎ）には、保持情報の復帰を含め各種の情報を初期設定するＲＡＭ復帰設定処理Ｓ１０１１と、その設定完了を示す復帰コマンドが設定される（復帰コマンド出力処理Ｓ１０１２）。ＲＡＭ復帰設定処理Ｓ１０１１における保持情報の復帰によって、前回の停電状態への移行直前の制御状態に主制御基板９２０の制御状態が復帰する。
【０１２５】
一方、停電情報が停電値でない場合（Ｓ１０１０：Ｙ）には、保持情報の復帰は行わずに各種の情報が初期設定され（ＲＡＭ初期設定処理Ｓ１０１３）、その設定完了を示す初期化コマンドが出力される（初期化コマンド出力処理Ｓ１０１４）。
【０１２６】
なお、ＲＡＭ復帰設定処理Ｓ１０１１及びＲＡＭ初期設定処理Ｓ１０１３において、停電情報は停電値と異なる所定の通電値に設定され、また、前回の停電状態への移行直前において不正検知エラー等の各種のエラー状態が発生していてもそれらのエラー状態は全て解除される。また、主制御基板９２０から払出制御基板９３０及び副制御基板９４０の双方に復帰コマンドか初期化コマンドのいずれかが出力され、復帰コマンド又は初期化コマンドを受信した払出制御基板９３０及び副制御基板９４０の各々においても所定の初期化処理が実行される。
【０１２７】
立上時の状況に応じたＲＡＭの初期設定（判定処理Ｓ１００４〜初期化コマンド出力処理Ｓ１０１４）の後に、前回の停電状態への移行時に条件装置が作動していた場合には、特別遊技状態に復帰させるための準備が行われる（特別遊技状態復帰準備処理Ｓ１０１５）。具体的には、特別遊技状態復帰準備処理Ｓ１０１５においては、条件装置と役物連続作動装置の作動状態が判定され、停電状態時における遊技の状況に対応した処理が、副制御基板９４０において実行される。
【０１２８】
特別遊技状態復帰準備処理Ｓ１０１５の後には、時短状態フラグが設定されているか否かを判定することにより時短状態であるか非時短状態であるかが判定され（判定処理Ｓ１０１６）、時短状態である場合（Ｓ１０１６：Ｙ）には、時短コマンドが出力される（時短コマンド出力処理Ｓ１０１７）。一方、非時短状態である場合（Ｓ１０１６：Ｎ）には、非時短コマンドが出力される（非時短コマンド出力処理Ｓ１０１８）。その後、特別図柄に係る当選乱数カウンタ（ＲＡＭの一部の領域）の値が初期化される（乱数初期設定処理Ｓ１０１９）。
【０１２９】
次に、図１２を参照して、主制御基板９２０によって実行されるタイマ割込み処理について説明する。図１２は、主制御基板９２０によって実行されるタイマ割込み処理（図中では「主制御割込み処理」と略記）を示したフローチャートである。
【０１３０】
主制御基板９２０のタイマ割込み処理では、まず、タイマ割込みを開始させるための割込み開始処理Ｓ１２０１が実行される。具体的には、割込み制御レジスタに所定の値が設定される。これにより、本タイマ割込み以外の割込みが禁止される。その後に、パチンコ機１００の遊技の進行制御や各種センサの監視等といった実質的な制御に係る停電監視処理Ｓ１２０２〜外部情報出力処理Ｓ１２２１が順次に実行される。但し、各種の不正の検知に基づいて遊技進行が停止されている場合（Ｓ１２０７：Ｙ）には、制御信号出力処理Ｓ１２０８〜外部情報出力処理Ｓ１２２１は実行されない。最後に、次回のタイマ割込みを許可する割込み許可処理Ｓ１２２２が実行されて、今回のタイマ割込み処理が終了する。以下において、各種の主要な処理について個別に説明する。
【０１３１】
停電監視処理Ｓ１２０２においては、電源監視基板９１０の電源監視部９１１から出力されている停電信号の出力状態に基づいて停電情報（ＲＡＭの一部の領域）の値が更新される。具体的には停電信号の出力状態が３度に亘り確認され、３度ともオン状態が検出された場合に停電状態であると判定される。この判定において停電状態であると判定されなかった場合には、停電情報は通電値に維持される。
【０１３２】
一方、停電監視処理Ｓ１２０２において停電状態であると判定された場合には、以下の処理が実行される。まず、停電情報の値がＲＡＭ復帰設定処理Ｓ１０１１又はＲＡＭ初期設定処理Ｓ１０１３（図１１参照）において設定された通電値から所定の停電値に変更される。また、ＲＡＭの所定の範囲の記憶領域に対するチェックサム値を算出し、そのチェックサム値の２の補数をＲＡＭ判定値として設定する。これにより、パチンコ機１００は、遊技の進行や各種センサの監視等といった実質的な制御を行わない無限ループに入り、ＲＡＭ判定値が設定された後のＲＡＭの状態がバックアップ電力に基づいて保持される。なお、停電信号の出力状態が３度に亘り確認されるために、停電信号の受信を初めて検知してから、タイマ割込みの各処理は２回に亘り実行される。
【０１３３】
乱数更新処理Ｓ１２０３においては、特別図柄に係る当選乱数カウンタ、大当り図柄乱数カウンタ、停止パターン選択カウンタ及び普通図柄に係る当選乱数カウンタが更新される。具体的には、特別図柄に係る当選乱数カウンタの値が、規定最大値（例えば、「５７６」）と異なる値である場合には、現在値より「１」だけ大きい値に変更され、特別図柄に係る当選乱数カウンタの値が規定最大値である場合には、規定最小値（「０」）に変更される。但し、変更後の値が特別図柄に係る当選乱数カウンタに対する循環初期値と同一の値となる場合には、特別図柄に係る当選乱数カウンタの値が、特別図柄に係る当選乱数初期値カウンタと同一の値に設定され、また、循環初期値も当選乱数初期値カウンタと同一の値に設定される。
【０１３４】
大当り図柄乱数カウンタ、停止パターン選択カウンタ及び普通図柄に係る当選乱数カウンタについても、特別図柄に係る当選乱数カウンタの場合と同様にして更新される。ただし、各カウンタの規定最大値と規定最小値とにより定められる更新範囲としては各カウンタに固有の値が設定され、複数のカウンタが非同期で更新される構成とされ、各カウンタの循環初期値には各カウンタに固有の初期値カウンタが参照される。例えば、特別図柄に係る当選乱数カウンタと特別図柄に係る当選乱数初期値カウンタとは値の範囲が同一であり、大当り図柄乱数カウンタと大当り図柄乱数初期値カウンタとは値の範囲が同一であり、普通図柄に係る当選乱数カウンタと普通図柄に係る当選乱数初期値カウンタとは値の範囲が同一である。
【０１３５】
乱数初期値更新処理Ｓ１２０４においては、特別図柄に係る当選乱数初期値カウンタ、大当り図柄乱数初期値カウンタ及び普通図柄に係る当選乱数初期値カウンタが更新される。具体的には、特別図柄に係る当選乱数初期値カウンタの値が規定最大値（例えば、「５７６」）と異なる値である場合には、現在値より「１」だけ大きい値に変更され、特別図柄に係る当選乱数初期値カウンタの値が規定最大値である場合には、規定最小値（「０」）に変更される。特別図柄に係る図柄乱数初期値カウンタ及び普通図柄に係る当選乱数初期値カウンタについても、規定最大値や規定最小値がそれらのカウンタに固有の値であること以外は、特別図柄に係る当選乱数初期値カウンタの場合と同様にして更新される。
【０１３６】
変動用カウンタ更新処理Ｓ１２０５においては、変動表示時間や変動パターン等を決定するための第１の変動種別カウンタ〜第４の変動種別カウンタの値が更新される。具体的には、第１の変動種別カウンタの値が規定最大値（例えば、「１８７」）と異なる値である場合には、現在値より「１」だけ大きい値に変更され、第１の変動種別カウンタの値が規定最大値である場合には、規定最小値（「０」）に変更される。第２の変動種別カウンタ〜第４の変動種別カウンタについても、規定最大値や規定最小値がそれらのカウンタに固有の値であること以外は、第１の変動種別カウンタの場合と同様にして更新される。
【０１３７】
なお、特別図柄及び普通図柄に係る各当選乱数カウンタ、大当り図柄乱数カウンタ、停止パターン選択カウンタ並びに各変動種別カウンタは、必ずしも上記構成とする必要はなく、上記カウンタの少なくとも一部を他の構成としても良く、例えば、初期値カウンタを利用しないで一定の初期値から更新する構成としても良いし、プログラムを利用しないで乱数生成用ＩＣにより構成して必要に応じて値を参照する構成としても良い。
【０１３８】
遊技停止判定処理Ｓ１２０６においては、不正検知情報が不正検知値である場合には、遊技停止値に更新されると共に、遊技進行を停止させるための各種の情報が設定される。一方、不正検知情報が不正検知値でない場合や既に遊技停止値である場合には、遊技進行を停止させるための各処理は実行されずに遊技停止判定処理Ｓ１２０６は終了する。なお、不正検知情報は、不正検知処理Ｓ１２１１において各種の不正の発生が検知された場合に不正検知値に設定される。また、判定処理Ｓ１２０７においては、不正検知情報が遊技停止値であるか否かによって遊技停止中であるか否かが判定される。
【０１３９】
制御信号出力処理Ｓ１２０８においては、出力バッファに格納された制御データに基づいて、第１の特別図柄に係る特別図柄表示装置４７１、第２の特別図柄に係る特別図柄表示装置４７２及び普通図柄に係る普通図柄表示装置４７３等の各種の報知装置を制御する信号が出力される。また、出力バッファに格納された制御データに基づいて、球送りソレノイド３３２、発射ソレノイド３３４、右進入規制ソレノイド４６２、下進入規制ソレノイド４６３、上進入規制ソレノイド４６４、切換ソレノイド４６５等の各種のアクチュエータを制御する信号が出力される。
【０１４０】
スイッチ読込処理Ｓ１２０９においては、中始動入賞スイッチ４４１Ａ，４４１Ｂ、右始動入賞スイッチ４４２、下大入賞スイッチ４４３、上大入賞スイッチ４４４、役連作動スイッチ４４５、始動スイッチ４４６、非特定通路スイッチ４４７、特定通路スイッチ４４８、及び、一般入賞スイッチ４４９Ａ，４４９Ｂの各々からの信号状態が読み込まれて、各種のスイッチによる遊技球の検出状態の変化が検知される。
【０１４１】
具体的には、スイッチ読込処理Ｓ１２０９において、各種のスイッチからの信号状態が所定の時間間隔を隔てて２度に亘り入力バッファ（ＲＡＭの一部の領域）に読み込まれ、各種のスイッチからの信号ごとに、１回目に読み込まれた信号状態（以下において「第１の信号状態」と略記する）と、２回目に読み込まれた信号状態（以下において「第２の信号状態」と略記する）と、前回のタイマ割込みで検知された検出状態（以下において「前回の検出状態」と略記する）とに基づいて、各種のスイッチの検出状態の変化が検知される。そして、各スイッチに対して、前回の検出状態がオフ状態である場合において、第１の信号状態がオン状態であり、第２の信号状態がオン状態である場合には、オン状態移行と判断されて、スイッチの種類に応じた検出フラグ（ＲＡＭの一部の領域）が設定される。なお、停電監視処理Ｓ１２０２で説明したように、電源供給が停止したとしても、タイマ割込みの各処理が２回に亘り実行されるために、電源供給が停止した直後に各種のスイッチのオン状態が開始された場合であっても各種のスイッチの検出フラグを正確に設定することができる。
【０１４２】
タイマ更新処理Ｓ１２１０においては、特別図柄及び普通図柄の変動表示、各遊技状態の制御、及び、不正監視等に使用される各種のタイマ（ＲＡＭの所定の領域）が更新される。
【０１４３】
不正検知処理Ｓ１２１１においては、各種の入賞装置に強制的に遊技球を進入させたり、各種の入賞装置を強制的に作動させたりするような不正行為が検知される。具体的には、右始動入賞装置４３２、下大入賞装置４３３及び上大入賞装置４３４の強制的な進入許容姿勢への移動、加振による下大入賞装置４３３の特定通路への遊技球の誘導、電波による右始動入賞装置４３２、下大入賞装置４３３及び上大入賞装置４３４の強制的な誤作動の誘発、磁気吸着による各種の入賞装置への遊技球の誘導、上側中始動入賞装置４３１Ａ、下側中始動入賞装置４３１Ｂ、右始動入賞装置４３２、下大入賞装置４３３及び上大入賞装置４３４への異常なタイミングでの遊技球の誘導等の不正行為が行われた可能性の高い状況の発生を検知する。
【０１４４】
入賞検知応答処理Ｓ１２１２においては、遊技盤４００に設けられた各種のスイッチによる遊技球の検出に基づく制御が実行される。具体的には、上側中始動入賞スイッチ４４１Ａ（図１０参照）及び下側中始動入賞スイッチ４４１Ｂ（図１０参照）による遊技球の検出に基づいて、中始動入賞スイッチ検出フラグが設定されている場合には、中始動入賞カウンタ（ＲＡＭの所定の領域）及び第１払出カウンタ（ＲＡＭの所定の領域）が更新される。また、右始動入賞スイッチ４４２（図１０参照）による遊技球の検出に基づいて右始動入賞スイッチ検出フラグが設定されている場合には、第１払出カウンタが更新される。また、下大入賞スイッチ４４３（図１０参照）による遊技球の検出に基づいて下大入賞スイッチ検出フラグが設定されている場合や、上大入賞スイッチ４４４（図１０参照）による遊技球の検出に基づいて上大入賞スイッチ検出フラグが設定されている場合には、大入賞カウンタ（ＲＡＭの所定の領域）及び第２払出カウンタ（ＲＡＭの所定の領域）が更新される。
【０１４５】
発射制御処理Ｓ１２１３においては、発射装置３３０による遊技球の発射を制御するための発射関連情報が更新される。具体的には、球送り機構３３１を駆動する球送りソレノイド３３２の作動フラグ及び発射機構３３３を駆動する発射ソレノイド３３４の作動フラグが更新される。
【０１４６】
入力信号監視処理Ｓ１２１４においては、払出制御基板９３０を介した開閉検出スイッチ１０８（図１０参照）からの信号の出力状態に基づいて、外枠１０１（図１及び図２参照）に対して中間ブロック１０３（図１及び図２参照）が閉鎖されているか否かが検知される。また、払出制御基板９３０（図１０参照）を介した開閉検出スイッチ１０９からの信号の出力状態に基づいて、中間ブロック１０３（図２及び図３参照）に対して前ブロック１０２（図２及び図３参照）が閉鎖されているか否かが検知される。
【０１４７】
払出状態監視処理Ｓ１２１５においては、払出制御基板９３０から出力される払出制御状態を示す情報が監視され、必要に応じて、払出制御状態に応じた各種の払出状態コマンドが設定される。なお、払出状態コマンドを受信した副制御基板９４０は、払出状態コマンドの種類に応じた報知を装飾図柄表示装置４７９、左上音響装置２８１及び右上音響装置２８２等に実行させる。
【０１４８】
払出信号出力処理Ｓ１２１６においては、必要に応じて、第１払出カウンタ及び第２払出カウンタの値に基づいて各種の賞球コマンドを設定し、払出制御基板９３０に出力する。なお、第１払出カウンタ及び第２払出カウンタは、賞球コマンドの設定に応じて更新される。例えば、第１払出カウンタは、１回の入賞に相当する遊技球が検出される毎に１ずつ加算され、その入賞に基づく賞球コマンドが設定される毎に１ずつ減算される。払出制御基板９３０では、その入賞に対応する数（例えば、３個）の遊技球を払い出す制御を実行する毎に（詳細には、払い出しが完了する少し前に）、主制御基板９２０に賞球コマンドを要求し、賞球の払い出しが継続している状況においては、主制御基板９２０から更なる賞球コマンドが出力される。第２払出カウンタは、第１払出カウンタとは賞球数が異なる入賞（例えば、１３個）に対応して更新されるカウンタであり、第２払出カウンタの値に基づく賞球コマンドを払出制御基板９３０が受信した場合には、払出制御基板９３０は、その賞球コマンドに対応した数分の遊技球を払い出す制御を実行する。
【０１４９】
特別図柄関連処理Ｓ１２１７においては、第１特別図柄に係る単位遊技の権利の保留制御及び第１特別図柄に係る単位遊技の制御が実行される。具体的には、第１特別図柄に係る単位遊技の権利の保留制御において、第１特別図柄に係る特別図柄保留表示装置４７６の動作制御が実行される。また、第１特別図柄に係る単位遊技の制御において、第１特別図柄に係る特別図柄表示装置４７１の動作制御が実行され、第１特別図柄抽選において大当りに当選した場合には、下大入賞装置４３３の動作制御が更に実行される。なお、この場合に、下大入賞装置４３３に代えて、又は、下大入賞装置４３３及び上大入賞装置４３４の動作制御が実行されてもよい。
【０１５０】
また、特別図柄関連処理Ｓ１２１７においては、第２特別図柄に係る単位遊技の権利の保留制御及び第２特別図柄に係る単位遊技の制御が実行される。具体的には、第２特別図柄に係る単位遊技の権利の保留制御において、第２特別図柄に係る特別図柄保留表示装置４７７の動作制御が実行される。また、第２特別図柄に係る単位遊技の制御において、第２特別図柄に係る特別図柄表示装置４７２の動作制御が実行され、第２特別図柄抽選において大当りに当選した場合には、上大入賞装置４３４の動作制御が更に実行される。なお、この場合に、下大入賞装置４３３に代えて、又は、下大入賞装置４３３及び上大入賞装置４３４の動作制御が実行されてもよい。
【０１５１】
普通図柄関連処理Ｓ１２１８においては、普通図柄に係る単位遊技の権利の保留制御並びに普通図柄に係る単位遊技の制御が実行される。具体的には、普通図柄に係る単位遊技の権利の保留制御において、普通図柄保留表示装置４７８の動作制御が実行される。また、普通図柄に係る単位遊技の制御において、普通図柄に係る普通図柄表示装置４７３の動作制御が実行され、普通図柄抽選に当選した場合には更に右始動入賞装置４３２の動作制御が実行される。
【０１５２】
表示制御処理Ｓ１２１９においては、特別図柄関連処理Ｓ１２１７における第１特別図柄に係る特別図柄表示装置４７１、第２特別図柄に係る特別図柄表示装置４７２、第１特別図柄に係る特別図柄保留表示装置４７６及び第２特別図柄に係る特別図柄保留表示装置４７７等の動作を制御するために更新される各種の情報に基づいて、それらの装置を具体的に作動させるための出力データが合成される。合成された出力データは、次回のタイマ割込みに基づく制御信号出力処理Ｓ１２０８において各装置に出力される。
【０１５３】
モータ制御処理Ｓ１２２０においては、各種のモータの動作制御が実行される。外部情報出力処理Ｓ１２２１においては、パチンコ機１００に電気的に接続されるデータ表示装置（図示せず）や管理装置（図示せず）等の外部装置に出力する出力データが設定される。
【０１５４】
＜喫煙情報の出力選択＞
パチンコ機１００は、不利益のない又は少ない状況で所定の時間（具体的には、通常遊技状態においては４分、特別遊技状態においては２分）に亘って離席できる時間を確保できる場合に、喫煙休憩を取る判断において有用な情報となる喫煙情報を報知することで、喫煙者であっても好適に遊技を実行できるように構成している。また、この喫煙情報を報知させるか否かは、遊技者によって選択できる構成としている。
【０１５５】
まず、喫煙情報の報知態様の説明に先立ち、図１３を参照して、喫煙情報を報知するか否かを選択できる構成について説明する。図１３は、喫煙情報を報知するか否かの選択態様を示す模式図である。なお、必要に応じて、図１及び図１０も参照する。
【０１５６】
パチンコ機１００は、所定の喫煙情報を表示する構成を含んでおり、上述の装飾図柄表示装置４７９によって、喫煙情報を表示するように構成されている。また、パチンコ機１００は、装飾図柄表示装置４７９によって表示される喫煙情報を表示するか否かを遊技者が選択可能な構成を含んでおり、入力操作装置２６０によって、その選択の操作を受け付けるように構成されている。
【０１５７】
副制御基板９４０において、入力操作装置２６０（図１及び図１０参照）に対する遊技者の操作に基づいて、喫煙情報を表示可能とするモード（以下、喫煙モードと称す）及び喫煙情報を表示しないモード（以下、禁煙モードとも称す）のいずれかを設定し、その設定を記憶する。また、副制御基板９４０は、喫煙モードが設定されている場合であって、所定の条件を満たす場合に、装飾図柄表示装置４７９に喫煙情報を表示させる。
【０１５８】
具体的には、副制御基板９４０は、入力操作装置２６０の一部をなす回転操作装置２６２（図１及び図１０参照）に対する回転操作を検出して、所定の複数のメニューを、循環的に、装飾図柄表示装置４７９に表示させる。図１３に示すように、装飾図柄表示装置４７９に演出モード選択が可能なメニューが表示された状態において、複数の演出モード（例えば、主役となるキャラクタが異なる演出モードＡ、演出モードＢ及び演出モードＣ）のうち現在設定されている演出モード（図中は演出モードＡ）が太字で表示され、禁煙モード及び喫煙モードのうち現在設定されているモード（図中は禁煙モード）が太字で表示される。また、現在設定されている演出モードに対応するタブ（図中は太枠で示す演出モードＡのタブ１０Ａ）が選択された状態であって、演出モードを変更可能な状態となっている。この状態において、入力操作装置２６０の一部をなす選択操作装置２６３（図１及び図１０参照）に対して上方向操作又は下方向操作を行うと、副制御基板９４０は、その操作を検出して、各演出モードに対応するタブ１０Ａ，１０Ｂ，１０Ｃの選択状態を変化させる。また、この演出モードの選択可能な状態において、選択操作装置２６３に対して右方向操作を行うと、副制御基板９４０は、その操作を検出して、現在設定されている禁煙モード又は喫煙モードに対応するタブ１０Ｎ，１０Ｓが選択された状態となり、禁煙モード又は喫煙モードを選択可能になる。この状態において、選択操作装置２６３（図１及び図１０参照）に対して上方向操作又は下方向操作を行うと、副制御基板９４０は、その操作を検出して、禁煙モード及び喫煙モードに対応するタブ１０Ｎ，１０Ｓの選択状態を変化させる。所望の演出モードのタブ１０Ａ，１０Ｂ，１０Ｃが選択されると共に、禁煙モード又は喫煙モードの所望のモードのタブ１０Ｎ，１０Ｓが選択された状態において、更に、選択操作装置２６３に対して右方向操作を行えば、変更を確定して終了するタブ１０Ｍ、又は、変更を破棄して元の設定に戻して終了するタブ１０Ｒを選択可能な状態となる。この状態で、選択操作装置２６３（図１及び図１０参照）に対する操作によっていずれか一方のタブ１０Ｍ，１０Ｒを選択した後に、入力操作装置２６０の一部をなす押圧操作装置２６１が操作されると、副制御基板９４０は、その操作を検出して、新たな設定を確定して記憶する。
【０１５９】
この喫煙モードと禁煙モードとの選択は、装飾図柄表示装置４７９において、所定の期間に亘って遊技者による遊技球の発射操作が行われていない場合等に実行されるデモンストレーション画像が表示されている場合や、遊技者が遊技球の貸与を受けるためにパチンコ機１００に接続されたカードユニット（図示せず）に紙幣やカードを挿入した場合や、単位遊技の権利に基づく演出の実行中であってその開始から所定の期間内である場合において行える構成としている。
【０１６０】
上記のような禁煙モードと喫煙モードとの選択を行えるようにするために、副制御基板９４０において、禁煙モード又は喫煙モードを選択するためのタブ１０Ｎ，１０Ｓについての画像データを記憶し、禁煙モードと喫煙モードとを切り替えて設定する制御に関するプログラムを記憶する構成としている。
【０１６１】
なお、禁煙モードと喫煙モードとの選択を、既に多くのパチンコ機で採用されている演出モードの選択と同一のメニュー表示において行えるようにして、禁煙モードと喫煙モードとの選択が可能なことを遊技者に簡便に知らしめることが可能な構成としているが、それらの選択を異なるメニュー内で行う構成であってもよい。また、演出モードの選択もできる構成としているが、演出モードの選択はできない構成であってもよい。更に、禁煙モード及び喫煙モードを入力操作装置２６０で兼用して選択する構成に限らず、入力操作装置２６０とは別に専用の装置、例えば、喫煙モードと記載されたスイッチ（図示せず）を設けて、禁煙モードが選択されている場合には当該スイッチを消灯させ、喫煙モードが選択されている場合には当該スイッチを点灯させる構成であってもよい。
【０１６２】
＜通常遊技状態における喫煙情報の報知態様＞
次に、図１４及び図１５を参照して、通常遊技状態における喫煙情報の報知態様について説明する。図１４は、通常遊技状態において特定長期演出が選択された場合における喫煙情報の報知態様の一例を示す説明図であって、図１４（Ａ）が、取得した単位遊技の権利に関して主制御基板９２０に保持される情報を示す説明図であり、図１４（Ｂ）が喫煙情報の報知態様を示すタイミングチャートであり、図１４（Ｃ）が、喫煙情報の内容の一例を示す模式図である。図１５は、通常遊技状態において特定長期演出が選択されていない場合における喫煙情報の報知態様の例を示す説明図であり、図１５（Ａ）は、保留されている単位遊技の権利に基づく変動表示時間が２４０秒（４分）以上である場合における、主制御基板９２０に保持される取得した単位遊技の権利に関する情報を示す説明図であり、図１５（Ｂ）は、その場合の喫煙情報の報知態様を示すタイミングチャートであり、また、図１５（Ｃ）は、保留されている単位遊技の権利に基づく変動表示時間が２４０秒未満である場合における主制御基板９２０に保持される取得した単位遊技の権利に関する情報を示す説明図であり、図１５（Ｄ）は、その場合の喫煙情報の出力態様を示すタイミングチャートである。
【０１６３】
パチンコ機１００は、喫煙モードが設定されている場合において、消化中の単位遊技の権利に係る単位遊技又は保留された単位遊技に係る権利に対する大当りの抽選によって所定の大当り、例えば、後述する擬１０Ｒ大当りに当選している場合であって、当該特別遊技状態への移行を確定させることとなった権利に対する変動表示時間に、それ以前に実行される単位遊技の権利に対する変動表示時間（消化中の単位遊技の権利に対する変動表示時間の残り時間を含む）を加えた総変動表示時間が所定の時間（例えば、２４０秒）以上である場合に、喫煙情報を出力する構成としている。具体的には、以下で説明するように、３つの条件のいずれかを満たす場合に喫煙情報を出力する構成とされ、また、満たした条件ごとに喫煙情報を出力するタイミングを異ならせる構成としている。なお、喫煙情報が出力された場合には、所定の大当りに当選していることが確定する。
【０１６４】
まず、第１の条件は、図１４（Ａ）に示すように、第１特別図柄（図中は第１特図と略記）に係る新たに保留された単位遊技の権利（以下において、保留権利と略記する）に対大当りの抽選で、後述する擬１０Ｒ大当りに当選し、かつ、その新たな権利に対する演出の抽選で、２４０秒以上に亘って行われる演出（以下、特定長期演出とも称す）が選択された場合である。第１の条件を満たす場合には、図１４（Ｂ）に示すように、現在実行されている消化中の単位遊技の権利（以下、消化中権利とも称す）、及び、第１保留権利から第３保留権利に対する単位遊技を経て、擬１０Ｒ大当りに当選した第４保留権利に対する単位遊技の開始に伴って、装飾図柄表示装置４７９によって喫煙情報の表示を開始する。なお、各条件の成立は、主制御基板９２０において判定されるが、喫煙情報の表示は、主制御基板９２０からの指示に基づいて、副制御基板９４０が装飾図柄表示装置４７９に行わせる。このとき、喫煙情報の表示を行うか否かは、副制御基板９４０において、喫煙モードが設定されているか否かによって判断される。ここで、擬１０Ｒ大当りは、１０ラウンドで構成され、各ラウンドにおいて下大入賞装置４３３への進入が許容される遊技球の個数（規定数）が多いラウンドと少ないラウンドとを含み、喫煙モードが設定されている場合には、１０ラウンドで構成されていることを認識できるが、禁煙モードが選択されている場合には、規定数の少ない複数の連続するラウンドを１つのラウンドであるかのように見せかけ、本来の１０ラウンドよりも少ないラウンド（例えば、６ラウンド）で構成されていると認識させる大当りである（図２２参照）。
【０１６５】
ここで、喫煙情報の表示態様について詳細に説明する。装飾図柄表示装置４７９において、消化中権利に対する演出（演出番号９４）が実行されている途中で（時刻ｔａ０）、新たに獲得した保留権利に対する演出が特定長期演出である場合、消化中権利及び第１保留権利〜第３保留権利に対する演出（演出番号９４，２３３，３６，３２１）が順次に実行された後、第４保留権利（時刻ｔａ０時点）に基づく単位遊技の開始に伴って、特定長期演出が開始される（時刻ｔａ１）。このとき、装飾図柄表示装置４７９において、禁煙モードが設定されていれば、特定長期演出（演出番号７２１）を表示するが、喫煙モードが設定されていれば、特定長期演出に代えて、又は、それに加えて、喫煙情報を表示する。具体的には、図１４（Ｃ）に示すように、喫煙に好適なタイミングが到来したことを示す情報であって、喫煙情報の一種であるタイミング情報２１（例えば、図中の「一服する」）を表示する構成とし、遊技者に対して離席して喫煙するか否かを判断（以下、喫煙判断とも称す）する機会を与えることを可能にしている。
【０１６６】
更に、装飾図柄表示装置４７９において、特別遊技状態が開始されるまでの時間ＴＡ１（２４４秒）を示す情報であって、喫煙情報の一種である開始時間情報２２をカウントダウンで表示する構成とし、遊技者に対して、大当り（擬１０Ｒ大当り）に当選していることを報知すると共に、安心して離席できる時間を明確に報知することを可能にしている。これによって、喫煙するために確保したい時間に対する要求が、遊技者ごと、又は、同一遊技者であっても前回の喫煙からの間隔等によって異なったとしても、個別の要求を満たし易くなる。なお、開始時間情報２２としては、特別遊技状態が開始されるまでの時間そのものを示す情報に限らず、例えば、時間ゲージの減少によって残り時間を報知する、例えば、１分ごとに色を変化させた時間ゲージを表示し、時間の経過に伴ってその時間ゲージを短くしていく構成であってよいし、後述する喫煙中情報２４における煙草の長さを時間の経過に伴って短くし、灰の量を時間の経過に伴って増加することで残り時間を報知する等、特別遊技状態が開始されるまでの時間を推定できる構成であってもよい。また、開始時間情報２２を連続して表示する場合に限らず、例えば、３０秒ごとに５秒だけ表示する等、断続的に表示する構成であってもよい。
【０１６７】
また、装飾図柄表示装置４７９において、開始時間情報２２に相当する情報３１が記録された情報であって、喫煙情報の一種であるＱＲコード（登録商標）等の記号によって表示されるコード情報２３を表示する構成とし、離席した状態でも開始時間情報に相当する情報３１を遊技者の所持する携帯電話等のモバイル機器３０によって確認できるようにして、残された時間を確認しながら喫煙することを可能にしている。これによって、遊技者は、時間の限り安心して喫煙を堪能することが可能になる。なお、このコード情報２３は、読み込むタイミングによって、実際の残り時間とモバイル機器３０で表示される残り時間とのずれを抑制するために、所定の短い時間（例えば、１０秒間）だけ表示するようにしている（時刻ｔａ１〜時刻ｔａ２）。コード情報２３には、表示が開始された時点での残り時間からコード情報２３が表示される最大時間を差し引いた時間の情報を記録している。モバイル機器３０においては、開始時間情報に相当する情報と共に、時間の経過に合わせて、遊技の進行を示す情報、例えば、特別遊技状態が開始される又は開始されることを示す情報（図中における「結果出たよ！」）や、特別遊技状態が開始されるまでの残り時間が少なくなったことを示す情報（図中における「戻った方がいいかも」）を、アラーム機能や振動機能も利用して報知する。
【０１６８】
また、装飾図柄表示装置４７９において、離席を決断した時点で、「Ｙｅｓ」と表示されたタブ２９Ｙを選択すると（ｔａ１）、喫煙中を示す情報であって、喫煙情報の一種である喫煙中情報２４（左中部等の画面表示において、灰皿に煙の出ている煙草が灰皿に置かれている図案）を表示する（ｔａ２）。一方、離席しないことを決断して、「Ｎｏ」と表示されたタブ２９Ｎを選択すると、禁煙モードにおける演出と同一の演出に切り替わる。また、遊技者が座席に戻り、発射操作装置２５０の発射ハンドル２５２（図１参照）を操作すると、その操作が接触センサ２５４（図１０参照）によって検出され、禁煙モードにおける演出と同一の演出に切り替わる。
【０１６９】
喫煙情報を表示する契機となる第２の条件は、保留権利に対する大当りの抽選で擬１０Ｒ大当りに当選した場合であって、その保留権利に対して選択された演出が特定長期演出でなく、その保留権利を含めて全ての保留権利に対する各変動表示時間の総和が所定の時間（４分）以上となる場合である。図１５（Ａ）に示すように、新たに獲得した保留権利（図中の第４保留権利）によって第２の条件を満たすことになった場合には、図１５（Ｂ）に示すように、装飾図柄表示装置４７９において、時刻ｔｂ０における消化中権利の次に消化対象となる第１保留権利に対する単位遊技の開始（時刻ｔｂ１）に伴って喫煙情報の表示を開始し、擬１０Ｒ大当りに当選した第４保留権利（時刻ｔｂ０時点）に対する単位遊技の終了までに亘って喫煙情報の表示を継続させる。第２の条件を満たした場合の喫煙情報の表示態様は、喫煙情報の開始のタイミングや開始時間情報２２として初期表示される時間ＴＢ１が異なること以外は第１の条件を満たした場合と同様であるために、繰り返しの説明は省略する。
【０１７０】
喫煙情報を表示する契機となる第３の条件は、図１５（Ｃ）に示すように、保留権利に対する大当りの抽選で擬１０Ｒ大当りに当選した場合であって、その保留権利に対して選択された演出が特定長期演出でなく、その保留権利を含めて全ての保留権利に対して選択された各変動表示時間の総和が所定の時間（４分）未満であるが、消化中権利に対する実行中の変動表示時間（演出時間）の残り時間を更に加えた時間が所定の時間以上となる場合である。第３の条件を満たす場合には、装飾図柄表示装置４７９において、消化中権利に対する演出（演出番号９４）の途中から（ｔｃ１）、喫煙情報の表示を開始し、大当りに当選した第４保留権利（時刻ｔｃ０時点）の終了までに亘って喫煙情報の表示を継続させる。第３の条件を満たした場合の喫煙情報の表示態様は、開始のタイミングや開始時間情報２２として初期表示される時間ＴＢ２が異なること以外は第１の条件を満たした場合と同様であるために、繰り返しの説明は省略する。
【０１７１】
上記の３条件を判定するために、パチンコ機１００において、消化中権利があるときに新たに単位遊技の権利を取得した場合に、その新たな単位遊技の権利を所定の個数（４個）までは記憶してその権利に基づく単位遊技の実行を保留する構成であって、新たな保留権利を獲得するたびに、消化中権利に基づく単位遊技の終了を待たずに、大当りの抽選を行って大当りの当否及び種類を決定する構成としている。更に、その大当りの抽選と共に、演出を決定する抽選を行って、第１特別図柄を変動させて表示する変動表示時間をも決定する構成とされている。変動表示時間の決定においては、具体的には、主制御基板９２０における演出を決定する抽選によって演出番号を決定し、主制御基板９２０に記憶されている各演出番号と変動表示時間との対応を規定する演出テーブルを参照して、変動表示時間を決定している。これは、第２特別図柄に関する単位遊技の権利についても同様である。このため、主制御基板９２０において、特定長期演出に対応する演出番号及び変動表示時間を規定するデータを含む演出テーブルを記憶し、単位遊技の権利を獲得した場合に、大当りの抽選に引き続き変動表示時間を決定する演出の抽選を行うプログラムを記憶し、また、特定長期演出に対する演出番号が選択されたか否かを判定するプログラムや、消化中の権利に係る残りの変動表示時間や保留された各単位遊技の権利に係る変動表示時間を加算して所定の時間以上であるか否かを判定するプログラムを記憶している。また、喫煙情報を表示するために、副制御基板９４０において、喫煙情報を構成する開始時間情報等の各種の情報に対応する画像データを記憶し、それらの画像データの出力を制御するプログラムを記憶する構成としている。なお、副制御基板９４０によって実行される演出の演出時間は、主制御基板９２０において決定された変動表示時間に、第１特別図柄を停止した状態で確定表示する確定表示時間（例えば、２秒）を加えた時間となる。これらの制御は、第２特別図柄に関する単位遊技の権利についても同様である。
【０１７２】
なお、喫煙情報を報知する契機は、上記の３つの条件のいずれかの成立に限らず、それらの１つ又は２つの条件を契機としてもよいが、第１の条件を含むことが好ましい。第２の条件及び第３の条件を満たすためには、短期間の間に比較的時間の長い演出に連続して当選しなければならないが、第１の条件を満たす場合には特定長期演出に１回当選すればよく、第１の条件を満たす間隔が第２の条件又は第３の条件を満たす場合よりも一定の間隔に安定し易くなるために、喫煙情報を報知する契機として第１の条件を含む構成とすることで、一定期間において喫煙情報が報知される頻度を安定させることが可能となる。
【０１７３】
また、装飾図柄表示装置４７９において、禁煙モードにおける通常の演出（演出番号９４）に代えて、喫煙モード専用の画像によって喫煙情報を表示する構成に限らず、通常の演出に加えて、又は、暗転させた通常の演出に加えて喫煙情報を表示する等、通常の演出と複合させて喫煙情報を表示する構成としてもよい。
【０１７４】
また、喫煙情報を装飾図柄表示装置４７９による表示によって出力する場合に限らず、喫煙情報を、盤面発光装置４９０による所定のパターンや色の発光によって出力する構成や、喫煙情報を、音響装置２８１，２８２による所定の音楽や音や音声等の音響によって出力する構成としてもよく、また、喫煙情報を表示や発光や音響を組み合わせて出力する構成としてもよい。更に、喫煙情報を出力する専用の装置を新たに設ける構成としてもよい。
【０１７５】
このように、パチンコ機１００の装飾図柄表示装置４７９には、変動表示中において開始時間情報２２が表示される場合があり、その開始時間情報２２の表示によって、遊技者は、大当りに当選することが確定していることを知ることができ、また、休憩に当てることができる時間を知ることができる。このため、大当りの当選を契機として多量の遊技価値を得られる又は得られる可能性が高い状態になったとの安堵感の元で、休憩できる時間を気にし過ぎることなくゆったりとした気分で、喫煙を行うことができる。そして、その喫煙中においても遊技の進行が行われるために、大当り抽選の機会が減少してしまうことを抑制することができる。更に、開始時間情報２２が表示されている状況で、遊技者が不在となっていることを遊技場の店員が認識した場合でも、遊技が進行中で、開始時間情報２２に基づいて遊技者が戻るであろう時間も店員が認識できるので、不在の状況を好適に確認可能とすることができる。
【０１７６】
＜下大入賞装置４３３の動作＞
次に、図１６を参照して、特別遊技状態における下大入賞装置４３３の動作について説明する。図１６は、特別遊技状態における下大入賞装置４３３の動作の一例を示すタイミングチャートである。なお、図１６には、擬１０Ｒ大当りに当選した場合に実行される特別遊技状態が示されている。
【０１７７】
特別遊技状態は、図１６（Ａ）〜（Ｄ）に示すように、第１ラウンドから第１０ラウンドまでの１０ラウンドで構成され、各ラウンドにおいて、下進入規制機構４５３（図７参照）を進入禁止姿勢から進入許容姿勢に移行させ、下大入賞装置４３３への遊技球の進入を許容する状態とし、所定の最大進入許容時間が経過するか、最大進入許容時間が経過する前に所定数（規定数）の遊技球が下大入賞装置４３３に進入した場合に、下進入規制機構４５３を進入許容姿勢から進入禁止姿勢に移行させ、下大入賞装置４３３への遊技球の進入を禁止する状態に戻す。下大入賞装置４３３へ遊技球が進入した場合には、進入した個数に所定の倍率（賞球倍率：１０倍）を掛けた個数の遊技球が払い出される。以下において、下大入賞装置４３３へ遊技球が進入することを入賞と称し、その入賞に基づいて払い出される遊技球を賞球と称して説明する。
【０１７８】
特別遊技状態において、第１ラウンド（時刻ｔｄ２〜時刻ｔｄ４）、第２ラウンド（時刻ｔｄ４〜時刻ｔｄ５）、第７ラウンド（時刻ｔｄ９〜時刻ｔｄ１１）から第１０ラウンド（時刻ｔｄ１４〜時刻ｔｄ１５）に対する規定数（１、２又は６個）を、第３ラウンドから第６ラウンドに対する規定数（１０個）よりも少なく設定し、第１ラウンド、第２ラウンド、第７ラウンドから第１０ラウンドにおいて得られる賞球の獲得可能個数を、第７ラウンドから第１０ラウンドの場合よりも少なくなるように設定している。各ラウンドにおいて、ラウンドが開始されてから、最大進入許容時間の満了によって下進入規制機構４５３が進入許容姿勢から進入禁止姿勢に移行するまでの時間を、規定数が異なる場合であっても同一の時間ＴＤとなるように設定している。このため、主制御基板９２０において、各ラウンドに対する規定数を規定するデータと、各ラウンドにおいて共通である下進入規制機構４５３を進入許容状態から進入禁止状態に移行させるまでの最大継続時間に対応するデータとを記憶し、それらのデータを参照して下進入規制機構４５３の姿勢を変化させる下進入規制ソレノイド４６３の作動を制御するプログラムを記憶している。これによって、規定数の少ないラウンドにおける入賞を諦めれば、一定の損失はあるもののその損失を抑制しつつ、離席可能な時間として一定の離席可能時間を確保することが可能となる。例えば、規定数が１個である第１０ラウンドにおける入賞を諦めたとすると、１０個の賞球を得られないことと引き換えに、第１０ラウンドの最大継続時間（３０秒）に相当する離席可能時間を得ることができ、また、規定数が６個である第７ラウンドにおいて、５個目の遊技球までは入賞させるが６個目の遊技球の入賞を避けた場合には、１０個の賞球を得られないことと引き換えに、第７ラウンドの最大継続時間（３０秒）から５個目の遊技球の入賞までに要した時間（通常、５秒程度）を差し引いた離席可能時間（約２５秒）を得ることができる。
【０１７９】
また、賞球の獲得可能個数の多いラウンドである第６ラウンドの後に、賞球の獲得可能個数の少ないラウンドである第７ラウンド〜第１０ラウンドを連続させる構成として、賞球の獲得可能個数の少ない複数のラウンドに亘って遊技球の入賞を避ける、例えば、賞球の獲得可能個数の少ない第７ラウンド〜第１０ラウンドにおける遊技球の入賞を避けたり、賞球の獲得可能個数の極めて少ない第８ラウンド〜第１０ラウンドにおける遊技球の入賞を避けたり、その第８ラウンド〜第１０ラウンドに加えて遊技球の獲得可能個数の少ない第７ラウンドにおける６個目の遊技球の入賞を避けたりすることによって、遊技球を規定数まで入賞させなかった各ラウンドに対して得られる離席可能時間が累積した長い時間を確保することを可能にしている。
【０１８０】
更に、賞球の獲得可能個数の少ないラウンドである第７ラウンド〜第１０ラウンドの後に、賞球の獲得個数の多いラウンドを設けない構成とし、特別遊技状態においてエンディング演出（図中はＥＤ演出）が行われる時間（時刻ｔｄ１５〜時刻ｔｄ１６）も加えた更に長い時間を確保することを可能にしている。
【０１８１】
長い喫煙時間は確保したいが大きな損失を避けたい喫煙者が入賞を避けて離席する可能性が高い第８ラウンドに対する規定数を２個（複数個）に設定する構成としている。これによって、第７ラウンドにおける入賞のために打ち出した遊技球が、第７ラウンドの終了後に下大入賞装置４３３よりも上流側に残っていたとしても、その遊技球によって第８ラウンドに対する規定数まで入賞してしまうことを抑制できる。また、その第８ラウンドにおいて、第８ラウンドの開始から下進入規制機構４５３を進入許容姿勢に移行させるまでの時間を他のラウンド（例えば、第３ラウンドや第８ラウンド）よりも長く設定する構成としている。これによって、第８ラウンドにおいて、下進入規制機構４５３が進入許容姿勢をとる時期を遅らせることができ、第７ラウンドにおける入賞のために打ち出した遊技球が、第７ラウンドの終了後に下大入賞装置４３３よりも上流側に残っていたとしても、その遊技球が第８ラウンドで入賞してしまうことを更に好適に抑制できる。したがって、意図せず第９ラウンドから入賞を避けることになって、喫煙時間が減ってしまうこと、また、その喫煙時間の減少によって喫煙機会を逸することを好適に抑制できる。
【０１８２】
なお、賞球の獲得可能個数の多いラウンド（第３ラウンド〜第６ラウンド）の後に連続する賞球の獲得可能個数の少ないラウンド（第７ラウンド〜第１０ラウンド）に対して喫煙情報を表示する構成に限らず、賞球の獲得可能個数の多いラウンドの前に連続する賞球の獲得可能個数の少ないラウンド（第１ラウンド及び第２ラウンド）に対して喫煙情報を表示する構成や、それらの双方で喫煙情報を表示する構成であってもよい。また、賞球の獲得可能個数の多いラウンドの前に連続する賞球の獲得可能個数の少ないラウンドを、開始直後のラウンドに配置すれば、離席可能な時間として、オープニング演出が行われる時間（ｔｄ１〜ｔｄ２）を離席可能な期間に含めることもできる。
【０１８３】
＜特別遊技状態における喫煙情報の報知態様＞
次に、図１７を参照して、特別遊技状態における喫煙情報の報知態様について説明する。図１７は、特別遊技状態における喫煙情報の報知態様の推移を表す模式図である。
【０１８４】
装飾図柄表示装置４７９において、喫煙モードが設定されている場合には、第６ラウンドの開始（時刻ｔｄ９）に際して、禁煙モードが設定されている場合に実行される第６演出に代えて、又は、それに加えて、図１７に示すように、喫煙に好適なタイミングが到来したことを示す情報であって、喫煙情報の一種であるタイミング情報２５（例えば、画像４７９ａ，４７９ｂにおける「どうしても一服する」）を表示する構成とし、遊技者に対して離席して喫煙するか否かを判断（以下、喫煙判断とも称す）する機会を与えることを可能にしている。
【０１８５】
また、装飾図柄表示装置４７９において、画像４７９ａ〜４７９ｆに示すように、特別遊技状態が終了するまでの時間を示す情報であって、喫煙情報の一種である終了時間情報２６をカウントダウンで表示する構成とし、遊技者に対して、安心して離席できる時間を明確に報知することを可能にしている。また、終了時間情報２６によって、開始時間情報２２に関して説明したように、所望の喫煙時間を確保できるかの判断材料を与えることも可能にしている。なお、特別遊技状態において、どのタイミングで下大入賞装置４３３への入賞を避けて離席するかについて、遊技者に選択の自由度があるために、通常遊技状態の喫煙情報の表示の場合とは異なり、この時点では、終了時間情報２６に相当する情報を記録したＱＲコード（登録商標）等の記号によって表示されるコード情報２８は表示されない。
【０１８６】
また、装飾図柄表示装置４７９において、画像４７９ａ〜４７９ｆに示すように、離籍するタイミングを遊技者が決定し易くするための情報や、リスクを報知するための情報等を含む補助情報２７を表示する。具体的には、第７ラウンド以降の各ラウンドに対して、最大継続時間を示す情報と、規定数を示す情報（図中の丸印）とを表示する構成としている。これによって、遊技者は、損失とその損失と引き換えに得られる離席時間とを勘案して、どのタイミングで離席するかを自由に決めることができる。
【０１８７】
また、画像４７９ａに示すように、好適な離席タイミングを示す情報（図中の規定数を示す丸印の内側に表示された小さい丸印）を表示する構成としている。具体的には、第７ラウンドにおける左から５つ目の丸印に小さい丸印を付加し（二重丸で表示）、第７ラウンドにおいて５個目までの遊技球は入賞させ、６個目の遊技球の入賞は避けることを薦めている。この場合、５個の遊技球の入賞（第７ラウンドで１個、第８ラウンドで２個、第９ラウンドで１個、第１０ラウンドで１個の合計５個：５０個の賞球）を避ければ、終了時間情報２６で示された時間から、第７ラウンドにおいて５個目の遊技球の入賞を終えるまでの時間（入賞を確認しながら遊技球を打ち出したとしても１０秒程度）を差し引いた時間に亘って、離席することが可能になる。
【０１８８】
また、画像４７９ａと画像４７９ｂとの比較からわかるように、規定数を表す情報を、下大入賞装置４３３への入賞に基づいて、逐次に変化させ（白丸から黒丸への変化）、ラウンド内での入賞の状況を把握できるようにしている。これによって、遊技者は、簡便に、入賞個数を所望の個数に調整することができる。更に、画像４７９ｄ〜４７９ｆに示すように、ラウンドが終了するごとに、入賞させなかった遊技球の個数が把握できる情報（例えば、規定数を示す丸印に重ねて表示された×印）を表示する構成としている。これによって、遊技者は、損失した個数（損失状況）を把握することができ、また、現在、何ラウンド目が実行されているかを把握することもできる。
【０１８９】
離席を決断した時点で、画像４７９ａ，４７９ｂに示す「Ｙｅｓ」と表示されたタブ２９Ｙを選択すると（ｔｄ１０）、通常遊技状態の場合と同様に、喫煙中情報２４を表示すると共に、特別遊技状態の終了までの時間を記録した情報であって、喫煙情報の一種であるコード情報２８を表示する。なお、このコード情報２８は、通常遊技状態において表示されるコード情報２３の場合と同様に、所定の短い時間（例えば、１０秒間）だけ表示するようにしている。また、コード情報２８には、コード情報２３と同様に、表示が開始された時点での残り時間からコード情報２８が表示される最大時間を差し引いた時間に対応する情報を記録している。離席しないことを決断して、画像４７９ａ，４７９ｂに示す「Ｎｏ」と表示されたタブ２９Ｎを選択した場合には、禁煙モードにおける第６演出と同一の演出に切り替わる。
【０１９０】
次に、以上説明したパチンコ機１００の喫煙情報に関連する構成の作用及び効果を説明する。
【０１９１】
パチンコ機１００においては、保留されている保留権利に基づく大当りの抽選の抽選結果に擬１０Ｒ大当り等の大当りが含まれている場合に、その大当りに基づく特別遊技状態が開始するまでの時間に対応する開始時間情報２２を出力する構成としている。これによって、単に、特別遊技状態に当選していることを知り得るのではなく、特別遊技状態の開始までの時間を知り得るために、その時間に亘って安心して離席することができる。また、大当りに当選している保留権利より前に保留された大当りに当選していない単位遊技の権利を消化するための時間を、休憩や喫煙を行う等によって有意義に活用することができる。また、開始時間情報２２によって報知された時間の長さによってどのような休憩を取るかを選択することも可能となり、特に、喫煙者にとっては、その時間が喫煙するための時間として十分であるか好適に判断でき、安心して喫煙場所にて喫煙を堪能することができる。また、喫煙によってリフレッシュした、又は、リラックスした状態で、多量の遊技価値を得られる特別遊技状態を迎えることができ、特別遊技状態における遊技を存分に楽しむことができる。したがって、パチンコ機１００であれば、喫煙者であっても、限られた遊技時間内で抽選等の抽選機会を減らすことなく安心して離席できるようになり、遊技を好適に行えることになる。
【０１９２】
また、パチンコ機１００においては、賞球の獲得可能個数の多いラウンド（第３ラウンド〜第６ラウンド）と、ラウンドが開始されてから下進入規制機構４５３が最大進入許容時間の満了により進入許容姿勢から進入禁止姿勢に移行するまでの時間が賞球の獲得可能個数の多いラウンドと同一であるが、規定数まで入賞させたとしても、賞球の獲得可能個数の多いラウンドの場合よりも賞球の獲得可能個数が少ないラウンドとを含み、賞球の獲得可能個数の多いラウンドの後に、賞球の獲得可能個数の少ないラウンドが複数回連続するような特別遊技状態を発生させる構成としている。これによって、連続する賞球の獲得可能個数の少ないラウンド（第７ラウンド〜第１０ラウンド）において下大入賞装置４３３に遊技球を進入させないことによって、損失を低減しつつ離席できる時間を長く確保することが可能になる。したがって、パチンコ機１００であれば、喫煙者であっても、特別遊技状態の進行を中断させないことで一定の損失はあるものの、限られた遊技時間内での大当りの抽選等の抽選機会を減らすことを抑制しつつ安心して離席できるようになり、遊技を好適に行えることになる。
【０１９３】
また、パチンコ機１００においては、擬１０Ｒ大当りを契機とする特別遊技状態において、その特別遊技状態が終了するまでの時間に対応する終了時間情報２６を出力する構成としている。これによって、単に、特別遊技状態に当選していることを知り得るのではなく、特別遊技状態が終了するまでの時間を知り得るために、その時間に亘って安心して離席することができる。
【０１９４】
＜擬似遊技＞
次に、図２１以降を参照して、遊技球の獲得に寄与しない擬似遊技を行える構成について説明する。擬似遊技は、抽選結果を報知するまでの時間が長い単位遊技において実行可能なものであり、例えば、保留可能な上限まで単位遊技の権利を獲得した後に、遊技者が時間を持て余すことになったり、遊技者が一時的に遊技を止めることで稼動が低下したりすることを抑制するための遊技として設けられている。これにより、時短遊技状態において、短期間で次の大当りを獲得することを防止可能とし、過度に射倖性が高められることを抑えることができる。
【０１９５】
図２１は、遊技盤６００の模式的な正面図である。なお、図２１においては、図７に示す各構成に対する、擬似遊技を行うための構成の相対位置を明確にするために、一部の構成を模式的に示している。また、図２１に示す遊技盤６００において、図７に示す遊技盤４００における場合と同様の役割を果たす部材については、同一参照符号を付し、その相違部分についてのみ詳細に説明する。上記で遊技盤４００として参照して説明した各種の構成は、下記で遊技盤６００として参照して説明する各種の構成に対して適用することができ、また、下記で遊技盤６００として参照して説明する各種の構成は、上記で遊技盤４００として参照して説明した各種の構成に対して適用することができる。
【０１９６】
以下においては、第１特別図柄又は第２特別図柄に係る特別遊技状態の後であって、遊技状態が時短状態（有利変動状態の一種：確変遊技状態又は時短遊技状態）である場合に、擬似遊技を行える構成について説明する。なお、擬似遊技を時短状態で行う場合に限らず、通常遊技状態（第１特別図柄に係る単位遊技）において実行する構成や、有利変動状態と通常遊技状態との双方において実行する構成としてもよい。
【０１９７】
時短状態における最終回（図中は、時短最終回とも称す）の第２特別図柄に係る単位遊技（以下において、単位特図２遊技とも略記する）において、第２特別図柄に係る変動として、所定の時間（例えば、２分）よりも長時間に亘る長期変動（長期演出）を実行する構成としている。また、時短最終回の単位特図２遊技に対する長期変動は、変動表示時間が一定時間に設定される構成としている。このため、主制御基板９２０は、当該単位遊技の長期変動に対応する変動表示時間や演出を規定するデータを記憶し、当該単位遊技の権利の獲得に基づく演出抽選（入賞検知応答処理Ｓ１２１２）で選択された演出番号に対応して決まる変動表示時間に代えて、又は、その演出抽選は行わずに、その長期変動を制御（特別図柄関連処理Ｓ１２１７）するプログラムを記憶している。また、副制御基板９４０は、主制御基板９２０からの指示に基づき、装飾図柄表示装置４７９において、第２特別図柄の変動表示と同様の時間に亘って、第２特別図柄に係る装飾図柄６２を変動表示させる。
【０１９８】
なお、時短最終回の単位特図２遊技において第２特別図柄（装飾図柄６２）の長期変動を実行する構成に限らず、時短状態における他の特定回の単位特図２遊技において長期変動を実行する構成であってもよいし、時短状態において長期変動を発生させる回を抽選によって決定してもよい。また、当該時短状態への移行の契機となった特別遊技状態における所定の条件に基づいて第２特別図柄（装飾図柄６２）の長期変動を実行するか否か、更に、実行する場合には、何回目の単位特図２遊技において実行するかを決定する構成としてもよい。
【０１９９】
遊技盤６００において、図２１に示すように、別途に詳細に説明する擬似入賞装置５０等を含む擬似遊技領域６０１Ｆの少なくとも一部を視認可能な構成としている。このため、遊技盤６００において、普通図柄に係る始動装置４３６、第２特別図柄に係る右始動入賞装置４３２、所定の特別遊技状態において作動する下進入規制機構４５３（下大入賞装置４３３）、及び、所定の特別遊技状態において作動する上進入規制機構４５４（上大入賞装置４３４）は、擬似遊技領域６０１Ｆと前後に重ならないように、図７に示す場合よりも遊技球の流下方向の上流側に移動されている。なお、遊技盤４００に対して、始動装置４３６（役連作動装置４３５）、右始動入賞装置４３２、下進入規制機構４５３及び上進入規制機構４５４の少なくとも一部と前後に重なるように、擬似遊技領域６０１Ｆを基体４０１の背面側に設ける構成としてもよい。
【０２００】
＜擬似遊技領域＞
擬似遊技領域６０１Ｆは、遊技盤６００の基体４０１の裏面側に設けられ、基体４０１に形成された開口を通して、擬似遊技領域６０１Ｆの少なくとも一部を視認可能に構成されている。具体的には、基体４０１に設けられ、基体４０１に形成された開口（又は、切り欠き）を前面側から覆う透明部材４０を通して、擬似遊技領域６０１Ｆに設けられる擬似入賞装置５０を視認可能に構成されている。また、擬似遊技領域６０１Ｆの少なくとも一部を照らす照明装置（図示せず）を設けて、特定の状況下（時短最終回の単位特図２遊技）において、照明装置の照明によって明確に視認できるようにし、特定の状況下以外においては、その照明を消すことによって、視認できなく又は明確には視認できなくして、擬似遊技領域６０１Ｆの存在を遊技者に意識させない構成としている。
【０２０１】
なお、照明によって擬似遊技領域６０１Ｆの視認性を変化させる構成に限らず、透明部材４０に代えて、基体４０１の開口を塞ぐように調光ミラー（図示せず）を設け、調光ミラーに対する光の透過率の制御によって、擬似遊技領域６０１Ｆの少なくとも一部を視認可能にしたり、視認不能にしたりできる構成としてもよい。また、基体４０１の開口を前面側から覆うように透過型の表示装置（図示せず：液晶表示装置や有機エレクトロルミネッセンス表示装置等）を設けて、特定の状況下において演出等を行わず、それ以外の場合には、背後を隠すように演出等を行う構成としてもよい。また、前ブロック１０２の基枠２０１（図３及び図４参照）や中間ブロック１０３の基枠３０１（図３及び図４参照）に、遊技盤６００の前面側において移動可能であり、ギミック演出を行う演出装置（図示せず）を設けて、特定の状況下において、その演出装置を基体４０１の開口が覆われないように配置し、特定の状況下以外において、その演出装置を基体４０１の開口が覆い隠されるように配置することによって、擬似遊技領域６０１Ｆの少なくとも一部を視認可能にしたり、視認不能にしたりできる構成としてもよい。また、一部の期間のみにおいて擬似遊技領域６０１Ｆを明確に視認化できる構成に限らず、常に擬似遊技領域６０１Ｆを視認可能にする構成としてもよい。更に、擬似遊技領域６０１Ｆの全体を基体４０１の裏面側に設ける構成に限らず、擬似遊技領域６０１Ｆの一部、例えば、擬似入賞装置５０を、基体４０１の開口を通して、基体４０１の前面側に突出させる構成としてもよい。
【０２０２】
擬似遊技領域６０１Ｆにおける遊技では、遊技盤６００の背面側に案内され、通常、機外に排出されることになる遊技球を、機外に排出される前に再び利用して行う構成とされている。具体的には、擬似遊技領域６０１Ｆにおける遊技においては、上述の右打ち遊技手法によって打ち出され、遊技盤６００の前面側において中央構造体４２０の右側を通るように遊技球が流下可能な遊技領域（以下において、右遊技領域６０１Ｒとも称す）を流下する遊技球を再び利用する。このため、遊技盤６００における右遊技領域６０１Ｒの前面側において、遊技盤４００の場合と異なり、排出口４０１Ａとは別に、右遊技領域６０１Ｒを流下する遊技球（以下において右流下遊技球とも称す）であって、なんらの装置にも進入しなかった遊技球が進入し、擬似遊技領域６０１Ｆへの入口となる右側排出口６０１Ａを設ける構成としている。また、右遊技領域６０１Ｒの前面側には、一般入賞装置４３９Ａ，４３９Ｂと同様に、遊技球の進入に応じて所定の個数の遊技球が払い出されることになる装置であって、擬似遊技領域６０１Ｆへの入口（以下、特別進入口と称す）となる特別入賞装置６３９を設ける構成としている。
【０２０３】
特別入賞装置６３９は、内部に進入した遊技球を検出する、一般入賞スイッチ４４９Ａ，４４９Ｂ（図１０参照）と同様の特別入賞スイッチ（図示せず）を備えている。特別入賞スイッチによる遊技球の検出状態は、主制御基板９２０（図１２における入賞検知応答処理Ｓ１２１２）によって検知される。このため、主制御基板９２０は、特別入賞スイッチによる遊技球の検出を検知するプログラムが記憶している。なお、遊技球の進入によって遊技球が払い出されない構成とする場合には、副制御基板９４０において、その検出状態を検知する構成としてもよい。
【０２０４】
遊技盤６００において、右流下遊技球が、その大部分であって所定の割合、例えば、５割以上、好ましくは８割以上、更に好ましくは９割以上で、特別入賞装置６３９に進入するように構成されている。また、特別入賞装置６３９に対する賞球倍率（１つの遊技球の進入に対して払い出される遊技球の個数）は、「１（等倍）」に設定されており、右打ち遊技手法で遊技を継続した場合に、遊技球が増加することなく、かつ、遊技球が大幅には減少することのないように（例えば、所定の割合×賞球倍率＝０．５以上で１以下となるように）設定されている。これによって、単位特図２遊技の権利が上限個数（４個）まで保留されている場合に、右打ち遊技手法を継続したとしても、大幅に遊技球を減少させることなく、擬似遊技を行える。また、単位特図２遊技の権利の保留数によらず、第２特別図柄に係る次回の大当りの間隔が長引いたとしても、その期間において、大幅に遊技球が減少することはなく、連続して発生した特別遊技状態で獲得した遊技球を累積していくことができる。
【０２０５】
＜擬似遊技の遊技態様＞
ここで、図２１と共に図２２を参照して、擬似遊技領域６０１Ｆにおける擬似遊技の遊技態様について説明する。図２２は、擬似遊技の遊技態様を示す説明図であって、図２２（Ａ）が、擬似遊技の遊技進行を示すフローチャートであり、図２２（Ｂ）が、装飾図柄表示装置４７９における表示態様を示す模式図である。なお、図２２（Ａ）においては、第４番目に保留されている単位特図２遊技（図中の保４）に対する大当りの抽選で大当りに当選している場合が示されている。
【０２０６】
遊技盤６００を有するパチンコ機１００において、擬似遊技領域６０１Ｆに、擬似入賞装置５０と、特別入賞装置６３９に進入した遊技球を擬似入賞装置５０へ進入可能に案内する案内通路４１と、擬似入賞装置５０から放出された遊技球を案内する放出通路４２とを備える構成としている。擬似入賞装置５０に進入しなかった遊技球や、擬似入賞装置５０に進入した後に、放出通路４２を通して放出された遊技球は、排出口４０１Ａにも連通する上述の回収排出通路（図示せず）を通して機外に排出される。
【０２０７】
案内通路４１は、具体的には、擬似入賞装置５０の上方であって、後述する奥進入規制機構５１によって開閉される進入口に向けて遊技球を落下させるように案内する構成としている。この案内通路４１を形成する部材（図示せず）は、遊技盤６００の背面側に設けられる構成としているが、案内通路４１を形成する部材の少なくとも一部を後ブロック１０４に設ける構成であってもよい。
【０２０８】
案内通路４１は、排出口６０１Ａに進入した遊技球も擬似入賞装置５０へ進入可能に案内する構成とし、排出口６０１Ａをも擬似遊技領域６０１Ｆの入口である特別進入口として利用し、擬似遊技領域６０１Ｆにおける擬似遊技に関与する遊技球を増加させている。更に、第２特別図柄に係る右始動入賞装置４３２の右進入規制機構４５２によって遊技球の進入が規制される進入口をも特別進入口として利用し、擬似遊技領域６０１Ｆにおける擬似遊技に関与する遊技球を更に増加させている。
【０２０９】
普通図柄に係る始動装置４３６は、進入した遊技球を遊技盤６００の前面側に放出する構成とされ、また、擬似遊技領域６０１Ｆにおける擬似遊技が実行可能な期間（以下、擬似遊技期間とも称す）、すなわち、時短最終回の単位特図２遊技が実行されている期間において、下大入賞装置４３３及び上大入賞装置４３４に遊技球が進入することはないために、擬似遊技期間における右流下遊技球の全てを擬似遊技領域６０１Ｆに進入させる構成となっている。下大入賞装置４３３や上大入賞装置４３４の進入口から進入した遊技球も、案内通路４１に進入させ、遊技盤６００の背面側において遊技球を案内する構成を簡素化する構成であるが、擬似遊技期間において、それらの進入口には遊技球が進入しないために、以下においては、特別進入口という場合には、特別入賞装置６３９の進入口や、排出口６０１Ａや、右進入規制機構４５２によって遊技球の進入が規制される進入口を指すこととして説明する。
【０２１０】
なお、特別進入口として、特別入賞装置６３９の進入口と、排出口６０１Ａと、右始動入賞装置４３２の進入口との遊技球が進入可能な口を複数利用する構成であるが、この構成に限らず、特別進入口として、それらのいずれか１つを利用する構成であってもよい。また、普通図柄に係る始動装置４３６を、進入した遊技球を遊技盤６００の背面側に案内する構成として、始動装置４３６の進入口を特別進入口として利用する構成としてもよい。排出口６０１Ａを特別進入口として利用しない場合には、排出口４０１Ａとは別の排出口６０１Ａを設けず、上記の遊技盤４００の場合と同様に、いずれの装置にも進入しなかった右流下遊技球を排出口４０１Ａに進入させる構成であってもよい。また、右始動入賞装置４３２に進入した遊技球を案内通路４１に放出せずに機外に排出するようにし、その進入口を特別進入口として利用しない構成としてもよい。更に、特別入賞装置６３９を備えない構成であってもよいが、特別入賞装置６３９を設け、その進入口を特別進入口として利用する構成とすることが好ましい。この好ましい構成であれば、右打ち遊技手法で遊技を継続した場合に、特別入賞装置６３９への進入割合や賞球倍率の調整によって、遊技球が増加することなく、かつ、遊技球が大幅には減少することのないように簡便に調整することが可能になる。また、普通図柄に係る始動装置４３６を、進入した遊技球を遊技盤６００の背面側に案内すると共に、始動装置４３６への遊技球の進入に基づいて遊技球を払い出す構成として、始動装置４３６への進入割合や賞球倍率の調整に利用する構成としてもよい。
【０２１１】
擬似入賞装置５０は、案内通路４１を流下してきた遊技球が内部へ進入することを禁止する進入禁止姿勢（図２１に示す姿勢）と、その進入を許容する進入許容姿勢とをとることが可能な奥進入規制機構５１と、奥進入規制機構５１の姿勢を変化させる進入規制ソレノイド（図示せず）とを備えている。奥進入規制機構５１が進入禁止姿勢である場合には、奥進入規制機構５１の一部をなす規制板で、案内通路４１と鉛直方向に連通する擬似入賞装置５０の進入口を閉鎖することによって、案内通路４１を通して流下してきた遊技球が擬似入賞装置５０の内部へ進入することを禁止する。規制板の上面は、奥方に向けて下降するように傾斜する構成とされ、案内通路４１を通して流下してきた遊技球は、規制板に衝突して、規制板の上面の傾斜に沿って奥方へ案内される。なお、規制板によって奥方に案内された遊技球は、上述の回収排出通路（図示せず）を通して、パチンコ機１００の外部に排出される。一方、奥進入規制機構５１が進入許容姿勢である場合には、規制板が進入禁止姿勢である場合よりも奥方へ移動し、擬似入賞装置５０の進入口を開放することによって、案内通路４１を通して流下してきた遊技球が擬似入賞装置５０の内部へ進入することを許容する。
【０２１２】
擬似入賞装置５０は、単位特図２遊技の権利が上限個数（４個）まで保留されている場合に、右始動入賞装置４３２に遊技球が進入することを契機として作動する構成としている。具体的には、時短最終回の単位特図２遊技が実行中の場合であって、単位特図２遊技の権利が上限個数まで保留されている場合に、右始動入賞装置４３２に遊技球が進入すると、奥進入規制機構５１が所定の時間ＴＥ１（例えば、１秒）だけ進入許容姿勢をとるように変化する構成としている。具体的には、右始動入賞装置４３２に進入した遊技球の右始動入賞スイッチ４４２（図１０参照）による検出、詳細には、その検出状態がオフ状態からのオン状態となった後にオフ状態へと戻る場合におけるオン状態からオフ状態への変化（立下り）の検出によって、奥進入規制機構５１は、進入禁止姿勢から進入許容姿勢へ変化する。このため、主制御基板９２０において、単位特図２遊技の権利が上限個数（４個）まで保留されている場合であって、右始動入賞装置４３２に遊技球が進入したことを右始動入賞スイッチ４４２の検出状態の変化によって検知した場合に、その旨を副制御基板９４０に通知するプログラムを記憶し、副制御基板９４０において、その通知に基づいて奥進入規制機構５１の姿勢を変化させる奥進入規制ソレノイド（図示せず）の動作を制御するプログラムを記憶する構成としている。
【０２１３】
なお、擬似入賞装置５０を作動させる条件として、単位特図２遊技の権利が上限個数（４個）まで保留されている場合であることを条件に含む構成に限らず、単位特図２遊技の権利が、上限個数未満である所定の個数以上、保留されている場合であることを条件とする構成であってもよい。また、擬似入賞装置５０を作動させる条件として、右始動入賞装置４３２に遊技球が進入することを条件に含む構成に限らず、普通図柄に係る始動装置４３６等の他の既存の装置への遊技球の進入を条件とする構成や、既存の装置とは別に専用の装置（図示せず）を右遊技領域６０１Ｒ又は擬似遊技領域６０１Ｆに設け、その専用の装置への遊技球の進入を条件とする構成としてもよい。
【０２１４】
擬似入賞装置５０は、少なくとも１つ（図中は１個）の特定進入口５２Ｖ及び少なくとも１つ（図中は２個）の非特定進入口５２ａ，５２ｂが形成され、いずれか１つの進入口を通して遊技球を落下させる振分部５２（クルーン）と、擬似入賞装置５０の進入口から進入した遊技球を振分部５２に案内してその上面に放出する放出部５３と、特定進入口５２Ｖに進入した遊技球を検出する擬似始動スイッチ（図２２（Ａ）参照）を備える構成としている。特定進入口５２Ｖに遊技球が進入した場合、擬似始動スイッチによって遊技球が検出され、その検出に基づき、特別図柄や普通図柄に係る単位遊技の権利の場合と同様に、擬似遊技で使用する擬似図柄に係る単位遊技（以下において、単位擬似遊技とも称す）の権利を獲得し、また、その権利は所定の上限個数（４個）まで保留可能とする構成としている。このため、副制御基板９４０において、擬似始動スイッチによる遊技球の検出状態の変化を検知したり、単位擬似遊技に係る保留数（図２２（擬似図柄保留数）の変化を管理したりするプログラムを記憶する構成としている。
【０２１５】
＜擬似図柄の表示態様＞
装飾図柄表示装置４７９において、単位擬似遊技が実行されていない場合には、単位擬似遊技の権利の獲得に同期して、単位特図２遊技の権利に基づいて実行される変動表示とは別の変動表示を開始し、また、単位擬似遊技の権利が保留されている場合には、前回の単位擬似遊技の終了後に、その別の変動表示を開始する構成としている。また、装飾図柄表示装置４７９において、時短最終回の単位特図２遊技又はその後の保留の上限個数に対応する回までの単位特図２遊技（図中の保１〜保４）に対する大当りの抽選の抽選結果に対応した結果を、その抽選結果とは異なる態様で表示する構成としている。具体的には、装飾図柄表示装置４７９において、以下のような表示を行う。
【０２１６】
装飾図柄表示装置４７９において、時短最終回の単位特図２遊技（時刻ｔｅ１〜時刻ｔｅ１）が開始されると（時刻ｔｅ１）、図２２（Ｂ）の左上画像４７９ｇに示すように、第２特別図柄に係る装飾図柄６２を縮小しながら左下隅に移動し、装飾図柄６２を前回の単位特図２遊技（時刻ｔｅ０〜時刻ｔｅ１）に対する停止図柄から変動表示すると共に、単位特図２遊技の権利の保留状態（特図２保留数）を示す特図２保留情報６３も縮小して表示する。また、擬似遊技が行えることを遊技者に報知すると共に、擬似遊技における遊技手法（遊技球の打ち出し方）を報知する擬似遊技可能情報６１を表示する。更に、擬似遊技に係る擬似図柄６４を所定の組み合わせ（画像４７９ｇ中の３４０（製造元の三洋の語呂合わせ））を表示すると共に、単位擬似遊技の権利の保留状態（擬似図柄保留数）を示す擬似保留情報６５を表示する。このため、副制御基板９４０において、擬似図柄６４の画像データやその変動表示及び停止表示の画像データと、擬似図柄６４を変動させたり停止させたりして表示するプログラムを記憶し、また、擬似保留情報６５の画像データを記憶し、擬似保留情報６５を保留状態に応じて変化させて表示するプログラムを記憶し、更に、擬似遊技可能情報６１の画像データを記憶し、その画像データの表示を制御するプログラムを記憶する構成としている。
【０２１７】
装飾図柄表示装置４７９において、奥進入規制機構５１が進入許容姿勢となること（時刻ｔｅ３）によって擬似入賞装置５０の内部に進入した遊技球が、振分部５２の振り分けによって特定進入口５２Ｖに進入（擬似始動スイッチによる検出）し、単位擬似遊技の権利を獲得した場合（時刻ｔｅ４）、図２２（Ｂ）の右上画像４７９ｈに示すように、擬似図柄６４の変動表示を開始する。なお、時短最終回の単位特図２遊技の開始後において、右始動入賞装置４３２への遊技球の進入が検知された場合、単位特図２遊技の権利が最大個数まで保留されていなければ（特図２保留数が「３」以下）、新たに単位特図２遊技の権利を獲得し（特図２保留数が増加）、擬似入賞装置５０の奥進入規制機構５１は作動しない（時刻ｔｅ２）。一方、時短最終回の単位特図２遊技の開始後において、右始動入賞装置４３２への遊技球の進入が検知された場合、単位特図２遊技の権利が上限個数まで保留されていれば（特図２保留数が「４」）、新たに単位特図２遊技の権利を獲得することはなく（特図２保留数の増加なし）、奥進入規制機構５１が作動する（時刻ｔｅ３）。
【０２１８】
装飾図柄表示装置４７９において、初回の単位擬似遊技（時刻ｔｅ４〜時刻ｔｅ６：擬似１）に対して、擬似図柄６４を所定の一定時間（例えば、１０秒）に亘って変動表示した後、擬似図柄６４の組み合わせを停止表示する。単位擬似遊技の権利が保留されている場合には、擬似図柄６４の停止表示を所定の一定時間（例えば、２秒）だけ表示した後に、次回の擬似単位遊技（擬似２）に対する変動表示を開始する。この場合、初回の単位擬似遊技に要する時間は、最短の時間ＴＥ２となる。一方、単位擬似遊技の権利が保留されていない場合には、特定進入口５２Ｖへの遊技球の進入を待って、次回の擬似単位遊技に対する変動表示を開始する。
【０２１９】
装飾図柄表示装置４７９において、次回の単位擬似遊技（擬似２）に対する変動表示の開始に伴って、前回停止表示された擬似図柄６４の組み合わせが、単位擬似遊技における結果履歴を示す結果履歴情報６６に追加される。例えば、左下画像４７９ｉに示すように、３回の単位擬似遊技が終了した場合（時刻ｔｅ７）、初回及び前回の単位擬似遊技に対する擬似図柄６４の組み合わせ（初回「４４２」及び前回「７７８」）を含む結果履歴情報６６に、今回の組み合わせ「１１１」が縮小されて追加される（右下画像４７９ｊ参照）。このため、副制御基板９４０において、単位擬似遊技の結果である擬似図柄６４の組み合わせを、表示された順序を維持しつつ記憶すると共に、その擬似図柄６４の組み合わせを縮小して表示するプログラムを記憶している。
【０２２０】
上記のようにして単位擬似遊技を繰り返すが、時短最終回の単位特図２遊技の終了（時刻ｔｅ１１）までの時間が所定の時間ＴＥ４（例えば、１５秒）以下となる期間（時刻ｔｅ８〜時刻ｔｅ１１）において開始される単位擬似遊技は、それ以前（時刻ｔｅ１〜時刻ｔｅ８）に開始される単位擬似遊技に対して設定された最短の開始間隔（例えば、１２秒：変動表示する一定の時間（１０秒）＋停止表示する一定の時間（２秒））に対応する最小時間ＴＥ２よりも短い時間ＴＥ３（時刻ｔｅ９〜時刻ｔｅ１０）で実行する構成としている。以下において、時短最終回の単位特図２遊技の終了までの時間が所定の時間ＴＥ４以下となる期間（時刻ｔｅ８〜時刻ｔｅ１１）において開始される単位擬似遊技を、短期の単位擬似遊技と称し、それ以外の期間（時刻ｔｅ１〜時刻ｔｅ８）において開始される単位擬似遊技を、通常の単位擬似遊技と称して説明する。時間ＴＥ４は、短期の単位擬似遊技を、単位擬似遊技の権利に対する保留の上限個数と同一回数行うことが可能な時間に設定されている。具体的には、その短期の単位遊技を４回行える最小時間（ＴＥ３×４）以上であって、その最小時間に一回の通常の単位擬似遊技に対する最小時間ＴＥ２を加えた時間（ＴＥ３×４＋ＴＥ２）未満に設定される。このため、副制御基板９４０は、通常及び短期の単位擬似遊技において擬似図柄６４を変動表示させる各一定時間を規定するデータと、通常及び短期の単位擬似遊技において擬似図柄６４を停止表示させる各一定時間を規定するデータと、時間ＴＥ４を規定するデータを記憶し、それらのデータと共に上記の時短最終回の単位特図２遊技を実行する一定時間を規定するデータに基づいて、通常の単位擬似遊技と短期の単位擬似遊技とのいずれを実行するかを決定し、その決定された単位擬似遊技に基づく擬似図柄６４の表示を制御するプログラムとを記憶している。
【０２２１】
また、時短最終回の単位特図２遊技の終了より時間ＴＥ４だけ前の時刻ｔｅ８以降において、特定進入口５２Ｖに進入した遊技球が擬似始動スイッチにより検出されたとしても、単位擬似遊技の権利は獲得できない構成としている。このため、副制御基板９４０において、擬似始動スイッチの検出を無効にする、又は、単位擬似遊技の権利の増加を阻止するプログラムを記憶している。
【０２２２】
時間ＴＥ４を、短期の単位擬似遊技を単位擬似遊技の権利に対する保留の上限個数と同一回数行える時間に設定し、かつ、時刻ｔｅ８以降における追加の単位擬似遊技の権利の獲得を阻止して、時刻ｔｅ８以降に開始される短期の単位擬似遊技の回数を上限個数に対応する回数以下に制限することによって、保留されている単位擬似遊技を時短最終回の単位特図２遊技の実行中であって、装飾図柄６２による遊技結果の表示前に終えることができる。
【０２２３】
なお、通常の単位擬似遊技を行うか短期の単位擬似遊技を行うかを切り替える時期、擬似始動スイッチによる遊技球の検出の無効化を開始する時期を、時短最終回の単位特図２遊技の終了時点を基準として規定する構成に限らず、例えば、時短最終回の単位特図２遊技及びその後に実行される保留中の単位特図２遊技のいずれかの権利に対する大当りの抽選において特別遊技移行当りに当選している場合には、その特別遊技移行当りに当選している単位特図２遊技の終了時点を基準として規定し、特別遊技移行当りに当選していない場合には、保留されている最後の権利に基づく特図２遊技の終了時点を基準として規定する構成としてもよい。
【０２２４】
また、時短最終回の単位特図２遊技の開始（時刻ｔｅ１）に伴って点灯させた照明装置（図示せず）を消灯することで、時刻ｔｅ８に、擬似遊技領域６０１Ｆを視認できない、又は、明確には視認できない状態としている。具体的には、時刻ｔｅ８より更に所定の一定時間ＴＥ５（例えば、１０秒）だけ前から、照明の照度の低下を開始し、徐々に照度を低下させて、擬似始動スイッチによる遊技球の検出の無効化を開始する時刻ｔｅ８に消灯を完了させている。このため、副制御基板９４０において、点灯状態及び消灯状態において照明装置に出力される照明装置の照度に対応する電圧を規定するデータと、照明装置に出力される電圧を徐々に変化させるプログラムとを記憶している。照明を徐々に暗くすることによって、擬似遊技を行える期間の終了が近づいていることを遊技者に知らせることができ、また、擬似始動スイッチによる遊技球の検出の無効化を開始するときには擬似遊技領域６０１Ｆを視認できない又は明確には視認できない状態としているために、特定進入口５２Ｖに遊技球が進入したにも拘らず単位擬似遊技の権利を付与されなかったと遊技者が主張するようなトラブルの発生を抑制することが可能になる。
【０２２５】
装飾図柄表示装置４７９において、通常の単位擬似遊技を行うか短期の単位擬似遊技を行うかを切り替える時刻ｔｅ８よりも前に開始され、その後に終了する通常の単位擬似遊技が終了すると（時刻ｔｅ９）、図２２（Ｂ）の右下画像４７９ｊに示すように、擬似図柄６４を縮小しながら右下隅に移動し、擬似図柄６４を前回の組み合わせから変動表示すると共に、擬似保留情報６５も縮小しながら右下隅に移動して表示する。また、縮小して表示されていた装飾図柄６２を通常の大きさに拡大しながら、擬似図柄６４が表示されていた中央に移動し、装飾図柄６２を前回の単位特図２遊技に対する停止図柄から変動表示すると共に、縮小して表示されていた特図２保留情報６３も通常の大きさに拡大して表示する。このため、副制御基板９４０において、擬似図柄６４を変動させたり停止させたりして表示するプログラムを記憶する構成としている。
【０２２６】
装飾図柄表示装置４７９において、時短最終回の単位特図２遊技の開始後であって、単位特図２遊技の権利を上限個数まで獲得した後、所定の時間に、所定の装置、例えば、役連作動装置４３５、始動装置４３６、又は、右始動入賞装置４３２への遊技球の進入が検知されない場合には、通常の演出の表示に戻す構成としている。これによって、装飾図柄表示装置４７９における表示に対して、遊技者による選択の幅を広げることができ、通常の演出を楽しみたい遊技者等の多様な遊技者の個別の要望を満たすことが可能になる。
【０２２７】
ここで、各単位擬似遊技に対して表示される擬似図柄６４の組み合わせについて説明する。図２２（Ｂ）の画像４７９ｊにおける結果履歴情報６６に示すように、時短最終回の単位特図２遊技又はその後に実行される保留中の単位特図２遊技（図中の保１〜保４）の権利に対する大当りの抽選の結果に特別遊技状態となる大当りや特別遊技状態へ移行することが確定的な小当り（以下において、それらを区別せずに特別遊技移行当りとも称す）に当選している場合、特別遊技移行当りに対応する装飾図柄６２の組み合わせ（同一数字の３つ揃い）と同一の組み合わせを擬似図柄６４によって表示するか否かを単位擬似遊技ごとに抽選によって決定する。この抽選に当選した場合には、装飾図柄表示装置４７９において、擬似図柄６４によって特別遊技移行当りに対応する組み合わせ（同一数字の３つ揃い）を表示する。一方、この抽選に当選しなかった場合には、装飾図柄表示装置４７９において、擬似図柄６４によって特別遊技移行当りに対応する組み合わせとは異なる組み合わせを表示する。このため、副制御基板９４０において、特別遊技移行当りに対応する擬似図柄の組み合わせを表示するか否かを抽選するプログラムを記憶する構成としている。これによって、時短最終回の単位特図２遊技及びその後に実行される保留中の単位特図２遊技（図中の保１〜保４）のいずれかの権利に対する大当りの抽選において特別遊技移行当りに当選している場合、装飾図柄６２による結果表示よりも前において、装飾図柄６２による表示態様よりも複雑な態様によって報知することが可能になり、長期変動表示が行われる時短最終回の単位特図２遊技における遊技性を向上させることが可能となる。なお、時短最終回の単位特図２遊技及びその後に実行される保留中の単位特図２遊技のいずれの権利に対する大当りの抽選においても特別遊技移行当りに当選していない場合には、擬似図柄６４によって特別遊技移行当りに対応する組み合わせ（同一数字の３つ揃い）が表示されることはない。
【０２２８】
また、擬似図柄６４によって特別遊技移行当りに対応する組み合わせを表示する場合に、特別遊技移行当りの一種であり、特別遊技状態における獲得可能個数が多かったり、特別遊技状態後に高確率状態や時短状態等の遊技者にとって有利な状態に移行したり、また、その有利な状態が継続する期間が長かったりする優位な特別遊技状態移行当りに当選している場合であっても、一旦、優位な特別遊技移行当りでない特別遊技移行当りに対応する組み合わせ（例えば、「３」又は「７」の３つ揃い以外）を表示し、その後の単位擬似遊技において、優位な特別遊技移行当りに対応する組み合わせ（例えば、「３」又は「７」の３つ揃い）を表示するか否かを抽選によって決定し、その抽選に当選した場合には、優位な特別状態移行当りに当選していることまで報知することを可能にしている。このため、副制御基板９４０において、優位な特別遊技移行当りに対応する擬似図柄６４の組み合わせを表示するか否かを抽選するプログラムを記憶する構成としている。なお、優位な特別遊技移行当りに当選していない場合には、擬似図柄６４によって優位な特別遊技移行当りに対応する組み合わせが表示されることはなく、優位な特別遊技移行当りとは異なる特別遊技移行当りに対応する組み合わせが繰り返し表示される。これによって、一旦、擬似図柄６４によって、特別遊技状態移行当りに対応する組み合わせが表示されたとしても、優位な特別遊技移行当りに対応する組み合わせが表示される可能性が残っているために、優位な特別遊技移行当りに対応する組み合わせが表示されるまでの更に長い期間に亘って、期待感を維持しつつ遊技を行えるようにすることができる。
【０２２９】
なお、擬似図柄６４による特別遊技状態移行当りに対応する組み合わせを表示する態様としては、単位擬似遊技の実行回数の進行に応じて、特別遊技状態移行当りに対応する組み合わせに近づくように、例えば、「７３７→７４７→７４７→７３５→７６７→７６７→７６７→７７７」、擬似図柄６４の組み合わせを変化させる構成としてもよい。この場合、時短最終回の単位特図２遊技及びその後に実行される保留中の単位特図２遊技のいずれかの権利に対する大当りの抽選において特別遊技移行当りに当選している場合には、擬似図柄６４の組み合わせの変化を、当選していない場合に比べて高い確率で行い、特別遊技移行当りに対応する組み合わせを表示可能にする。なお、当選していない場合には、擬似図柄６４によって特別遊技移行当りに対応する組み合わせが表示されることがないようにする。
【０２３０】
また、擬似図柄６４による特別遊技状態移行当りに対応する組み合わせを表示する態様としては、装飾図柄６２によって表示される特別遊技移行当りと同一又は類似する組み合わせを擬似図柄６４によって直接的に表示する構成に限らず、特別遊技移行当りに当選していることを、装飾図柄６２によって表示される特別遊技移行当りの組み合わせとは異なる組み合わせを擬似図柄６４によって表示することによって、確定的に報知又は示唆する構成としてもよい。例えば、特別遊技移行当りに当選している場合に、装飾図柄６２によって表示された場合にハズレに対応する組み合わせ（例えば、「８２０」）を、擬似図柄６４によって所定回数（例えば、５回）の単位擬似遊技に亘って連続して表示することで、その当選を確定的に報知することを可能にしたり、その当選が確定する連続表示の回数以下の回数（例えば、３回）に亘る連続した表示を、当選していない場合に比べて高頻度で発生させることによって、その当選を示唆することを可能にしたりする。この構成を採用した場合、一回の擬似図柄６４の組み合わせの表示によって特別遊技移行当りの当選を報知する構成に比べて、期待感を維持しつつ擬似遊技を長く楽しませることができる。また、例えば、特別遊技移行当りに当選している場合に、装飾図柄６２によって表示された場合にハズレに対応する組み合わせであって所定の語呂合わせに対応する組み合わせ（例えば、「最高」の語呂合わせである「３１５」）を、擬似図柄６４によって表示することで、その当選を確定的に報知することを可能にしたり、その当選が確定する語呂合わせの組み合わせとは異なる語呂合わせの組み合わせを、当選していない場合に比べて高頻度で発生させることによって、その当選を示唆することを可能にしたりする。この場合であっても、期待感を維持しつつ擬似遊技を長く楽しませることができる。
【０２３１】
また、時短最終回の単位特図２遊技及びその後に実行される保留中の単位特図２遊技のいずれかの権利に対する大当りの抽選において特別遊技移行当りに当選している場合に、いずれの権利に基づくか当選かを明確にすることなく、その当選を報知したり示唆したりする構成に限らず、いずれの単位特図２遊技の権利に対して当選しているかまで報知する構成としてもよい。例えば、装飾図柄表示装置において、装飾図柄６２によって特別遊技移行当りに当選していることが確定的に報知される場合に、その報知と共に、又は、その報知の後に、特図２保留情報６３における所定の部分を、保留状態を示す場合と異なる態様で表示する。具体的には、装飾図柄６２による結果表示がなされるときに、時短最終回の単位特図２遊技の大当りの抽選で特別遊技移行当りに当選していた場合には、特図２保留情報６３における全ての丸印を、通常の色（例えば、黒、青、黄、緑、赤）や模様（例えば、塗り潰し）とは異なる色（例えば、金色）や模様（例えば、水玉模様）で表示し、保留権利に係る単位特図２遊技の大当りの抽選で特別遊技移行当りに当選していた場合には、当選した保留権利に対応する丸印を通常の色や模様とは異なる色や模様で表示する。
【０２３２】
また、例えば、いずれの権利に対する大当りの抽選で特別遊技移行当りに当選したかを、時短最終回の単位特図２遊技が実行される期間における擬似図柄６４の組み合わせの推移態様を変化させることで報知又は示唆する構成としてもよい。例えば、特別遊技移行当りに当選した単位特図２遊技が時短最終回である場合と、第１保留である場合と、第２保留である場合と、第３保留である場合と、第４保留である場合とに対して、上記で説明したような、１回の特別状態移行当りに対応する組み合わせを表示することで、その当選を報知することを可能にする推移態様や、特別状態移行当りに対応する組み合わせに近づけてく表示によって、その当選を報知することを可能にする推移態様や、特別状態移行当りに対応する組み合わせとは異なる組み合わせを連続させることで、その当選を報知したり示唆したりすることを可能にする推移態様や、所定の語呂合わせに対応する組み合わせの表示によって、その当選を報知したり示唆したりすることを可能にする推移態様とを含む複数種類の推移態様のうち異なる推移態様を対応付ける。
【０２３３】
また、単位擬似遊技の進行において、擬似図柄６４の変動表示を開始し、その後に擬似図柄６４の変動を停止させて結果を表示する構成に限らず、擬似図柄６４の表示時点でそれらを変動表示させ、各単位擬似遊技の開始において、変動表示されている擬似図柄６４を停止させて所定の期間に亘り結果を表示し、引き続き新たな変動表示を開始する構成としてもよい。
【０２３４】
また、擬似図柄６４として、第２特別図柄に係る装飾図柄６２と異なる意匠を用いる構成に限らず、新たな擬似図柄６４を用いず、その装飾図柄６２と同一の意匠を用いる構成としてもよい。この構成を採用する場合、同一の装飾図柄６２による変動表示の態様を、単位特図２遊技の場合（例えば、上から下への図柄の移動による図柄の変化）と、単位擬似遊技の場合（例えば、同一箇所での１回転による図柄の変化）とを異ならせる構成とし、単位擬似遊技に係る表示であるか、単位特図２遊技に係る表示であるかを遊技者に明確に報知することが好ましい。
【０２３５】
また、擬似図柄６４として、第２特別図柄に係る図柄と同一の種類の図柄（数字）を用いる構成に限らず、第２特別図柄に係る図柄とは異なる種類の図柄、例えば、英字（正しい綴りの発生で大当り示唆）や、漢字（正しい四字熟語の完成で大当りを示唆）等を用いる構成であってもよい。この場合、実行中又は保留中の単位特図２遊技の権利に対する大当りの抽選の結果に特別遊技移行当りが含まれる場合と含まれない場合とで、正しい綴りの単語が表示される確率や、正しい四字熟語が表示される確率を変化させる構成とすれば、知力を向上させる学習効果を付与したり、擬似遊技で与えられる情報を正しく理解するための学習を促したりすることもできる。更に、単位擬似遊技において、擬似図柄６４の組み合わせによって情報を付与する構成に限らず、所定の画像、例えば、キャラクタが散歩中や冒険中に、単位擬似遊技ごとに人や看板や広告等に遭遇する演出を行って、その遭遇したもの種類や大きさや数や内容等の画像によって、所定の情報を付与する構成としてもよい。
【０２３６】
また、時短最終回の単位特図２遊技において、縮小させた装飾図柄６２や特図２保留情報６３の表示を通常の表示に戻す構成に限らず、特別遊技移行当りに当選している場合には、その当選に基づく特別遊技状態の終了後に戻す構成としてもよいし、時短最終回の単位特図２遊技の終了時点で保留されている全ての単位特図２遊技の終了後に戻す構成としてもよい。
【０２３７】
また、単位擬似遊技において、装飾図柄表示装置４７９に、第２特別図柄に係る装飾図柄６２及び単位特図２遊技の権利の保留状態等の単位特図２遊技に関連する情報を表示する構成に限らず、それらの情報を表示しない構成としてもよい。
【０２３８】
次に、以上説明したパチンコ機１００の擬似遊技に関連する構成の作用及び効果を説明する。
【０２３９】
上記のパチンコ機１００においては、特定進入口５２Ｖを設け、単位特図２遊技の権利の獲得に基づいて実行される装飾図柄６２の変動表示とは別の変動表示を装飾図柄表示装置４７９で行うが、当該別の変動が開始される前に獲得された消化中及び保留されている単位特図２遊技の権利に対する大当りの抽選の抽選結果が特別遊技移行当りを含むか否かを示唆又は告知する表示結果を表示する構成としている。このため、単位特図２遊技の権利が上限個数まで保留されており、新たな単位特図２遊技の権利を獲得できない場合であっても、特定進入口５２Ｖへ遊技球を進入させることを目指す擬似遊技を行うことを促進することができる。これによって、新たに単位特図２遊技の権利を獲得する遊技を行う必要がない状況であっても、擬似遊技により時間を持て余すことなく遊技を続行することができる。
【０２４０】
また、上記のパチンコ機１００においては、第２特別図柄に係る単位遊技の権利が上限個数まで保留されている場合（所定の上限個数まで抽選結果が記憶されている場合）において、その権利を獲得するための条件を成立させるために用いられる第２特別図柄に係る右始動入賞装置４３２へ遊技球が進入した場合に、特定進入口５２Ｖへ遊技球が進入し易い進入許容姿勢をとる奥進入規制機構５１（進入容易状態発生手段）を備える構成としている。このため、所定の始動条件の成立に基づく抽選の抽選結果が上限まで記憶され、新たな始動条件が成立しない場合であっても、始動条件と同一の条件の成立によって進入口への遊技球が容易な状態とすることによって、特定進入口５２Ｖへの遊技球の進入を目指す遊技を行うことを促進することができる。これによって、新たに所定の始動条件を成立させるための遊技を行わなくてよい状況であっても、時間を持て余すことなく遊技を続行することができる。
【０２４１】
＜突出誘導部＞
次に、パチンコ機１００は、右始動入賞装置４３２（図７参照）に流入し、右始動入賞装置４３２を通過して基体４０１の背面側から流出した遊技球を好適に誘導可能な構成とされており、図２３以降を参照して、この遊技球を誘導する突出誘導部８１について説明する。
【０２４２】
図２３は、基体４０１へ取り付けられる右始動入賞装置４３２及び突出誘導部８１を正面側から見た斜視図であり、図２３（Ａ）が取り付け前の状態を示し、図２３（Ｂ）が取り付け後の状態を示している。なお、図２３において、基体４０１については、右始動入賞装置４３２及び突出誘導部８１を取り付けるための貫通孔４０１Ｈの近傍部分を楕円形状に切り出した一部分のみを示している。また、図２４には、下大入賞装置４３３（図７参照）及び上大入賞装置４３４（図７参照）を含む大入賞装置ユニット４３０の一部を模式的に示している。
【０２４３】
図２３（Ａ）に示すように、突出誘導部８１は、右始動入賞装置４３２と一体化することが可能な構成としている。具体的には、突出誘導部８１は、右始動入賞装置４３２に支持される誘導部材８０の一部で構成され、誘導部材８０を右始動入賞装置４３２で支持することで、右始動入賞装置４３２と一体化される。なお、突出誘導部８１や誘導部材８０の詳細な構造や配置については、図２５を参照して後述する。突出誘導部８１は、基体４０１（遊技領域形成部材）への右始動入賞装置４３２の取り付けに付随して、右始動入賞装置４３２と一体化された状態で基体４０１に取り付けられる。
【０２４４】
突出誘導部８１及び右始動入賞装置４３２が取り付けられる基体４０１は、遊技球が流下する遊技領域の後方側の少なくとも一部を構成する板状部４０１Ｆと、板状部４０１Ｆに貫通して形成された貫通孔４０１Ｈ（取付穴）とを備えている。貫通孔４０１Ｈを通して取り付けられる右始動入賞装置４３２は、基体４０１の前面側から貫通孔４０１Ｈに挿入され、図２３（Ａ）と図２３（Ｂ）との比較から分かるように、貫通孔４０１Ｈの内側部分に一部が配置された状態で設けられる。右始動入賞装置４３２は、遊技領域を流下する遊技球が進入可能に上方側に開口した一対の可動片７１（開口部）の間を通して流入した遊技球を、遊技球が通過可能な内部通路７２（球通過部）を通して基体４０１の板状部４０１Ｆに対して背面側（後側）に誘導し、その後、基体４０１の背面側で右始動入賞装置４３２から流出させる。
【０２４５】
基体４０１には、突出誘導部８１及び右始動入賞装置４３２を取り付けるための貫通孔４０１Ｈに加えて、下大入賞装置４３３及び上大入賞装置４３４を統合した大入賞装置ユニット４３０を取り付けるための貫通孔４０１Ｊが形成されている。貫通孔４０１Ｊを通して取り付けられる大入賞装置ユニット４３０は、基体４０１の前面側から貫通孔４０１Ｊに挿入され、貫通孔４０１Ｈの内側に一部が配置された状態で設けられる（図２４参照）。
【０２４６】
大入賞装置ユニット４３０には、遊技球が通過可能な通路であって、基体４０１の背面側において右始動入賞装置４３２から流出した遊技球を受け取り可能な受取通路４３０Ａが上方側に開口し、上下方向において貫通するようにして形成されている。突出誘導部８１は、右始動入賞装置４３２の内部通路７２を通して流出する遊技球を、大入賞装置ユニット４３０の受取通路４３０Ａに流入させるように誘導する。
【０２４７】
ここで、図２４から図２６を参照して、突出誘導部８１の構造及び配置について説明する。図２４は、基体４０１へ取り付けられた右始動入賞装置４３２及び突出誘導部８１を背面側から見た斜視図である。図２５は、右始動入賞装置４３２及び突出誘導部８１の取り付け過程を示す図７におけるＹ１−Ｙ１断面による断面図であり、図２５（Ａ）が取り付け前を示し、図２５（Ｂ）が取り付け途中を示し、図２５（Ｃ）が取り付け後を示している。図２６は、右始動入賞装置４３２及び突出誘導部８１の取り付け過程を示す図７におけるＹ２−Ｙ２断面による断面図である。
【０２４８】
突出誘導部８１は、図２４に示すように、貫通孔４０１Ｈに対して前後方向において重ならない外側部分に突出し、板状部４０１Ｆに対して後側に重なる位置に配置されて内部通路７２を通過した遊技球に接触して鉛直下方側（所定の方向側）に遊技球を誘導可能な構成としている。具体的には、突出誘導部８１は、板状部４０１Ｆに対して後側に重なる部分であって、離間して配置される右始動入賞装置４３２と大入賞装置ユニット４３０との基体４０１の背面側における隙間に配置されている。
【０２４９】
また、突出誘導部８１は、図２６に示すように、右始動入賞装置４３２の内部通路７２において遊技球の流下方向の下流側で遊技球を鉛直下方側に案内する通路部分７２ｃから、大入賞装置ユニット４３０において、右始動入賞装置４３２の通路部分７２ｃの鉛直下方側に離隔して形成され、遊技球を鉛直下方側に案内する受取通路４３０Ａに向けて、鉛直下方側に遊技球を誘導する。詳細には、突出誘導部８１は、基体４０１の背面から遊技球の直径よりも遠くに離隔し、その背面に略平行で左右方向の長さが遊技球の直径よりも長い奥壁８１Ｂと、奥壁８１Ｂの左端及び右端から基体４０１の背面に向かって延出し、基体４０１の背面までの間隔が遊技球の直径より小さくなるように設けられる一対の側壁８１Ｓの一部であって、板状部４０１Ｆに対して後側に重なる位置に配置される部分で構成される。
【０２５０】
奥壁８１Ｂは、基体４０１から離間する方向への遊技球の移動を規制する。一対の側壁８１Ｓは、左右方向の遊技球の移動を規制する。通路部分７２ｃから流出した後に鉛直方向から外れた方向に向かって進行した遊技球は、奥壁８１Ｂや一対の側壁８１Ｓや基体４０１の背面に接触することで、鉛直下方側に誘導される。
【０２５１】
ここで、右始動入賞装置４３２と大入賞装置ユニット４３０は、近接して配置される場合であっても、右始動入賞装置４３２の作動頻度と、大入賞装置ユニット４３０に含まれる下大入賞装置４３３や上大入賞装置４３４の作動頻度が異なり、それらに対する故障の発生頻度や保守点検すべき頻度が異なるため、故障時や保守点検時に個別に取り外しを行えるように、別体として取り付けられることが好ましい。この場合において、基体４０１に設けられる貫通孔４０１Ｈと貫通孔４０１Ｊは、ルータ加工による形成の際や右始動入賞装置４３２や大入賞装置ユニット４３０の取り付けの際に板状部４０１Ｆに欠けが発生することを防止できる強度を保つために、所定の距離以上離して形成する必要がある。このため、右始動入賞装置４３２と大入賞装置ユニット４３０とを出来る限り近づけて配置したとしても、右始動入賞装置４３２における通路部分７２ｃの出口と大入賞装置ユニット４３０における受取通路４３０Ａの入口との間は、その所定の距離以上、離隔することになる。
【０２５２】
突出誘導部８１を設けない場合、通路部分７２ｃから流出した遊技球が受取通路４３０Ａに進入させられない場合が生じたり、通路部分７２ｃから流出した遊技球が受取通路４３０Ａを形成する部材とその入口部分の角で衝突することによって、その遊技球を円滑には受取通路４３０Ａに進入させられなかったり、通路部分７２ｃと受取通路４３０Ａとの隙間に嵌まり込んだ遊技球とその上に堆積する遊技球によって、通路部分７２ｃから受取通路への遊技球の流下が堰き止められたりする場合が生じてしまう可能性が高くなる。突出誘導部８１を設けることによって、そのような不具合の発生を未然に防止し、しかも、通路部分７２ｃから受取通路４３０Ａへ遊技球を円滑に流下させることが可能となる。
【０２５３】
突出誘導部８１は、右始動入賞装置４３２を基体４０１に取り付ける場合において、右始動入賞装置４３２と予め一体化された状態で貫通孔４０１Ｈに、その前面側（前側）から背面側（後側）に向けて進入させることができる構成とされている。このため、右始動入賞装置４３２の取り付けと同時に、突出誘導部８１を基体４０１に取り付けることができる。
【０２５４】
ここで、図２５を主に参照して、基体４０１への突出誘導部８１の取り付けの詳細について説明する。突出誘導部８１は、右始動入賞装置４３２を基体４０１に取り付ける場合において、右始動入賞装置４３２と予め一体化された状態で貫通孔４０１Ｈに、その前面側（前側）から背面側（後側）に向けて進入させることができる構成とされ、右始動入賞装置４３２の取り付けと同時に、突出誘導部８１を取り付けることができる。具体的には、突出誘導部８１を含む誘導部材８０は、図２５（Ａ）に示すように、突出誘導部８１と、右始動入賞装置４３２に支持される支持部８２と、突出誘導部８１と支持部８２を接続する接続部８３とを備えており、支持部８２によって、右始動入賞装置４３２に対して所定の角度範囲で回動可能に支持され、支持部８２周りの回動による誘導部材８０の姿勢変化によって、右始動入賞装置４３２に対する突出誘導部８１の相対位置を変化させることができる構成としている。突出誘導部８１は、図２５（Ｂ）に示すように、貫通孔４０１Ｈの内側を突出誘導部８１が通過する状況において、貫通孔４０１Ｈの内側を通過可能な位置（以下においては、通過中位置とも称す：第１位置）に配置され、また、突出誘導部８１が貫通孔４０１Ｈを通過した後に、通過中位置から貫通孔４０１Ｈに対して外側部分に突出するように変位し、図２５（Ｃ）に示すように、貫通孔４０１Ｈの外縁における板状部４０１Ｆの後側に重なる位置（以下においては、通過後位置とも称す：第２位置）に配置される構成としている。
【０２５５】
以下に、基体４０１に右始動入賞装置４３２及び突出誘導部８１を取り付ける場合における突出誘導部８１の位置（誘導部材８０の姿勢）の変化について時系列に沿って説明する。
【０２５６】
図２５（Ａ）に示すように、誘導部材８０を指等による押圧によって支持部８２周りに回転させて、突出誘導部８１を、基体４０１の貫通孔４０１Ｈの内側（内側部分）から突出しない通過中位置をとる状態にする。突出誘導部８１を通過中位置に変位させた状態で、突出誘導部８１の後端を貫通孔４０１Ｈに挿入する。突出誘導部８１の後端が貫通孔４０１Ｈに挿入されれば、図２５（Ｂ）に示すように、通過中位置を維持するための押圧を止めたとしても挿入を継続することができ、突出誘導部８１は、その下端の一部と貫通孔４０１Ｈの周縁壁とが当接する位置を自重によって変化させながら、貫通孔４０１Ｈを通過していく。最終的に、図２６（Ｃ）に示すように、右始動入賞装置４３２及び突出誘導部８１を所定の位置まで貫通孔４０１Ｈを通して挿入し、突出誘導部８１が貫通孔４０１Ｈを通過すれば、誘導部材８０の自重による支持部８２周りの回転によって、接続部８３が貫通孔４０１Ｈと当接した状態となり、突出誘導部８１は、貫通孔４０１Ｈに対して前後方向に重ならない外側部分に突出して、板状部４０１Ｆに対して後側に重なる位置に配置される。
【０２５７】
次に、図２５及び図２６を主に参照して、突出誘導部８１による作用及び効果について説明する。パチンコ機１００は、図２５に示すように、右始動入賞装置４３２を通過した遊技球に接触して所定の方向側に遊技球を誘導可能な突出誘導部８１を基体４０１に取り付ける場合に、突出誘導部８１を右始動入賞装置４３２と一体化した状態で貫通孔４０１Ｈを通して基体４０１の正面側から背面側に通過させることが可能であり、その通過後に、貫通孔４０１Ｈの内側部分を通過する通過中位置（図２５（Ａ）及び図２５（Ｂ）参照）から変位させて貫通孔４０１Ｈに対して前後方向において重ならない外側部分に突出可能な構成としている。
【０２５８】
これによって、図２６に示すように、突出誘導部８１を板状部４０１Ｆに対して後側に重なる部分であって、右始動入賞装置４３２と大入賞装置ユニット４３０との間に配置することが可能となり、このように配置された突出誘導部８１によって、右始動入賞装置４３２を通過した遊技球を、板状部４０１Ｆに対して後側に重なる部分において、大入賞装置ユニット４３０の受取通路４３０Ａに進入させるように、鉛直方向側に円滑に誘導することができる。
【０２５９】
また、右始動入賞装置４３２の取り付けとは別の作業によって突出誘導部８１を取り付けなくてもよく、右始動入賞装置４３２及び突出誘導部８１を取り付ける過程で、右始動入賞装置４３２に対する突出誘導部８１の位置にズレが生じることを抑制できる。したがって、突出誘導部８１を所定の位置に高精度で配置することが可能となり、このように配置された突出誘導部８１によって、右始動入賞装置４３２を通過した遊技球を所定の方向側に高精度で誘導することができる。
【０２６０】
また、右始動入賞装置４３２を取り付ける貫通孔４０１Ｈとは異なる貫通孔４０１Ｊを通して取り付けられる大入賞装置ユニット４３０が右始動入賞装置４３２の近隣に配置され、大入賞装置ユニット４３０と右始動入賞装置４３２との間であって板状部４０１Ｆに対して後側に重なる部分に狭い空間しか確保できない場合であっても、その狭い空間に突出誘導部８１を配置することが可能となり、その狭い空間内において、右始動入賞装置４３２を通過した遊技球を大入賞装置ユニット４３０に形成された受取通路４３０Ａに向かわせるように誘導することが可能になる。したがって、右始動入賞装置４３２における内部通路７２と大入賞装置ユニット４３０の受取通路４３０Ａとの相対位置、例えば、内部通路７２の出口と受取通路４３０Ａの入口の間隔や、内部通路７２の出口からの遊技球の流出方向や、受取通路４３０Ａの入り口への遊技球の流入方向に対する制約を低減でき、右始動入賞装置４３２を配置する位置に対する自由度や、右始動入賞装置４３２における内部通路７２の経路設計に対する自由度を高めることも可能になる。
【０２６１】
ここで、突出誘導部８１を含む誘導部材８０の他の特徴的な構成について説明する。
【０２６２】
誘導部材８０は、右始動入賞装置４３２に支持される支持部８２が、図２５及び図２６に示すように、基体４０１よりも前面側で支持される構成であって、基体４０１の背面側や貫通孔４０１Ｈの内側部分で支持する場合に比べて、支持部８２から突出誘導部８１までの距離を長くして突出誘導部８１の可動域を広く確保し、貫通孔４０１Ｈに対して前後方向において重ならない外側部分に突出する突出誘導部８１の突出量を大きくすることが可能な構成としている。
【０２６３】
また、誘導部材８０は、右始動入賞装置４３２が基体４０１の板状部４０１Ｆにねじ等（図示せず）によって固定された後において、突出誘導部８１の位置（誘導部材８０の姿勢）の変化を防止する位置規制部８４を有する構成としている。具体的には、誘導部材８０は、位置規制部８４として、図２４に示すように、接続部８３から下側に向けて突出し、板状部４０１Ｆの前面と接触可能な突片が形成されている。これによって、右始動入賞装置４３２及び誘導部材８０を貫通孔４０１Ｈから抜脱する方向へのそれらの移動を伴わなければ、誘導部材８０を支持部８２周りに回転させること、すなわち、突出誘導部８１の位置を変化させることができなくなる。また、位置規制部８４を設けることによって、右始動入賞装置４３２に対する誘導部材８０の自重による回転性が低下している場合であっても、右始動入賞装置４３２及び誘導部材８０を貫通孔４０１Ｈに挿入する過程で、位置規制部８４が板状部４０１Ｆに接触することで、突出誘導部８１を通過中位置から通過後位置へ変位させることができる。
【０２６４】
なお、上記においては、突出誘導部８１が右始動入賞装置４３２において鉛直方向に延びる通路部分７２ｃから鉛直方向からずれた方向に放出される遊技球を鉛直下方側に誘導する誘導路８１Ａを形成する構成を例示して説明したが、鉛直方向に対して傾斜する通路又は湾曲する通路を形成し、その通路に沿って鉛直方向とは異なる方向側に遊技球を誘導する構成や、通路部分７２ｃの出口の鉛直下方に、鉛直方向に対して傾斜する壁を形成し、当該壁に遊技球を衝突させることによって、鉛直方向とは異なる方向側に遊技球を誘導する構成としてもよい。
【０２６５】
また、上記においては、誘導部材８０を支持部８２の周りに回転させることによって、支持部８２や右始動入賞装置４３２に対して、突出誘導部８１の相対位置を変化させる構成を例示して説明したが、支持部８２は右始動入賞装置４３２に対して回転不能に支持されるが、突出誘導部８１と支持部８２とを接続する接続部８３が可撓性を有する構造とし、接続部８３を撓ませることで突出誘導部８１の相対位置を変化させ、突出誘導部８１が貫通孔４０１Ｈを通過することができる構成としてもよい。
【０２６６】
また、上記においては、基体４０１の表面に沿った左右方向を回転軸とする回動によって、突出誘導部８１が正面視で上下方向に変位する構成を例示して説明したが、基体４０１の表面に沿った左右方向とは異なる方向を回転軸とする回動によって、突出誘導部８１を正面視で左右方向又は斜め方向に変位させる構成としてもよい。更に、上記においては、突出誘導部８１が所定の方向を回転軸とする回動によって変位する構成を例示して説明したが、誘導部材８０が所定の方向に直線的に移動することによって、突出誘導部８１を変位させる構成としてもよい。
【０２６７】
また、上記においては、誘導部材８０は、右始動入賞装置４３２を構成する前部材７３と中間部材７４とで支持部８２を挟み込むことによって着脱不能に一体化される構成を例示して説明したが、誘導部材８０は、例えば、右始動入賞装置４３２と誘導部材８０とを一時的に係合させることが可能な構成とし、右始動入賞装置４３２と着脱可能に一体化できる構成としてもよい。
【０２６８】
また、上記においては、右始動入賞装置４３２に対する突出誘導部８１の位置（誘導部材８０の姿勢）を自立して維持できるように支持部８２の回転に対する摩擦を大きく設定し、基体４０１に右始動入賞装置４３２及び誘導部材８０を挿入する過程で、位置規制部８４を板状部４０１Ｆ又は板状部４０１Ｆに設けられた他の部材（図示せず）に接触させることによって、誘導部材８０の姿勢を変化させ、突出誘導部８１を通過後位置に変位させる構成としてもよい。
【０２６９】
また、上記においては、大入賞装置ユニット４３０における内部通路７２の出口（通路部分７２ｃの出口）と右始動入賞装置４３２における受取通路４３０Ａの入口へ遊技球を誘導するために、内部通路７２の出口と受取通路４３０Ａの入口との間であって、板状部４０１Ｆに対して後側に重なる部分において遊技球を誘導可能な突出誘導部８１を設ける構成を例示して説明したが、突出誘導部８１に加えて、突出誘導部８１に連続して形成され、貫通孔４０１Ｈや貫通孔４０１Ｊに対して前後方向に重なる内側部分（板状部に対して後側に重ならない部分）において遊技球を誘導可能な非突出誘導部を含む構成としてもよい。
【０２７０】
また、上記においては、右始動入賞装置４３２の取り付けにおいて、右始動入賞装置４３２に対して突出誘導部８１の相対位置を変化させることで、突出誘導部８１が貫通孔４０１Ｈを通過することを可能にする構成であるが、右始動入賞装置４３２と突出誘導部８１との相対位置は変化しないが、右始動入賞装置４３２の取り付けにおいて、右始動入賞装置４３２や突出誘導部８１を挿入する角度を、挿入による前後方向の移動に伴って変化させることで、突出誘導部８１が貫通孔４０１Ｈを通過することを可能にする構成であってもよい。
【０２７１】
また、上記においては、右始動入賞装置４３２が基体４０１に一旦取り付けられると、右始動入賞装置４３２に対する前面側からの操作によっては、右始動入賞装置４３２及び誘導部材８０を抜脱することができない構成であるが、取り付け時と反対方向への右始動入賞装置４３２の移動に伴って、突出誘導部８１を上方側に移動可能とし、右始動入賞装置４３２に対する前面側からの操作によって右始動入賞装置４３２及び突出誘導部８１（誘導部材８０）を抜脱することも可能な構成としてもよい。また、突出誘導部８１又は誘導部材８０を構成する一部分と接触して、突出誘導部８１を変位させることが可能な機構を備え、その機構に対する操作に基づいて右始動入賞装置４３２を抜脱することが可能となる構成としてもよい。
【０２７２】
また、上記においては、取り付け過程のみならず、取り付け後においても、突出誘導部８１（誘導部材８０）が右始動入賞装置４３２と一体化されている構成であるが、突出誘導部８１は、取り付け後に、右始動入賞装置４３２から離脱する構成としてもよい。この構成の場合には、右始動入賞装置４３２の点検や取替えにおいて、基体４０１から右始動入賞装置４３２を取り外したい場合に、突出誘導部８１を基体４０１に係合させたまま、右始動入賞装置４３２のみを取り外すことも可能となる。
【０２７３】
また、上記においては、右始動入賞装置４３２に対して、右始動入賞装置４３２と一体化した状態で取り付けることができ、右始動入賞装置４３２を通過した遊技球を誘導可能な突出誘導部８１を設ける構成を例示して説明したが、この突出誘導部８１に代えて又は加えて、他の少なくとも１つの入賞装置、例えば、一般入賞装置４３９Ａ，４３９Ｂ、上側中始動入賞装置４３１Ａ、下側中始動入賞装置４３１Ｂ、下大入賞装置４３３、上大入賞装置４３４と一体化した状態で取り付けられ、一体化される対象の入賞装置を通過した遊技球を誘導可能であって、突出誘導部８１と同様の形態である突出誘導部を設ける構成としてもよい。また、遊技価値の獲得に寄与する各種の入賞装置に限らず、遊技価値の獲得に寄与しない装置に対して、突出誘導部８１と同様の形態の突出誘導部を設ける構成としてもよい。
【０２７４】
また、上記においては、基体４０１（遊技盤４００）の裏面側に設けられる回収排出通路に連通する構成に限らず、中間ブロック１０３又は後ブロック１０４に設けられた通路や領域に連通する構成としてもよい。例えば、右始動入賞装置４３２への入賞口を特別進入口として利用する場合に、回収排出通路ではなく擬似遊技領域６０１Ｆへ案内する通路に連通する構成としてもよい。
【０２７５】
また、上記においては、基体４０１に右始動入賞装置４３２の取り付ける過程で、突出誘導部８１の位置（誘導部材８０の姿勢）を変化させる構成であるが、遊技盤４００の背面側に配置される回収排出通路を形成する部材（図示せず）を遊技盤４００に取り付ける過程で、その部材との接触によって突出誘導部８１の位置を変化させる構成や、遊技盤４００が配置される中間ブロック１０３に対して後ブロック１０４を閉鎖する過程で、後ブロック１０４を構成する部材（図示せず）との接触によって突出誘導部８１の位置を変化させる構成としてもよい。
【０２７６】
また、上記においては、遊技領域を流下する遊技球が進入可能に上方側に開口した一対の可動片７１と遊技球が通過可能な内部通路７２とを有し、内部通路７２を通過する遊技球を基体４０１の板状部４０１Ｆに対して後側に誘導する右始動入賞装置４３２に対して、右始動入賞装置４３２から流出する遊技球を誘導可能な突出誘導部８１を設ける構成を例示して説明したが、遊技領域に遊技球を放出可能に下方側に開口した開口部と遊技球が通過可能な内部通路（球通過部）とを有し、内部通路７２を通過する遊技球を基体４０１（遊技領域構成部材）の板状部４０１Ｆに対して後側に誘導する装置に対して、当該装置と一体化した状態で取り付けることができ、当該装置に流入する遊技球を誘導可能な突出誘導部８１を設ける構成としてもよい。
【０２７７】
＜貫通誘導部＞
次に、パチンコ機１００は、遊技盤４００において、中央構造体４２０に進入した遊技球を基体４０１の正面側（前側）に好適に誘導することを可能にする貫通誘導部９０を備える構成としている。以下、図２７〜図３０を参照して、貫通誘導部９０について説明する。図２７は、中央構造体４２０に進入した遊技球を上側中始動入賞装置４３１Ａの上方に誘導する貫通誘導部９０の近傍を示す正面図である。また、図２８は、貫通誘導部９０の近傍を示す断面図であって、図２８（Ａ）が図２７におけるＹ３−Ｙ３縦断面を示し、図２８（Ａ）が図２７におけるＸ１−Ｘ１横断面を示している。
【０２７８】
図２７に示すように、貫通誘導部９０は、中央構造体４２０において、遊技球を転動させる湾曲形状の転動ステージ４２１の奥方に設けられた通路（以下、短絡案内通路４２２と称す）を通過した遊技球を、基体４０１を貫通するように形成された貫通誘導部９０（遊技球誘導部）を通して、上側中始動入賞装置４３１Ａの上方の近傍から基体４０１の前面側に流出させる。
【０２７９】
なお、遊技盤４００において、上側中始動入賞装置４３１Ａに遊技球が進入可能な経路として、貫通誘導部９０を通して誘導される経路に加えて、基体４０１の正面側を流下する遊技球を、中央構造体４２０の周辺に設けられた釘４１１（図７参照）等の案内により上側中始動入賞装置４３１Ａへ進入させることが可能な経路も形成されている。このように、上側中始動入賞装置４３１Ａへ進入させることが可能な別の経路が形成されているために、貫通誘導部９０を通して誘導されたとしても、上側中始動入賞装置４３１Ａへ進入させることができない場合が起こり得る。このため、後述するように、貫通誘導部９０を好適な位置に、また、好適な形状に形成することで、上側中始動入賞装置４３１Ａへ進入させることができないといった事象の発生を抑制することを可能にしている。
【０２８０】
基体４０１には、図２８（Ａ）及び図２８（Ｂ）に示すように、中央構造体４２０が挿通され、中央構造体４２０の一部が内側に配置される中央貫通孔４０１Ｍが設けられており、貫通誘導部９０は、その中央貫通孔４０１Ｍに形成する構成としている。貫通誘導部９０は、基体４０１の背面側において短絡案内通路４２２の出口４２２Ｅから流出して貫通誘導部９０に進入した遊技球を、基体４０１の前面側に誘導する。具体的には、中央貫通孔４０１Ｍに、貫通誘導部９０として、基体４０１の上下方向に延び、短絡案内通路４２２の出口４２２Ｅを構成する部材を挿通可能な間隔を隔てて左右に対向する側壁９１Ｌ，９１Ｒと、各側壁９１Ｌ，９１Ｒの下端側から左右の側壁９１Ｌ，９１Ｒの対向方向（基体４０１の左右方向）に突出し、遊技球の下側を支持する左右の突出壁９２Ｌ，９２Ｒと、左右の突出壁９２Ｌ，９２Ｒの下端側を接続する底壁９３とを形成している。
【０２８１】
貫通誘導部９０において、遊技球を支持する左右の突出壁９２Ｌ，９２Ｒ（中央貫通孔４０１Ｍの周縁壁の一部）の形状を、パチンコ機１００及び基体４０１の背面側から正面側へ遊技球を進行させることが可能な形状に構成している。具体的には、２つの突出壁９２Ｌ，９２Ｒの形状を、２つの突出壁９２Ｌ，９２Ｒの間隔が基体４０１の背面側からの正面側へ向かって広くなるように、各突出壁９２Ｌ，９２Ｒの突出量を変化させた形状としている。そして、左右の突出壁９２Ｌ，９２Ｒによって遊技球の下側を支持することで、遊技球の自重に基づいて、遊技球を基体４０１の背面側からの正面側へ誘導することを可能にしている。
【０２８２】
また、遊技盤４００には、上側中始動入賞装置４３１Ａの上方に、貫通誘導部９０によって基体４０１の背面側から正面側へ遊技球が進行可能な経路に対して鉛直下方側に連続する通路（以下において、入賞案内通路４１１Ｐと称す）の入口を構成する２つの入口構成釘４１１Ｌ，４１１Ｒ（入口構成部）が設けられている。各入口構成釘４１１Ｌ，４１１Ｒは、上側中始動入賞装置４３１Ａの入賞口の入口部分を構成し、上側中始動入賞装置４３１Ａに対して上側の近い位置（遊技球の直径未満の距離）に配置されている。貫通誘導部９０から流出した遊技球は、２つの入口構成釘４１１Ｌ，４１１Ｒで形成される入口に進入すれば、入賞案内通路４１１Ｐを通して上側中始動入賞装置４３１Ａの入賞口に進入する。
【０２８３】
なお、入口構成釘４１１Ｌ，４１１Ｒによって上側中始動入賞装置４３１Ａの入賞口に連通する入賞案内通路４１１Ｐを設ける構成としているが、釘とは異なる部材を入口構成部として用い、上側中始動入賞装置４３１Ａの入賞口に遊技球を案内する通路を設ける構成であってもよい。更に、入口構成釘４１１Ｌ，４１１Ｒや入賞案内通路４１１Ｐを設けず、入口構成釘４１１Ｌ，４１１Ｒによって形成される入口に相当する位置に入賞口が位置するように上側中始動入賞装置４３１Ａを配置する構成や、その入口に相当する位置を入賞口の位置とする他の構造の始動入賞装置を配置する構成であってもよい。
【０２８４】
次に、図２９を参照して、遊技球を支持する左右の突出壁９２Ｌ，９２Ｒについて、詳細に説明する。図２９は、貫通誘導部９０の形状の説明図である。
【０２８５】
左側の突出壁９２Ｌ（右側の突出壁９２Ｒ）は、図２８及び図２９に示すように、右下側（左下側）に下降し、遊技球と接触可能な湾曲面部分９２ａと、湾曲面部分９２ａの上端と左側の側壁９１Ｌ（右側の側壁９１Ｒ）とを繋ぐ水平方向（基体４０１の左右方向）に延びる水平面部分９２ｂと、湾曲面部分９２ａの下端と底壁９３とを繋ぐ鉛直方向（基体４０１の上下方向）に延びる鉛直面部分９２ｃとを含んでいる。なお、図２８において、各突出壁９２Ｌ，９２Ｒの形状の理解を容易とするために、湾曲面部分９２ａと水平面部分９２ｂとの境界、及び、湾曲面部分９２ａと水平面部分９２ｂとの境界を細い実線で示し、遊技球と接触可能な位置を太い一点鎖線ＣＬで示している。
【０２８６】
各突出壁９２Ｌ，９２Ｒの湾曲面部分９２ａは、基体４０１の正面側及び背面側の表面との境界、並びに、基体４０１の前後方向に垂直な任意の平面による断面において、円弧をなす形状であって、左右の突出壁９２Ｌ，９２Ｒにおける円弧の間隔が、基体４０１の背面側から正面側に向かうにつれて大きくなる形状としている。このような形状に形成された左右の突出壁９２Ｌ，９２Ｒの湾曲面部分９２ａで遊技球を支持することによって、貫通誘導部９０が遊技球を基体４０１の背面側から正面側へ誘導することを可能にしている。
【０２８７】
また、左側の突出壁９２Ｌ（右側の突出壁９２Ｒ）の湾曲面部分９２ａは、基体４０１の正面側の表面との境界において、仮想円ＶＫＬ（仮想円ＶＫＲ）に対する左上側（右上側）の四半円の円弧を輪郭とする形状としている。この仮想円ＶＫＬ（仮想円ＶＫＲ）は、左側の入口構成釘４１１Ｌ（右側の入口構成釘４１１Ｒ）の配置位置ＶＣＬ（配置位置ＶＣＲ）を中心とし、中央貫通孔４０１Ｍの形成後に左側の入口構成釘４１１Ｌ（右側の入口構成釘４１１Ｒ）を植設する際に強度の観点から必要な最小の間隔ＲＫ（例えば、４．５ｍｍ）を半径としている。また、左側の突出壁９２Ｌ（右側の突出壁９２Ｒ）の水平面部分９２ｂは、仮想円ＶＫＬ（仮想円ＶＫＲ）に対する水平方向の接線を輪郭とする形状とし、左側の突出壁９２Ｌ（右側の突出壁９２Ｒ）の鉛直面部分９２ｃは、仮想円ＶＫＬ（仮想円ＶＫＲ）に対する鉛直方向の接線を輪郭とする形状としている。これにより、貫通誘導部９０は、各突出壁９２Ｌ，９２Ｒを入口構成釘４１１Ｌ，４１１Ｒを植設する配置位置に対する間隔を最小の間隔ＲＫ以上確保し、製造時の基体４０１の破損を防止しつつ、貫通誘導部９０を進行した遊技球を最も鉛直下方側から流出させることができる構成としている。
【０２８８】
なお、各突出壁９２Ｌ，９２Ｒは、各湾曲面部分９２ａが基体４０１の正面側の表面において四半円の円弧を輪郭とする形状である場合に限らず、基体４０１の正面側の表面において、各仮想円ＶＫＬ，ＶＫＲに接するが各仮想円ＶＫＬ，ＶＫＲの内部には入り込まない輪郭形状であって、その輪郭線と各仮想円ＶＫＬ，ＶＫＲとの接点が、その輪郭線に最も鉛直上方で接する遊技球（図３０における遊技球ＰＢ１参照）との接点ＰＣ１（図３０参照）となる形状であれば、製造時の基体４０１の破損を防止しつつ、貫通誘導部９０を進行した遊技球を最も鉛直下方側から流出させることができる。
【０２８９】
上記のように、基体４０１において中央構造体４２０を取り付ける中央貫通孔４０１Ｍに、遊技球を基体４０１の前側へ進行可能な形状に形成された貫通誘導部９０を設け、遊技球の下側を貫通誘導部９０によって支持して誘導する構成としている。これによって、基体４０１の背面側から正面側へ遊技球を進行させる通路を中央構造体４２０の一部として筒状又は樋状に形成し、その通路を形成する部材の厚みやその部材を中央貫通孔４０１Ｍに挿通させるための間隙を介して遊技球を支持する場合に比べて、中央貫通孔４０１Ｍの内側において遊技球を下方側で支持した状態で誘導でき、貫通誘導部９０の近隣に形成される入口構成釘４１１Ｌ，４１１Ｒや上側中始動入賞装置４３１Ａに近い位置に、遊技球を貫通誘導部９０から流出させることが可能になる。
【０２９０】
このように、貫通誘導部９０から入口構成釘４１１Ｌ，４１１Ｒや上側中始動入賞装置４３１Ａに近い位置に遊技球を流出させることで、上側中始動入賞装置４３１Ａの入賞口やそれに遊技球を案内する通路（以下において、入賞案内通路４１１Ｐと称す）の入口に進入するまでの流下距離が短くなり、貫通誘導部９０から入賞案内通路４１１Ｐの入口や上側中始動入賞装置４３１Ａの入賞口に向かう方向に対してずれた方向に流出したとしても、入口構成釘４１１Ｌ，４１１Ｒに衝突することや、入口構成釘４１１Ｌ，４１１Ｒに衝突したとしても入賞案内通路４１１Ｐに進入しない方向に跳ね返ることを抑制できる。このため、貫通誘導部９０から上側中始動入賞装置４３１Ａへの遊技球の進入漏れを低減することができる。
【０２９１】
また、貫通誘導部９０から流出してからの流下距離を短くできることによって、貫通誘導部９０から流出した遊技球が、中央構造体４２０の周辺を迂回して入口構成釘４１１Ｌ，４１１Ｒの近傍に流下して来た遊技球と衝突して、入賞案内通路４１１Ｐに進入しないといった事象の発生頻度も低減できる。このため、貫通誘導部９０から上側中始動入賞装置４３１Ａへの遊技球の進入漏れを更に低減することができる。
【０２９２】
更に、貫通誘導部９０を進行する遊技球を２つの突出壁９２によって２点で支持することにより、基体４０１の背面側から正面側への進行過程において遊技球が左右方向（進行方向に対して垂直な方向）にずれることを抑制でき、貫通誘導部９０から入賞案内通路４１１Ｐの入口（２つの入口構成釘４１１Ｌ，４１１Ｒの間隙）や上側中始動入賞装置４３１Ａの入賞口に向かう方向に高精度で流出させることができる。このため、貫通誘導部９０から上側中始動入賞装置４３１Ａへの遊技球の進入漏れを更に低減することができる。
【０２９３】
上記においては、各突出壁９２Ｌ，９２Ｒは、基体４０１の前後方向に垂直な断面における湾曲面部分９２ａの輪郭が円弧形状である構成としているが、その輪郭が非円弧状に湾曲する湾曲形状である構成であってもよい。
【０２９４】
また、上記においては、各突出壁９２Ｌ，９２Ｒは、遊技球を支持する部分として湾曲面部分９２ａを有する構成としているが、各突出壁９２Ｌ，９２Ｒは、基体４０１の前後方向に垂直な断面における輪郭が直線形状である傾斜面部分（図示せず）を有し、左右の突出壁における傾斜面部分の間隔が基体４０１の背面側から正面側に向けて大きくなる構成であってもよい。
【０２９５】
また、上記においては、各突出壁９２Ｌ，９２Ｒは、湾曲面部分９２ａに連続する水平面部分９２ｂと鉛直面部分９２ｃとを含む構成としているが、各突出壁９２Ｌ，９２Ｒは、水平面若しくは鉛直な平面部分を設けずに、又は、いかなる平面部分を設けずに、左右の各側壁９１Ｌ，９１Ｒと底壁９３とを接続する湾曲面によって形成する構成であってもよい。
【０２９６】
また、上記においては、各突出壁９２Ｌ，９２Ｒは、湾曲面部分９２ａと水平面部分９２ｂと鉛直面部分９２ｃとを含む構成としているが、略直角に交わる水平面部分と垂直部分とを有する階段状の突出壁を形成する構成であってもよい。
【０２９７】
また、上記においては、貫通誘導部９０を進行する遊技球を左右の突出壁９２によって２点で支持し、進行過程での左右方向のぶれを抑制可能な構成としているが、２つの突出壁９２と底壁９３とによって３点で支持する構成としてもよく、左右の突出壁９２を設けず底壁９３によって支持する構成としてもよい。例えば、貫通誘導部９０は、中央貫通孔４０１Ｍにおいて、下側に延びる遊技球の直径よりも広い間隔を隔てて左右に対向する２つの側壁と、２つの側壁の下端を接続する底壁とで形成される構成であってもよい。この構成の場合には、底壁は、基体４０１の背面側から正面側に向かって下降傾斜する形状とし、遊技球を基体４０１の背面側から正面側に進行可能に構成する。なお、その底壁は、背面側から正面側に向かって直線的に下降する場合に限らず、折れ曲がったり湾曲したりして下降する形状であってもよく、また、左右方向の形状も直線形状に限らず、遊技球の半径よりも大きな曲率半径で湾曲する湾曲形状であってもよい。
【０２９８】
また、上記においては、中央構造体４２０を挿通する中央貫通孔４０１Ｍに貫通誘導部９０を設ける構成としているが、貫通誘導部９０に代えて又は加えて、他の装置や部材を挿通するために基体４０１に形成した貫通孔に設ける構成であってもよく、また、上側中始動入賞装置４３１Ａの上方で遊技球を流出させる貫通誘導部９０を設ける構成としているが、上側中始動入賞装置４３１Ａに代えて又は加えて、他の装置や部材の上方で遊技球を流出させる構成であってもよい。
【０２９９】
また、上記においては、中央貫通孔４０１Ｍに挿通される上側中始動入賞装置４３１Ａに流入して基体４０１の背面側に案内された遊技球を、中央貫通孔４０１Ｍに形成された貫通誘導部９０から基体の正面側に流出させる構成であるが、所定の貫通孔に挿通される装置又は部材に進入して基体４０１の背面側に案内された遊技球を、所定の貫通孔とは別の貫通孔、例えば、他の装置や部材を挿通する貫通孔又は専用の貫通孔に設けた貫通誘導部から基体４０１の正面側に流出させる構成であってもよい。
【０３００】
＜貫通誘導部９０と入口構成釘４１１Ｌ，４１１Ｒとの相対位置＞
次に、板状部４０１Ｆの前面側に流出する遊技球の流出位置と、上側中始動入賞装置４３１Ａへの進入が確定する入賞案内通路４１１Ｐの入口を形成する２つの入口構成釘４１１Ｌ，４１１Ｒとの相対位置について説明する。
【０３０１】
各入口構成釘４１１Ｌ，４１１Ｒは、図２８及び図２９に示すように、パチンコ機１００の正面視において、貫通誘導部９０から基体４０１の前側へ出力させる遊技球の下端より上側に位置する高さに配置されている。詳細には、貫通誘導部９０を進行する遊技球であって、湾曲面部分９２ａと基体４０１の正面側の表面との境界に対して正面視で遊技球が接して見える位置を出力位置として、その出力位置に位置する遊技球ＰＢの下端の高さ位置ＨＢが、各入口構成釘４１１Ｌ，４１１Ｒの釘軸の先端における中心部位ＰＫａの高さ位置と略同一となるように、貫通誘導部９０における各突出壁９２の位置や形状（中央貫通孔４０１Ｍの輪郭形状）が設計されている。
【０３０２】
なお、貫通誘導部９０は、遊技球の出力位置が、各入口構成釘４１１Ｌ，４１１Ｒよりも下側に位置する構成、具体的には、各入口構成釘４１１Ｌ，４１１Ｒの釘軸の先端における最上端部位の高さ位置よりも下側に位置する構成であればよい。また、図示しないが、各入口構成釘４１１Ｌ，４１１Ｒの前方には僅かな間隔（例えば、２ｍｍ）を隔てて、前ブロック１０２に設けられた中央パネル２２０（後方板２２３）が配置されており、各入口構成釘４１１Ｌ，４１１Ｒにおいて釘軸の先端に形成された釘頭に、遊技球が接触することはない構成であるが、例えば、その間隔が所定の間隔よりも大きく、又は、釘頭の半径が大きく、各入口構成釘４１１Ｌ，４１１Ｒの釘頭に遊技球が接触可能な構成を採用する場合には、貫通誘導部９０は、遊技球の出力位置が、各入口構成釘４１１Ｌ，４１１Ｒの釘頭における最上端部位の高さ位置よりも下側に位置するように形成する構成としてもよい。
【０３０３】
このように、出力位置に位置する遊技球ＰＢの下端の高さ位置ＨＢが入口構成釘４１１Ｌ，４１１Ｒよりも低くなるように、貫通誘導部９０を形成することによって、貫通誘導部９０から流出した遊技球が入口構成釘４１１Ｌ，４１１Ｒに衝突することを抑制でき、また、衝突したとしても遊技球の左右端の近傍で接触させ、入賞案内通路４１１Ｐに進入しない方向に跳ね返ることを抑制できる構成としている。これによって、入口構成釘４１１Ｌ，４１１Ｒによって形成される上側中始動入賞装置４３１Ａの幅を近付けて、貫通誘導部９０を経由しない遊技球が上側中始動入賞装置４３１Ａに進入する確率を低く設定しつつも、貫通誘導部９０から上側中始動入賞装置４３１Ａへの遊技球の進入漏れを低減することを可能にしている。
【０３０４】
なお、上記においては、貫通誘導部９０は、出力位置に位置する遊技球ＰＢの下端の高さ位置ＨＢを入口構成釘４１１Ｌ，４１１Ｒの釘軸の先端における中心部位ＰＫａの高さ位置と略同一とする構成であるが、釘軸の軸方向の中央における中心部位ＰＫｂの高さ位置よりも低くなるように形成する構成や、釘軸の基体４０１との付根における中心部位ＰＫｃの高さ位置よりも低くなるように形成する構成としてもよく、この構成の場合、貫通誘導部９０から流出した遊技球がいずれかの入口構成釘４１１Ｌ，４１１Ｒに衝突することや衝突したとしても入賞案内通路４１１Ｐに進入しない方向への跳ね返ることを更に抑制することが可能になる。また、出力位置に位置する遊技球ＰＢの下端の高さ位置ＨＢを釘軸における中心部位ＰＫｂの高さ位置よりも低くなるように形成する構成とした場合には、貫通誘導部９０から流出した遊技球が、中央構造体４２０に進入せずに中央構造体４２０の周縁を迂回して上側中始動入賞装置４３１Ａに向けて流下してきた遊技球と衝突したとしても、その迂回してきた遊技球は、いずれかの入口構成釘４１１Ｌ，４１１Ｒの上方を超えて衝突してくるために、貫通誘導部９０から流出した遊技球の上半球面に接触させることができる。この場合、貫通誘導部９０から流出した遊技球は、入賞案内通路４１１Ｐの入口に押し込まれ易くなる。また、出力位置に位置する遊技球ＰＢの下端の高さ位置ＨＢを釘軸における中心部位ＰＫｃの高さ位置よりも低くなるように形成する構成であれば、貫通誘導部９０から流出した遊技球が、中央構造体４２０を迂回してきた遊技球と衝突したとしても、貫通誘導部９０から流出した遊技球が、いずれかの入口構成釘４１１Ｌ，４１１Ｒとの接触し、それらを超えて移動することを抑制することも可能になる。
【０３０５】
このように、出力位置に位置する遊技球ＰＢの下端の高さ位置ＨＢが下方側になるほど、貫通誘導部９０から流出した遊技球を左右の入口構成釘４１１Ｌ，４１１Ｒの間を通して入賞案内通路４１１Ｐや上側中始動入賞装置４３１Ａに進入させる精度を向上させることが可能になる。
【０３０６】
また、上側中始動入賞装置４３１Ａへの遊技球の流入が確定する入賞案内通路４１１Ｐに遊技球が入り込む様子を遊技者に見せて、遊技者に所定の権利や利益を獲得できるという満足感を与える観点からは、貫通誘導部９０は、出力位置に位置する遊技球ＰＢの下端の高さ位置ＨＢが、釘軸の基体４０１との付根における中心部位ＰＫｃの高さ位置よりも高い構成であることが好ましい。
【０３０７】
また、上記においては、貫通誘導部９０から出力させる遊技球ＰＢの高さ位置ＨＢと各入口構成釘４１１Ｌ，４１１Ｒとの相対位置を、貫通誘導部９０の形状や配置によって調整する構成であるが、貫通誘導部９０の形状や配置の調整に加えて、各入口構成釘４１１Ｌ，４１１Ｒを植設する角度を変化させたり、屈曲した釘や湾曲した釘をその先端部分の高さ位置が基体４０１における植設位置より高くなるように植設したりして、貫通誘導部９０から出力させる遊技球の高さ位置と各入口構成釘４１１Ｌ，４１１Ｒの高さ位置との相対位置を調整する構成であってもよい。
【０３０８】
また、上記においては、貫通誘導部９０を中央貫通孔４０１Ｍに設ける構成であるが、貫通誘導部９０から出力させる遊技球ＰＢの下端の高さ位置ＨＢが入口構成釘４１１Ｌ，４１１Ｒより低くなるように貫通誘導部９０及び入口構成釘４１１Ｌ，４１１Ｒを設ける構成である限りにおいて、貫通誘導部９０は、中央構造体４２０の一部で形成され、中央貫通孔４０１Ｍの内側に配置される構成としてもよい。
【０３０９】
ここで、貫通誘導部９０の他の特徴的な構成について、図２９と共に図３０を参照して説明する。図３０は、貫通誘導部９０から流出する遊技球の挙動を示す説明図である。
【０３１０】
貫通誘導部９０は、図２９に示すように、底壁９３が、基体４０１の板状部４０１Ｆの正面側の表面において、仮想円ＶＫＬ及び仮想円ＶＫＲの内部に入り込まず、また、中央貫通孔４０１Ｍと貫通孔４０１Ｎとを形成する際に強度の観点から必要な最小の間隔ＲＨ（例えば、３．０ｍｍ）以上、貫通孔４０１Ｎから隔てて形成される構成としている。また、貫通誘導部９０は、各突出壁９２Ｌ，９２Ｒの鉛直面部分９２ｃが、板状部４０１Ｆの正面側の表面において、左右の湾曲面部分９２ａの最短間隔を維持して下方側に延び、底壁９３の左右方向の幅が、左右の湾曲面部分９２ａの最短間隔と略同一となる構成としている。貫通誘導部９０によって誘導される遊技球は、図３０に示すように、出力位置（遊技球ＰＢ）から前方側に誘導され、湾曲面部分９２ａと基体４０１の正面側の表面との境界における湾曲面部分９２ａの輪郭部分の接点ＰＣ１で接し（遊技球ＰＢ１）、その輪郭部分に接した状態で底壁９３の接点ＰＣ２で接触するまで前方下方側に誘導される（遊技球ＰＢ２）。この誘導過程において、遊技球の後方側の一部が、貫通誘導部９０の内側に位置する状態に保つように誘導することで、入口構成釘４１１Ｌ，４１１Ｒによって形成される入賞案内通路４１１Ｐの入口まで、規定の方向（鉛直下方）に高精度で誘導することが可能となる。更に、この誘導過程において、中央構造体４２０に進入せずに中央構造体４２０の周縁を迂回して上側中始動入賞装置４３１Ａに向けて流下してきた遊技球と衝突したとしても、その迂回してきた遊技球は、板状部４０１Ｆの正面側の表面よりも前側を流下するために、貫通誘導部９０によって誘導される遊技球の前半球面に接触させることができる。また、迂回してきた遊技球とは上述のように上半球面で接触させることができることも勘案すれば、貫通誘導部９０によって誘導される遊技球は、迂回してきた遊技球から左右方向に移動させる力を受けたとしても、湾曲面部分９２ａとも接触することによって、入賞案内通路４１１Ｐの入口に進入する前方下方側へ移動し易くなる。
【０３１１】
貫通誘導部９０は、底壁９３と基体４０１の正面側の表面との境界における底壁９３の輪郭部分に鉛直方向の最も上方で接する遊技球（遊技球ＰＢ２）の中心の高さ位置ＨＣ１を、各入口構成釘４１１Ｌ，４１１Ｒより（釘軸の先端における最上端部位の高さ位置より）も低くする構成であることが好ましく、中心部位ＰＫｂの高さ位置よりも低くする構成や、釘軸の基体４０１との付根における中心部位ＰＫｃの高さ位置よりも低くする構成であることが更に好ましい。
【０３１２】
また、貫通誘導部９０は、底壁９３と基体４０１の正面側の表面との境界における底壁９３の輪郭部分（貫通誘導部９０の輪郭部分）に鉛直方向の最も下方で接する遊技球（遊技球ＰＢ３）の中心の高さ位置ＨＣ２を、中心部位ＰＫｂの高さ位置よりも低くする構成であることが好ましく、釘軸の基体４０１との付根における中心部位ＰＫｃの高さ位置よりも低くする構成であることが更に好ましい。
【０３１３】
上記においては、各突出壁９２Ｌ，９２Ｒの鉛直面部分９２ｃが、板状部４０１Ｆの正面側の表面において、左右の湾曲面部分９２ａの最短間隔を維持して下方側に延びる構成であるが、左右の突出壁９２Ｌ，９２Ｒの鉛直面部分９２ｃの間隔を下方側に向かうにつれて狭める構成としてもよい。
【０３１４】
＜誘導部材８０による右始動入賞装置の取り外し制限＞
次に、パチンコ機１００は、右始動入賞装置４３２及び誘導部材８０が遊技盤４００（基体４０１）に取り付けられた場合に、右始動入賞装置４３２の取り外しを誘導部材８０によって制限することが可能な構成としている。以下、図３１を参照して、この構成について説明する。図３１は、誘導部材８０により取り外しが制限された右始動入賞装置４３２を示す断面図であり、図３１（Ａ）が、誘導部材８０により取り外しが制限された右始動入賞装置４３２の断面図であり、図３１（Ｂ）及び図３１（Ｃ）が、図３１（Ａ）とは異なる態様で右始動入賞装置４３２の取り外しを制限する構成を説明する断面図である。なお、図３１（Ａ）〜（Ｃ）の各々は、図３１に示したＹ１−Ｙ１断面（図７参照）よりも僅かに右始動入賞装置４３２の中央側での断面を示している。
【０３１５】
図３１（Ａ）に示すように、誘導部材８０は、右始動入賞装置４３２及び誘導部材８０が所定の位置（通過後位置）に取り付けられた場合、基体４０１の背面側に後側から重なり、その背面の一部を後側から覆う構成とされている。具体的には、誘導部材８０は、貫通孔４０１Ｈに対して前後方向に重ならない外側部分に突出して設けられ、接続部８３から基体４０１の背面と略平行に下方側に延びる部分を構成する移動制限部８５を備えている。移動制限部８５は、その前側の表面が基体４０１の正面側の表面と略平行に、僅かな間隙（例えば、０．５ｍｍ）、詳細には、突出誘導部８１を板状部４０１Ｆの背後に配置させるための移動に必要な間隙を隔てて配置される構成としている。
【０３１６】
右始動入賞装置４３２は、基体４０１の貫通孔４０１Ｈに挿入された後に、図示しないビス等の連結部材によって固定される。なお、パチンコ機１００において、連結部材は、基体４０１の正面側（右始動入賞装置４３２を取り付ける側と同一側）にのみ取り付ける構成としているが、例えば、基体４０１の正面側からの連結部材の取り付けに加えて、基体４０１の背面側から別の連結部材を取り付ける構成であってもよいし、連結部材を、ボルトとナットで固定する場合のように、基体４０１の正面側と背面側とを同時に操作する作業が必要な構成であってもよい。
【０３１７】
右始動入賞装置４３２は、ビス等の連結部材を取り外した状態にしてから、基体４０１から引き抜こうとしても、移動制限部８５の前側の表面が基体４０１に当接して、誘導部材８０が右始動入賞装置４３２の移動を制限し、右始動入賞装置４３２を引き抜くことはできないように構成されている。なお、移動制限部８５の構成としては、移動制限部８５と基体４０１との対向する各表面が略平行でありそれらの間隔が略同一の構成としてもよいが、この構成に限らず、下側に向かうにつれてそれらの表面の間隔が広がる等、右始動入賞装置４３２の前側への移動に伴って誘導部材８０が回転してしまう構成でなければよい。例えば、移動制限部８５は、その下端部位における基体４０１との間隔が接続部８３との境界部位における基体４０１との間隔よりも小さくなる構成であってもよい。具体的には、下側に向かうにつれてそれらの表面の間隔が一律又は段階的に狭くなる構成であってもよいし、下側に向かうにつれてその間隔は一旦広がるものの、その下端部位における間隔が境界部位における間隔よりも小さくなる構成であってもよい。また、誘導部材８０は、移動制限部８５が所定の圧力でもって基体４０１に押し付けられるように基体４０１に当接する構成であってもよい。
【０３１８】
ここで、基体４０１に装着された右始動入賞装置４３２を取り外す場合の操作例について説明する。右始動入賞装置４３２は、基体４０１への取り付け時において、図示しないビス等の連結部材によって固定されるため、まず、この連結部材による固定を解除する。その後、基体４０１の背面側から、誘導部材８０の後側部分（例えば、突出誘導部８１）を持ち上げて、右始動入賞装置４３２を基体４０１から引き抜く。
【０３１９】
この右始動入賞装置４３２を取り外す場合の誘導部材８０の後側部分を持ち上げる量は、移動制限部８５における鉛直方向に連続する部分の下端Ｐ１が、破線で示すように、基体４０１の背面側の角部（背面側の表面と貫通孔４０１Ｈの内側における表面との境界）よりも上側に位置するまで回転させれば十分である。これにより、移動制限部８５の下端Ｐ１が、貫通孔４０１Ｈの内側に位置し、右始動入賞装置４３２を引き出せば、その後は、誘導部材８０を持ち上げる操作、すなわち背面側からの操作をしなくても、右始動入賞装置４３２を貫通孔４０１Ｈから引き抜くことができる。
【０３２０】
また、誘導部材８０には、基体４０１の前面側の表面と当接する位置規制部８４が設けられている。誘導部材８０を持ち上げる操作を行うと、位置規制部８４が右始動入賞装置４３２を前側に移動させる力を生じさせて、右始動入賞装置４３２を容易に取り出すことができる構成としている。また、位置規制部８４は、誘導部材８０を所定の角度以上（例えば、可動範囲の上限まで）移動させた場合に、移動制限部８５の下端Ｐ１が、基体４０１の背面側の角部より上側であって、貫通孔４０１Ｈの内側に移動させることができる長さに設定されている。
【０３２１】
誘導部材８０には、移動制限部８５を突出誘導部８１の下端までは形成せず、移動制限部８５よりも下側の部分を、下側に向かうにつれて基体４０１から遠ざかる構成としている。これにより、例えば、誘導部材８０を、回転させるべき角度を気にせず、一旦、最大限まで回転させる操作を行えば、その操作を止めても、移動制限部８５の下端Ｐ１が貫通孔４０１Ｈの内側で基体４０１と当接するか、又は移動制限部８５よりも下側の部分が基体４０１の背面側の角部と当接する。これにより、誘導部材８０による右始動入賞装置４３２の取り外しの制限を簡便かつ確実に解除でき、基体４０１の背面側から行う操作を完了することができる。
【０３２２】
なお、誘導部材８０において、位置規制部８４は必ずしも必要でなく、位置規制部８４を設けない構成であってもよく、また、移動制限部８５の前側における鉛直方向に連続する部位（面）を突出誘導部８１の下端まで延出させる構成であってもよい。
【０３２３】
このように、誘導部材８０に移動制限部８５を設け、誘導部材８０によって、右始動入賞装置４３２を基体４０１から取り外すことを制限する構成としている。これによって、基体４０１の正面側から連結部材を取り外す操作に加えて、移動制限部８５による右始動入賞装置４３２の取り外しの制限を解除する操作を、右始動入賞装置４３２の取り外しに必要なものとすることができる。このため、基体４０１の背面側（連結部材を取り外す側や右始動入賞装置４３２を基体４０１から抜き取る側と反対側）からの他の部材との接続部分の分離作業を先行して行う必要がある場合等において、不用意に基体４０１の正面側から右始動入賞装置４３２を強引に取り外そうとして、右始動入賞装置４３２や先行して分離すべき部材を破損させてしまうといった事態を回避することができる。例えば、先行して行う分離作業として、右始動入賞装置４３２を作動させるための電力や信号を与えるための配線８９（図３２（Ｂ）参照）の分離作業が挙げられる。
【０３２４】
なお、パチンコ機１００においては、誘導部材８０は、基体４０１の背面側において、その表面と当接することで、右始動入賞装置４３２の取り外しを制限する構成であるが、背面側での当接に代えて、又は加えて、貫通孔４０１Ｈの内側において、基体４０１と当接する構成であってもよい。例えば、基体４０１に、その背面側の表面から前側に陥没する切り欠き（図示せず）を形成し、誘導部材８０の一部をその切り欠きの内部に突出するように配置させて基体４０１当接させる構成が挙げられる。また、基体４０１に、貫通孔４０１Ｈの内側において、誘導部材８０の接続部８３を嵌め込む溝（図示せず）を形成する構成や、誘導部材８０に、接続部８３から下側に突出する少なくとも１つの突出部（図示せず）を形成し、基体４０１には、その突出部に対応する位置に下側に陥没する陥没部（図示せず）を形成する構成が挙げられる。
【０３２５】
また、パチンコ機１００において、右始動入賞装置４３２及び誘導部材８０の取り付けに伴って、誘導部材８０が通過後姿勢（突出誘導部８１が通過後位置に配置される姿勢）をとる構成としているが、右始動入賞装置４３２及び誘導部材８０の取り付けにおいて、作業者が右始動入賞装置４３２を貫通孔４０１Ｈに押し込んでも、最終的な通過後姿勢とはならない可能性がある。しかしながら、連結部材により右始動入賞装置４３２を固定する際にネジをねじ込むようにすれば、その固定操作により右始動入賞装置４３２を強い力で後方側へ押しつけることとなり、最終的な通過後姿勢をとり易くすることができる。このため、移動制限部８５の前側部分が基体４０１の正面側の表面と隙間無く当接するような長さの設定にして位置規制部８４と移動制限部８５とで基体４０１の板状部４０１Ｆを固く挟み込んだ状態にして取り付けるように構成してもよい。
【０３２６】
また、パチンコ機１００においては、誘導部材８０に位置規制部８４を設けることで、右始動入賞装置４３２の取り付けにおいて、誘導部材８０を簡便かつ正確に最終的な取付位置に配置して、右始動入賞装置４３２に対する取り外しを簡便かつ確実に制限できる構成としている。また、位置規制部８４は、その下端部分が前部材７３と基体４０１とで挟み込まれ、その下端部分が前部材７３の下端部分よりも下側に突出しない構成としている。また、位置規制部８４は、支持部８２の近傍において接続部８３から延出する構成としている。このため、下端部分を上側にしか押圧できず、また、上側に押圧したとしても、誘導部材８０を回転させる力を与えることができない。したがって、連結部材を取り外した後において、基体４０１の正面側からの操作によって、右始動入賞装置４３２を引き抜く力を与えながら、位置規制部８４を操作がし難く、操作したとしても、移動制限部８５による規制を解除することはできない。
【０３２７】
また、右始動入賞装置４３２の取り付けにおいては、基体４０１の正面側からの操作のみによって完結させることができ、かつ、右始動入賞装置４３２の取り外しにおいて、基体４０１の背面側からの操作を必須としている。これにより、右始動入賞装置４３２の取り付けにおいては、簡便かつ正確に右始動入賞装置４３２に対する取り外しの制限を行え、右始動入賞装置の取り外しにおいて、先行して分離すべき部材を破損させてしまうといった事態を安全に回避することができる。
【０３２８】
なお、図３１（Ｂ）に示すように、位置規制部８４の下端を含む周辺部分が、右始動入賞装置４３２の他の部材によって覆われるようにしてもよい。例えば、前部材７３の下端部７３ａを、位置規制部８４の下側を覆う位置まで後方側に突出させる構成とし、位置規制部８４の下端部分を、基体４０１の正面側から指等で触れることもできない構成としてもよい。これにより、基体４０１の正面側からの位置規制部８４への操作を一層困難にして、基体４０１の正面側から移動制限部８５による規制を解除する操作を不能とすることができる。
【０３２９】
なお、パチンコ機１００においては、右始動入賞装置４３２の取り外しの制限を解除する操作を基体４０１の背面側から行う構成としたが、背面側からの操作に代えて、又は加えて、基体４０１の前面側から行える構成であってもよい。例えば、位置規制部８４を前部材７３によって完全には覆われないように、位置規制部８４の下側に、人の指の爪が挿入可能で位置規制部８４に接触できる程度の間隙を設け、間隙に挿入した爪等で位置規制部８４を奥側に押しながら、右始動入賞装置４３２を基体４０１の正面側から前側に引けば、右始動入賞装置４３２を基体４０１から引き抜いていくことが可能な長さに、位置規制部８４を構成してもよい。
【０３３０】
また、パチンコ機１００においては、右始動入賞装置４３２の取り外しの制限やその解除を繰り返し行うことが可能な構成であるが、人の指や、ドライバやニッパ等の簡単な工具で簡便に切断できる部位を設け、当該部位を切断することによって、右始動入賞装置４３２の取り外しの制限を解除できる構成であってもよい。例えば、接続部８３を、前部材７３によって完全には覆われないように構成し、接続部８３の一部を切断することによって、右始動入賞装置４３２と、移動制限部８５とが分離されて、右始動入賞装置４３２の取り外しの制限を解除できる構成としてもよい。
【０３３１】
また、パチンコ機１００においては、誘導部材８０が、右始動入賞装置４３２の取り外しを制限する機能に加えて、右始動入賞装置４３２を通過した遊技球を所定の方向に誘導する機能を有する構成であるが、遊技球を誘導する機能は必ずしも必要でなく、誘導部材８０を、右始動入賞装置４３２の取り外しを制限する機能を有し、遊技球を誘導する機能を有さない構成としてもよい。
【０３３２】
また、パチンコ機１００においては、誘導部材８０に設けた移動制限部８５が基体４０１に当接することによって誘導部材８０の回転を阻止し、右始動入賞装置４３２の取り外しを制限する構成であるが、誘導部材８０の回転を、基体４０１との当接に代えて、又は加えて、右始動入賞装置４３２に接続される他の部材との当接によって制限する構成であってもよい。例えば、図３１（Ｃ）に示すように、右始動入賞装置４３２と主制御基板９２０とを電気的に接続する配線８９を取り外さなければ、配線８９と誘導部材８０との当接によって、右始動入賞装置４３２を取り外すことができない構成であってもよい。具体的には、右始動入賞装置４３２において、配線８９のコネクタ８９ａと接続されるコネクタ８８を誘導部材８０の可動範囲に重なるように設ける構成とし、誘導部材８０が貫通孔４０１Ｈを通過可能な姿勢（図中の一点鎖線）に変化することを、誘導部材８０の突出誘導部８１と配線８９のコネクタ８９ａとの当接によって阻止してもよい。
【０３３３】
次に、図３２（Ａ）を参照して、誘導部材８０による右始動入賞装置４３２に対する取り外しの制限解除を不要とする構成について、説明する。この取り外しの制限解除を不要とする構成により、右始動入賞装置４３２を基体４０１から取り外す場合に、連結部材による右始動入賞装置４３２と基体４０１との固定を解除した後には、誘導部材８０を貫通孔４０１Ｈから引き抜くことができる。
【０３３４】
図３２は、基体４０１に取り付けられた右始動入賞装置４３２の近傍の断面図であり、図３２（Ａ）は、右始動入賞装置４３２の取り外しが誘導部材８０によっては制限されない構成を示し、図３２（Ｂ）は、誘導部材８０と上大入賞装置４３４と係合に基づき右始動入賞装置４３２の取り外しが制限される構成を示している。なお、図３２（Ａ）及び図３２（Ｂ）の各々は、図２３に示したＹ２−Ｙ２断面（図７参照）と同様に右始動入賞装置４３２の左右方向の中央における断面を示している。
【０３３５】
誘導部材８０（以下においては、図３１（Ａ）に示された構成と識別するために誘導部材８０ａとも称す）は、図３２（Ａ）に示すように、移動制限部８５を備えない構成としている。具体的には、誘導部材８０ａにおける基体４０１の板状部４０１Ｆに面した部分が、右始動入賞装置４３２が基体４０１に取り付けられた状態で、下側に向かうにつれて基体４０１との間隔が広がる形状とされている。この場合、誘導部材８０ａは、基体４０１に当接したとしても、右始動入賞装置４３２の前側への移動を制限することはなく、また、その当接によって、誘導部材８０ａを、右始動入賞装置４３２の前側への移動に伴って、貫通孔４０１Ｈを通過可能な姿勢へと徐々に変化させることができる。
【０３３６】
次に、図３２（Ｂ）を参照して、誘導部材８０が、他の部材（例えば、上大入賞装置４３４の受取通路４３０Ａを構成する部材）と係合することによって、右始動入賞装置４３２の取り外しを制限する構成について説明する。以下においては、他の部材と係合して、右始動入賞装置４３２の取り外しを制限する誘導部材８０を、誘導部材８０ｂとも称す。
【０３３７】
図３２（Ｂ）に示すように、誘導部材８０ｂは、突出誘導部８１の外延に形成された係合部８６ａを備えており、その係合部８６ａが、上大入賞装置４３４の上端部分に形成された被係合部８６ｂと係合する。上大入賞装置４３４には、その上端部分に、係合部８６ａと係合する被係合部８６ｂが設けられている。上大入賞装置４３４は、貫通孔４０１Ｊを通して取り付けられ、右始動入賞装置４３２と同様に、その一部が貫通孔４０１Ｊの内側に配置された状態にして、基体４０１に取り付けられる。
【０３３８】
誘導部材８０ｂの係合部８６ａと、上大入賞装置４３４の被係合部８６ｂとは、右始動入賞装置４３２の基体４０１への取り付け後に、図３２（Ｂ）に示す締結部材８６ｃによって、右始動入賞装置４３２（誘導部材８０ｂ）が前側へ移動しないように締結固定される。これにより、基体４０１の正面側から右始動入賞装置４３２を取り外すための移動を制限できるし、上大入賞装置４３４についても、不用意な取り外しを制限することができる。
【０３３９】
なお、図３２（Ｂ）に示した構成において、係合部８６ａや被係合部８６ｂが別の部材である締結部材８６ｃによって締結固定される構成であるが、この場合に、締結部材８６ｃの軸部分の先端部のみを予め係合部８６ａに差し込んで仮固定させた状態にしてから、右始動入賞装置４３２を基体４０１に取り付けることが好ましい。また、図示しないが、誘導部材８０ｂの係合部８６ａとして、一時的な撓んで他の部位に引っかかった状態となる係合爪を設け、上大入賞装置４３４の被係合部として、その係合爪と係合する係合受けを設ける構成であってもよい。
【０３４０】
また、図３２（Ｂ）に示した構成において、誘導部材８０ｂと上大入賞装置４３４とは、締結部材８６ｃの着脱により繰り返し、係合やその解除を行える構成であるが、それらの係合は、一旦係合させると何らかの破壊を伴わなければ解除できない一過性の係合であってもよいし、なんらの破壊も伴わず解除できる可逆的な係合であってもよい。また、その係合は、その取り付け完了に伴い完了する構成であってもよいし、又は、取り付け後の別操作によって完了させる構成であってもよい。
【０３４１】
また、図３２（Ｂ）に示した構成において、誘導部材８０ｂは、基体４０１の背面側で上大入賞装置４３４と係合する構成であるが、この構成に限らず、背面側での係合に代えて、又は加えて、基体４０１の正面側で係合する構成であってもよい。
【０３４２】
また、図３２（Ｂ）に示した構成においては、誘導部材８０ｂと同時に取り付けられることとなる右始動入賞装置４３２とは別の装置（上大入賞装置４３４）に被係合部８６ｂを設ける構成について説明したが、誘導部材８０ｂと同時に取り付けられることとなる右始動入賞装置４３２に被係合部を設けるようにしてもよい。例えば、誘導部材８０ｂの接続部８３に係合部を設け、かつ、中間部材７４に被係合部を設け、その係合部と被係合部とを貫通孔４０１Ｈの内側において係合させる構成であってもよい。
【０３４３】
また、図３２（Ｂ）に示した構成においては、誘導部材８０ｂは、上大入賞装置４３４と係合する構成であるが、上大入賞装置４３４に代えて、又は加えて、他の装置（図示せず）と係合する構成であってもよい。また、誘導部材８０ｂの係合部８６ａに係合する被係合部８６ｂは、基体４０１に設けられる貫通孔の内側に一部が配置された状態で取り付けられる装置に限らず、基体４０１の正面側又は背面側に重なって取り付けられる他の装置であってもよく、この場合に、遊技球の通路を構成する部材に被係合部を形成することが、部品点数を少なくしつつ、遊技球を予め設定した経路に沿って流下させ易くすることができて好ましい。
【０３４４】
また、図３２（Ｂ）に示した構成においては、誘導部材８０ｂは、基体４０１の背面側で上大入賞装置４３４と係合する構成であるが、基体４０１の正面側に係合部８６ａ及び被係合部８６ｂを設ける構成としてもよい。
【０３４５】
また、右始動入賞装置４３２の取り外しを制限する機能を有する誘導部材８０ｂは、取り付け後において、その一部（突出誘導部８１）が貫通孔４０１Ｈに対して前後方向において重ならない外側領域（図２５参照）に突出する構成であるが、その外側領域に誘導部材８０ｂが突出しない構成であってもよい。例えば、誘導部材８０ｂは、右始動入賞装置４３２に対して回転等の相対移動ができないように一体化された構成とし、被係合部８６ｂが撓んで誘導部材８０ｂの係合部に引っかかるように係合して、右始動入賞装置４３２の取り外しを制限する構成であってもよい。
【０３４６】
また、右始動入賞装置４３２は、基体４０１に取り付けられた後に連結部材で固定される構成であるが、連結部材を用いず、誘導部材８０ｂが上大入賞装置４３４等の係合対象の装置に係合することによって、右始動入賞装置４３２を取り外し不能に固定する構成であってもよい。
【０３４７】
また、右始動入賞装置４３２の取り外しを制限する機能を有する誘導部材８０，８０ｂは、右始動入賞装置４３２と一体化した状態で同時に取り付けられる構成でなくてもよく、また、右始動入賞装置４３２の取り付け側と同一側から取り付けられる構成でなくてもよい。例えば、右始動入賞装置４３２の取り付け前又は後に、誘導部材８０，８０ｂを、基体４０１の正面側又は背面側からの別作業で取り付ける構成であってもよい。
【０３４８】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０３４９】
（１）上記実施形態においては、喫煙情報における離席可能な時間を示す時間情報として、特別遊技状態が開始されるまでの時間を示す開始時間情報２２を採用する構成であるが、その開始時間情報２２に限らず、特別遊技状態が開始されるまでの時間に対応する情報であればよく、例えば、特別遊技状態が開始される直前であって、装飾図柄によって大当り図柄が揃った状態で確定表示されるまでの時間を示す情報や、装飾図柄によって大当り図柄が揃う挙動を開始するまでの時間を示す情報であってもよい。この場合、一般的に、時間通りに戻って着席すれば、大当り図柄が揃った状態や揃う挙動を楽しんだ上で、気持ちよく特別遊技状態における遊技を開始することができる。
【０３５０】
（２）上記実施形態においては、賞球の獲得可能個数の多いラウンド（第３ラウンド〜第６ラウンド）の後に連続する賞球の獲得可能個数の少ないラウンド（第７ラウンド）から喫煙情報を開始する構成であるが、この構成に限らず、その賞球の獲得可能個数の少ないラウンド（第７ラウンド）の直前の賞球の獲得可能個数の多いラウンド（第６ラウンド）から開始する構成としてもよい。この構成について、図１８及び図１９を参照して説明する。図１８は、特別遊技状態における喫煙情報の報知態様の他の一例を示すタイミングチャートである。図１８（Ａ）は、賞球の獲得個数の多いラウンド（第３ラウンド〜第６ラウンド）、図１８（Ｂ）及び図１８（Ｃ）は、賞球の獲得個数の多いラウンドの後に実行される賞球の獲得個数の少ないラウンド（第７ラウンド〜第１０ラウンド）、図１８（Ｄ）は、賞球の獲得個数の少ないラウンドの後における喫煙情報の報知態様を示している。また、図１９は、特別遊技状態における喫煙情報の表示の他の一例を示す説明図である。
【０３５１】
図１８（Ａ）及び図１８（Ｂ）に示すように、第６ラウンドの開始に伴って（ｔｄ８）、喫煙情報の報知を開始する。このとき、装飾図柄表示装置４７９においては、図１９に示すように、図１７に示したと同様の喫煙情報を表示する。この喫煙情報においては、開始ラウンドが早まったことによって、補助情報２７として、第６ラウンドに対する情報２７ａ、具体的には、第６ラウンドに対する最大継続時間を示す情報と、その規定数を示す情報と、第６ラウンドにおける好適な離席タイミングを示す情報を追加で表示する。
【０３５２】
（３）上記実施形態においては、特別遊技状態中に獲得した第２特別図柄に係る単位遊技の権利に対する大当り抽選によって擬１０Ｒ大当りに当選している場合には、特別遊技状態の終了まで喫煙表示を行う構成であるが、この構成に限らず、今回の特別遊技状態における喫煙表示を次回の特別遊技状態の開始まで、次回の特別遊技状態において賞球の獲得可能個数の多いラウンドのうち最も早く実行されるラウンドの開始まで、又は、そのラウンドの直前の獲得可能個数の少ないラウンドの開始まで延長する構成としてもよい。具体的には、図１８（Ｃ）〜図１８（Ｄ）に示すように、今回の特別遊技状態におけるエンディング演出（ＥＤ演出）が行われる期間（ｔｄ１５〜ｔｄ１６）に加えて、獲得している第２特別図柄に係る権利に基づく単位遊技の期間（ｔｄ１７〜ｔｄ１８）、及び、次回の特別遊技状態におけるオープニング演出（図中は、ＯＰ演出と略記）が行われる期間（ｔｄ１８〜ｔｄ１９）に亘って、喫煙情報を表示する。更に、次回の特別遊技状態における第１ラウンド（ｔｄ１９〜ｔｄ２０）や第２ラウンド（ｔｄ２０〜ｔｄ２１）においても喫煙情報の表示を継続する。このとき、装飾図柄表示装置４７９においては、図１９に示すように、図１７に示したと同様の喫煙情報を表示するが、この喫煙情報においては、その表示が延長されるために、補助情報２７として、第２特別図柄に係る単位遊技に対する情報２７ｂと、次回の特別遊技状態におけるオープニングに対する情報２７ｃと、その第１ラウンドに対する情報２７ｄと、その第２ラウンドに対する情報２７ｄとを追加で表示する。
【０３５３】
（４）上記実施形態においては、規定数を異ならせることでラウンドにおける賞球の獲得可能個数を異ならせる構成であるが、この構成に限らず、ラウンドにおける賞球倍率を異ならせることでラウンドにおける賞球の獲得可能個数を異ならせる構成としてもよい。この構成について、図２０を参照して説明する。図２０は、特別遊技状態における下大入賞装置４３３及び上大入賞装置４３４の動作の他の一例を示す説明図である。
【０３５４】
図２０に示すように、第３ラウンドから第６ラウンドまでの各ラウンドにおいては、賞球倍率が高く（１０倍）設定された下大入賞装置４３３を作動させ、その他のラウンドにおいては、賞球倍率が低く（２倍）設定された上大入賞装置４３４を作動させる。
【０３５５】
（５）上記実施形態においては、パチンコ機１００は、固定された所定の時間以上の時間（例えば、通常遊技状態においては４分、特別遊技状態においては３秒）を確保できる場合に、喫煙情報を報知する構成であるが、喫煙情報を報知する条件となる最低時間を固定にする場合に限らず、確保したい時間を管理者又は遊技者によって変更可能な構成であってもよい。この構成であれば、パチンコ機１００の設置場所と喫煙場所との距離に応じて時間を変化させることができ、また、少しの時間（例えば、３分）であっても頻繁に喫煙休憩を取りたい、又は、頻度は少なくてもゆっくり（例えば、５分）と喫煙休憩を取りたいといった遊技者ごとに異なる個別の要望を満たすことが可能になる。
【０３５６】
（６）上記実施形態においては、表示された喫煙情報を、発射ハンドル２５２に対する遊技者の操作を接触センサ２５４で検出して、禁煙モードにおける通常の表示に戻す構成であるが、この構成に限らず、図７に示すように、特別遊技状態において下大入賞装置４３３（上大入賞装置４３４）へ入賞させるための発射操作（右打ち遊技手法）によって打ち出された遊技球を検出する役連作動装置４３５（役連作動スイッチ４４５）や、それを検出するために新たに設けた専用の装置による遊技球の検出に基づいて、表示された喫煙情報を禁煙モードにおける通常の表示に戻す構成としてもよい。更に、発射操作装置２５０の操作に基づく場合に限らず、入力操作装置２６０等の操作に基づいて、表示された喫煙情報を禁煙モードにおける通常の表示に戻す構成としてもよく、また、専用の装置を設け、その専用の装置への操作に基づいて、表示された喫煙情報を禁煙モードにおける通常の表示に戻す構成としてもよい。
【０３５７】
（７）上記実施形態においては、大当りの抽選の対象となる大当りを擬１０Ｒ大当りとする構成であるが、大当りの抽選の対象となる大当りとして、擬１０Ｒ大当りとはラウンド構成の異なる大当り、例えば、賞球の獲得可能個数が多いラウンド（例えば、擬１０Ｒ大当りに対する第３ラウンド）のみで構成される１０ラウンドの大当りであって、禁煙モード及び喫煙モードのいずれのモードに設定されていたとしても１０ラウンドの構成であることを遊技者が認識できる実１０Ｒ大当りを含む構成としてもよい。この構成において、喫煙モードが設定されている場合に、通常遊技状態における喫煙情報は報知するが、特別遊技状態における喫煙情報は報知しない構成とする。また、例えば、大当りの抽選の対象となる大当りとして、賞球の獲得可能個数が少ないラウンド（例えば、擬１０Ｒ大当りに対する第１ラウンド）のみで構成される１０Ｒ大当りを含む構成としてもよく、喫煙モードが設定されている場合に、通常遊技状態と特別遊技状態とにおける喫煙情報を報知する構成とする。この場合、擬１０Ｒ大当りに基づく特別遊技状態の場合のように一部のラウンドに対して入賞を避けるのではなく、全てのラウンドに対する入賞を避けることで、擬１０Ｒ大当りの場合よりも更に長い離席可能期間を確保することが可能になる。なお、上記において、擬１０Ｒ大当りとラウンド構成の異なる大当りとして、賞球獲得可能個数は異なるが１０ラウンドで構成される大当りのみ例示したが、ラウンド数が異なる大当りを含む構成としてもよい。更に、大当りの抽選の対象となる大当りとして、特別遊技状態の後に有利変動状態（例えば、時短状態や高確率状態）に移行する大当りと有利変動状態に移行しない大当りとの双方を含む構成とし、有利変動状態に移行する大当りについては、喫煙モードが設定されていれば喫煙情報を報知し、有利変動状態に移行しない大当りについては、喫煙モードが設定されていても喫煙情報を報知しない構成としてもよい。
【０３５８】
（８）上記実施形態においては、特定進入口５２Ｖへの遊技球の進入（擬似始動スイッチによる遊技球の検出）に伴う擬似遊技の権利について、所定の個数（４個）までその権利の実行を保留する構成であるが、この構成に限らず、その権利の実行を保留できない構成としてもよい。この場合、単位擬似遊技を定期的に開始できない可能性が高くなるために、初回にあっては擬似図柄６４の表示時点でそれらを変動表示させ、各単位擬似遊技の開始において、変動表示されている擬似図柄６４を停止させ、所定の期間に亘り結果を表示し、引き続き新たな変動表示を開始する構成とし、擬似図柄６４が停止した状態で表示される時間を少なくすることが好ましい。
【０３５９】
（９）上記実施形態においては、単位特図２遊技の権利が上限個数まで保留されている場合であって、第２特別図柄に係る右始動入賞装置４３２への遊技球の進入（右始動入賞スイッチ４４２による遊技球の検出）に伴う擬似入賞装置５０の奥進入規制機構５１の作動について、右始動入賞装置４３２への遊技球の進入ごとに、奥進入規制機構５１を所定の期間ＴＥ１に亘って進入許容姿勢とする構成であるが、この構成に限らず、右始動入賞装置４３２への遊技球の進入に基づき奥進入規制機構５１を作動する権利を獲得でき、また、その権利を所定の個数まで保留できる構成としてもよい。
【０３６０】
（１０）上記実施形態においては、奥進入規制機構５１の姿勢を変化させることによって、特定進入口５２Ｖの設けられた擬似入賞装置５０の内部への遊技球の進入確率を変化させる構成であるが、奥進入規制機構５１は設けず、釘４１１（図２１参照）のように遊技球の進行方向を変化させる突起等を、案内通路４１を形成する部材に設けて進入確率を変化させる構成としてもよい。
【０３６１】
（１１）上記実施形態においては、擬似入賞装置５０の内部に設けられた振分部５２によって、擬似入賞装置５０の内部に進入した遊技球の一部のみが特定進入口５２Ｖに進入することができる構成であるが、この構成に限らず、振分部５２を設けずに、擬似入賞装置５０の内部に進入した遊技球のすべてが特定進入口５２Ｖに進入する構成や、擬似入賞装置５０へ遊技球が進入することによって単位擬似遊技の権利を獲得できる構成としてもよい。
【０３６２】
（１２）上記実施形態においては、擬似入賞装置５０に設けられた奥進入規制機構５１及び振分部５２によって、擬似遊技領域６０１Ｆ内で流下過程において遊技球の進行先を複数段階（２段階）で振り分ける構成であるが、この構成に限らず、奥進入規制機構５１及び振分部５２の一方のみを設けて、１段階で振り分ける構成としてもよく、また、振り分けを行わない構成であってもよい。振り分けを行わない構成を採用する場合には、排出口６０１Ａに進入した遊技球は擬似遊技領域６０１Ｆに案内せず、特別入賞装置６３９への進入確率を調整することによって、特定進入口５２Ｖへの進入確率を調整することが好ましい。
【０３６３】
（１３）また、上記実施形態においては、単位擬似遊技において、所定の情報を画像の表示で付与する構成であるが、この構成に代えて、又はこの構成に加えて、音声や音楽等の種類やその変化等、音響で付与する構成としてもよいし、特定の発光色や発光パターン等、発光によって付与する構成としてもよい。この構成において、既存の装置で兼用する構成としてもよいし、新たに専用の装置を設け、その装置によって所定の情報を付与する構成としてもよい。
【０３６４】
（１４）また、上記実施形態においては、擬似図柄６４に係る表示によって、特別遊技移行当りを示唆する構成であるが、この構成に代えて、又はこの構成に加えて、第１特別図柄や第２特別図柄に係る大当りの抽選の当選確率を異ならせる複数の設定が可能な構成とし、単位擬似遊技において、特別遊技移行当りの示唆に限らず、当選確率の設定状態（複数の設定のいずれに設定されているか）を示唆する又は確定的に示す情報を付与する構成としてもよい。例えば、最高の語呂合わせである「３１５」が表示された場合は、最も当選確率が高い設定となっていることを確定的に示し、「４５６」が表示された場合には、６段階の当選確率の設定のうち、当選確率が高い上位３段階（設定４、設定５及び設定６）のいずれかであることを示す構成としてもよい。
【０３６５】
（１５）また、上記実施形態においては、特定進入口５２Ｖへの遊技球の進入によって擬似図柄に係る表示による擬似遊技を行い、特別遊技移行当りを示唆する情報を付与する構成であるが、この構成に限らず、例えば、特定進入口５２Ｖへの遊技球の進入によって、パチンコ機１００のモチーフとなっている原作の漫画や映像を見ることができ、その進入数が増加するほど、漫画や映像のストーリーが進行する等の特典を付与する構成としてもよい。
【０３６６】
（１６）本発明を上記実施形態とは異なるタイプのパチンコ機等に実施しても良い。例えば、一度大当りすると、それを含めて複数回（例えば２回、３回）大当り状態が発生するまで、大当り期待値が高められるようなパチンコ機として実施しても良い。また、大当り図柄が表示された後に、所定の領域に球が入賞することを必要条件として特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。また、パチンコ機に限定されることはなく、スロットマシンに代表される回胴式遊技機に適用しても良く、パチンコ機とスロットマシンとを融合した形式のパロット等の回胴式遊技機に適用しても良い。
【０３６７】
なお、パチンコ機とスロットマシンとが融合した回胴式遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当り図柄であることを必要条件として遊技者に有利な大当り状態が発生させられ、遊技者には、下部の受け皿に多量の球が払い出されるものである。
【０３６８】
＜上記実施形態から抽出される発明＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０３６９】
＜特徴Ａ群＞
特徴Ａ群は、遊技者が遊技を好適に進行させることが可能な遊技機に関するものであり、後述する特徴１０〜２２として記載の遊技機を含む。
【０３７０】
従来の遊技機において、大当りの当選に基づく特別遊技状態の後に、通常遊技状態より遊技者にとって有利な有利変動状態となる構成が知られており、特別遊技状態の終了から連続して特定遊技状態の遊技を行わなければ、遊技者にとって不利益を生じる場合があった。このため、特別遊技状態の開始を遊技者によって調整可能な構成とすることによって、休憩時間を確保するものが提案されている（例えば、特開２０１６−２０９３２０号公報参照）。
【０３７１】
上記の従来の遊技機において、休憩のために遊技の進行を中断可能とした場合には、その分、大当りを獲得する機会が減ってしまう可能性があり、また、遊技場側にとっても遊技者が戻る時間の予測が困難であるなど、改善の余地のある可能性があった。
【０３７２】
すなわち、遊技場が禁煙となっている場合に喫煙者が喫煙スペースにいっている時間分は、遊技の進行が停止することとなり、その分、大当りの抽選の抽選機会が減ってしまう可能性がある。また、遊技の進行を中断した状態で遊技機の前から離席されてしまうと、遊技場側にとって遊技者がいつ戻るのか予測が全くできずに、他の遊技者に遊技機を使用可能にしてもよいのかの判断が難しい可能性がある。
【０３７３】
＜特徴１０＞
所定の始動条件が成立した場合に所定の抽選を行う抽選手段（主制御基板９２０）と、
前記所定の始動条件が成立した場合に、識別情報（図柄）を変動表示した後に、前記抽選手段の抽選結果に対応する停止結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
前記表示部において実行中の変動表示に対する抽選結果、又は保留記憶手段によって記憶された抽選結果の中に前記所定の結果が含まれる場合に、当該所定の結果に対して前記遊技制御手段によって発生させられる前記特別遊技状態が開始されるまでの時間に対応する開始時間情報を出力する開始時間情報出力手段（装飾図柄表示装置４７９）とを備えていることを特徴とする遊技機。
【０３７４】
＜特徴１１＞
所定の始動条件が成立した場合に所定の抽選を行う抽選手段（主制御基板９２０）と、
前記所定の始動条件が成立した場合に、識別情報（図柄）を変動表示した後に、前記抽選手段の抽選結果に対応する停止結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
前記表示部において実行中の変動表示に対する抽選結果、又は前記保留記憶手段によって記憶された抽選結果の中に前記所定の結果が含まれる場合に、当該所定の結果に対して前記遊技制御手段によって発生させられる前記特別遊技状態が開始されるまでの時間に対応する開始時間情報を視認可能に出力する開始時間情報出力手段（装飾図柄表示装置４７９）とを備えていることを特徴とする遊技機。
【０３７５】
特徴１０及び１１に記載の遊技機によれば、遊技者が遊技を好適に進行させることが可能な遊技機を提供することができる。すなわち、保留記憶手段によって保留されている抽選結果のいずれかに所定の結果が含まれている場合に、開始時間情報出力手段がその特別遊技状態が開始されるまでの時間に対応する開始時間情報を出力する構成であり、特別遊技状態に移行することを知り得るのではなく、開始時間情報に基づいて特別遊技状態の開始までの時間を知り得るために、その時間に亘って、抽選結果が所定の結果である単位遊技を進行させつつ、また、それより前に保留され、抽選結果が所定の結果でない単位遊技を進行させつつ、安心して離席することができ、また、その時間を有意義に活用することができる。特に、喫煙者にとっては、その時間が喫煙するための時間として十分であるかを確認した上で喫煙場所に移動できるために、安心して喫煙を堪能することができる。
【０３７６】
＜特徴１２＞
前記表示部は、前記時間情報出力手段によって前記開始時間情報が出力される場合に、前記所定の抽選結果が含まれる場合に対応する所定の結果情報を表示することを特徴とする特徴１０又は１１に記載の遊技機。
【０３７７】
特徴１２に記載の遊技機であれば、表示部に所定の結果情報が表示されるので、遊技機を視認して遊技を行う状況において特別遊技状態が開始される始動条件が成立したことを遊技者が容易に認識することができる。なお、開始時間情報が出力される場合に所定の結果情報を表示するのは、「確定」や「大当り」などの文字による表示であってもよいし、背景色を虹色にしたり、金色にしたりして、当選の確定を報知してもよく、保留数を表示する表示領域において、保留の表示を、当選に対応した色（例えば、虹色）やキャラクタにして表示してもよく、又は、開始時間情報を所定の結果情報として表示するようにしてもよい。
【０３７８】
＜特徴２０＞
遊技球が入球した場合に遊技者に遊技価値が付与される第１入賞部に遊技球が流入可能な第１状態と、該第１状態より前記入賞部へ遊技球が流入し難い又は遊技球が流入し得ない第２状態とを発生させる第１入賞手段と、
遊技球が入球した場合に、前記第１入賞部より少ない遊技価値が付与される第２入賞部に遊技球が流入可能な第１状態と、該第１状態より前記入賞部へ遊技球が流入し難い又は遊技球が流入し得ない第２状態とを発生させる第２入賞手段と、
所定の始動条件が成立した場合に所定の抽選を行う抽選手段と、
該抽選手段の抽選結果を表示する表示部と、
前記抽選手段の抽選結果が所定の結果である場合、前記第１入賞手段と前記第２入賞手段の動作を制御して通常遊技状態より有利な特別遊技状態を発生させる遊技制御手段とを備え、
前記遊技制御手段は、
前記第１入賞手段又は前記第２入賞手段を前記第２状態から第１状態へ移行させて開始されるラウンドを複数回含めた前記特別遊技状態を発生させるものであり、
前記第１入賞手段を前記第２状態から第１状態へ移行させた後に、所定の時間が経過するか、当該所定の時間が経過する前に所定数の遊技球が進入した場合に、前記第１入賞手段を前記第１状態から前記第２状態へ移行させる第１種別のラウンドと、
前記第２入賞手段を前記第２状態から第１状態へ移行させた後に、所定の時間が経過するか、当該所定の時間が経過する前に所定数の遊技球が進入した場合に、前記第２入賞手段を前記第１状態から前記第２状態へ移行させる第２種別のラウンドとを少なくとも含み、
前記第１種別のラウンドの前又は後の少なくともいずれかに、前記第２種別のラウンドが複数回連続するように構成された第１の結果に対応した特別遊技状態を少なくとも発生させることを特徴とする遊技機。
【０３７９】
＜特徴２１＞
遊技球が入球した場合に遊技者に遊技価値が付与される（賞球が払い出される）入賞部に遊技球が流入可能な第１状態と、該第１状態より前記入賞部へ遊技球が流入し難い又は遊技球が流入し得ない第２状態とを発生させる入賞手段と、
所定の始動条件が成立した場合に所定の抽選を行う抽選手段（主制御基板９２０）と、
該抽選手段の抽選結果を表示する表示部（装飾図柄表示装置４７９）と、
前記抽選手段の抽選結果が所定の結果である場合、前記入賞手段の動作を制御して通常遊技状態より有利な特別遊技状態を発生させる遊技制御手段（主制御基板９２０）とを備え、
前記遊技制御手段は、
前記入賞手段を前記第２状態から第１状態へ移行させて開始されるラウンドを複数回組み合わせて前記特別遊技状態を発生させるものであり、
所定の時間が経過するか、当該所定の時間が経過する前に所定数の遊技球が進入した場合に、前記入賞手段を前記第１状態から前記第２状態へ移行させる第１種別のラウンドと、
該第１種別のラウンドと比べて前記所定数より少ない遊技球が進入するか、前記所定の時間と略同一の時間が経過した場合に前記入賞手段を前記第１状態から前記第２状態へ移行させる第２種別のラウンドとを少なくとも含み、
前記第１種別のラウンドの前又は後の少なくともいずれかに、前記第２種別のラウンドが複数回連続するように構成された第１の結果に対応した特別遊技状態を少なくとも発生させることを特徴とする遊技機。
【０３８０】
特徴２０及び２１に記載の遊技機によれば、遊技者が遊技を好適に進行させることが可能な遊技機を提供することができる。すなわち、限られたラウンド数の中で、多数の遊技球の進入によって遊技価値を多量に付与し易く、且つ、遊技者が少しの損失を被ることの代わりに、長時間の離席を可能とし易くすることができる。
【０３８１】
＜特徴２２＞
前記第２種別のラウンドが複数回連続する場合に、当該第２種別のラウンドの開始前または開始タイミングに同期して、前記第２種別のラウンドが複数回連続した後のラウンド又は遊技が開始されるまでの時間に対応した終了時間情報を出力する終了時間情報出力手段を備えていることを特徴とする特徴２１に記載の遊技機。
【０３８２】
特徴２２に記載の遊技機によれば、特徴２１における開始時間情報に関連して説明した効果と同様に、終了時間情報に基づいて特別遊技状態の終了までの時間を知り得るために、その時間に亘って、安心して離席することができる。
【０３８３】
＜特徴３０＞
所定の始動条件が成立した場合に所定の抽選を行う抽選手段（主制御基板９２０）と、
該抽選手段の抽選結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
所定の喫煙情報を表示する喫煙情報表示手段（装飾図柄表示装置４７９）と、
該喫煙情報表示手段によって表示される前記所定の喫煙情報を表示するか否かを遊技者が選択可能な喫煙表示選択手段（入力操作装置２６０）とを備えていることを特徴とする遊技機。
【０３８４】
従来の遊技機において、喫煙を嗜好する喫煙者に関する構成について、改善の余地のある可能性があった。
【０３８５】
特徴３０に記載の遊技機によれば、喫煙者であっても遊技を好適に実行可能な遊技機を提供することができる。
【０３８６】
＜特徴Ｂ群＞
特徴Ｂ群は、抽選結果を表示するまでの時間が長い単位遊技を含む遊技状態において好適に遊技可能な遊技機に関するものであり、後述する特徴４０〜５２として記載の遊技機を含む。
【０３８７】
従来の遊技機において、所定の抽選による大当りの当選に基づく特別遊技状態の後に、通常遊技状態より遊技者にとって有利な有利変動状態となる構成が知られており、この有利変動状態においては、通常遊技状態よりも短い間隔で抽選結果を報知し、所定の抽選の抽選機会が高頻度で得られるように構成されている。このような構成の遊技機では、有利変動状態において短期間で次の大当りを獲得することが可能となり、短時間で多くの遊技価値を獲得できる可能性が高くなり過ぎて、過度に射倖性が高まる可能性があり、長い時間を経て抽選結果を表示する単位遊技を含む遊技状態とする遊技機が提案されている（特開２０１４−８３３００号公報参照）。
【０３８８】
従来の遊技機において、抽選結果を表示するまでの時間が長い単位遊技を含む遊技状態について、改善の余地のある可能性があった。
【０３８９】
そこで、抽選結果を表示するまでの時間が長い単位遊技を含む遊技状態において好適に遊技可能な遊技機を提供することを目的としている。
【０３９０】
＜特徴４０＞
所定の始動条件が成立した場合に所定の抽選を行う抽選手段（主制御基板９２０）と、
該抽選手段の抽選結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
所定の入球口（特定進入口５２Ｖ）へ遊技球が進入した場合に、前記始動条件の成立に基づいて実行される変動表示（第２特別図柄に係る装飾図柄６２の変動表示）とは別の変動表示（擬似図柄６４の変動表示）を行い、前記抽選手段の抽選結果に対応した表示結果（実行中又は保留中の第２特別図柄に係る単位遊技の権利に対する抽選結果が特別遊技移行当りを含むか否かの示唆又は告知）を表示する別変動実行手段（副制御基板９４０）とを備えていることを特徴とする遊技機。
【０３９１】
＜特徴４１＞
所定の始動条件が成立した場合に所定の抽選を行う抽選手段（主制御基板９２０）と、
該抽選手段の抽選結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
前記所定の始動条件が成立する始動口とは別に設けられる所定の入球口（特定進入口５２Ｖ）へ遊技球が進入した場合に、前記始動条件の成立に基づいて実行される変動表示（第２特別図柄に係る装飾図柄６２の変動表示）とは別の変動表示（擬似図柄６４の変動表示）を行い、前記抽選手段の抽選結果に対応した表示結果（実行中又は保留中の第２特別図柄に係る単位遊技の権利に対する抽選結果が特別遊技移行当りを含むか否かの示唆又は告知）を表示する別変動実行手段（副制御基板９４０）とを備えていることを特徴とする遊技機。
【０３９２】
特徴４０及び４１に記載の遊技機によれば、抽選結果を表示するまでの時間が長い単位遊技を含む遊技状態において好適に遊技可能な遊技機を提供することができる。すなわち、所定の始動条件の成立に基づく抽選の抽選結果が上限まで記憶され、新たに所定の始動条件を成立させるための遊技を行わなくてもよい状況においても、所定の入球口へ遊技球を進入させることを目指す遊技を行えるようにすることができる。これによって、新たに所定の始動条件を満たすための遊技を行わなくてよい状況であっても、時間を持て余すことなく遊技を続行することができる。また、所定の入球口へ遊技球を進入させた場合に、所定の始動条件が成立した場合とは異なる変動表示を行うことができる。これによって、新たな遊技性を付加し、遊技性を向上させることができる。
【０３９３】
更に、特徴４０及び４１に記載の遊技機によれば、そのような状況において、遊技者に対しては遊技を続行する意義を与えることができるために、抽選結果を表示するまでの時間の長い単位遊技を発生させる頻度を多くし易くなる。これによって、特別遊技状態が短期間で連続した場合であっても、その間に発生する抽選結果を表示するまでの時間の長い単位遊技により遊技球の増加を緩やかにすることが可能となり、過度に射倖性が高まることを抑制し易くすることができる。
【０３９４】
なお、別変動実行手段によって別の変動表示が実行される単位遊技が行われる遊技状態としては、時短遊技状態や確変遊技状態などの、遊技者にとって通常遊技状態より有利な遊技状態とする必要はなく、通常遊技状態における抽選結果を表示するまでの時間が長い単位遊技（例えば、１回の単位遊技において２分以上の変動表示が実行される単位遊技）において別変動実行手段により別の変動表示を実行してもよい。
【０３９５】
＜特徴４２＞
特徴４０又は４１に記載の遊技機であって、
前記別変動実行手段は、前記保留記憶手段に所定の上限個数まで抽選結果が記憶されている場合において、所定の入球口へ遊技球が進入した場合に、前記始動条件の成立に基づいて実行される変動表示とは別の変動表示を行うことを特徴とする遊技機。
【０３９６】
特徴４２に記載の遊技機によれば、所定の始動条件の成立に基づく抽選の抽選結果が上限まで記憶され、通常、遊技を行わなくてもよい期間において、遊技を継続することによって新たな遊技性の遊技を提供することができる。また、所定の入球口を所定の始動条件を満たすために遊技球を進入させる入賞口で兼用することもでき、この場合、部品点数を増加させることなく、かつ、制御処理のプログラムを簡素化でき、また、その制御処理に係る負荷を低減できる。
【０３９７】
＜特徴４３＞
特徴４０〜４２のいずれかに記載の遊技機において、
前記別変動実行手段によって前記別の変動表示が実行されている場合において、前記所定の入球口へ遊技球が進入した場合に、前記所定の上限個数と同一の回数分まで前記別の変動表示の実行を保留する別変動実行保留手段を備えていることを特徴とする。
【０３９８】
特徴４３に記載の遊技機によれば、所定の入球口への遊技球の進入に基づく変動表示を繰り返し連続して実行することが可能になる。
【０３９９】
＜特徴５０＞
所定の始動条件（右始動入賞スイッチ４４２による遊技球の検出）が成立した場合に所定の抽選を行う抽選手段（主制御基板９２０）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
前記保留記憶手段に所定の上限個数まで抽選結果が記憶されている場合において、前記始動条件の成立の契機となる始動口へ遊技球が進入した場合に所定の進入口（例えば、特定進入口５２Ｖ）へ遊技球が進入し易い進入容易状態を発生させる進入容易状態発生手段（奥進入規制機構５１）とを備えていることを特徴とする遊技機。
【０４００】
＜特徴５１＞
所定の始動条件（右始動入賞スイッチ４４２による遊技球の検出）が成立した場合に所定の抽選を行う抽選手段（主制御基板９２０）と、
該抽選手段の抽選結果を表示する表示部（装飾図柄表示装置４７９）と、
前記抽選手段の抽選結果を所定の上限個数まで記憶する保留記憶手段（主制御基板９２０）と、
前記抽選手段の抽選結果が所定の結果である場合、通常遊技状態より有利な特別遊技状態を発生させる遊技制御手段（主制御基板９２０）と、
前記保留記憶手段に所定の上限個数まで抽選結果が記憶されている場合において、前記始動条件の成立の契機となる始動口へ遊技球が進入した場合に所定の進入口（例えば、特定進入口５２Ｖ）へ遊技球が進入し易い進入容易状態を発生させる進入容易状態発生手段（奥進入規制機構５１）とを備えていることを特徴とする遊技機。
【０４０１】
特徴５０及び５１に記載の遊技機によれば、抽選結果を表示するまでの時間が長い単位遊技を含む遊技状態において好適に遊技可能な遊技機を提供することができる。すなわち、所定の始動条件の成立に基づく抽選の抽選結果が上限まで記憶され、新たな始動条件が成立しない場合であっても、始動条件と同一の条件の成立によって進入口への遊技球が容易な状態とすることによって、所定の入球口へ遊技球を目指す遊技を行うことを促進することができる。これによって、新たに所定の始動条件を成立させるための遊技を行わなくてよい状況であっても、時間を持て余すことなく遊技を続行することができる。したがって、抽選結果を報知するまでの時間の長く、新たに所定の始動条件を満たすための遊技を行わなくてもよい状況が発生し易い単位遊技が実行される期間であっても好適に遊技可能な遊技機を提供することができる。
【０４０２】
＜特徴５２＞
特徴５０又は５１に記載の遊技機であって、
前記所定の進入口より上流側に、遊技者によって発射された遊技球が流下する遊技領域が設けられ、
前記所定の進入口は、前記遊技領域に設けられて遊技者に所定の遊技価値（賞球、普通図柄の始動条件成立など）が付与される領域より下流側に設けられていることを特徴とする。
【０４０３】
特徴５２に記載の遊技機によれば、所定の遊技価値が付与される領域を経た遊技球を、自重（重力作用）によって、すなわち、その領域を経た遊技球を重力に抗して上方に移動させるような構造物を設けることなく、所定の進入口に向むけて移動させることができる。
【０４０４】
＜特徴Ｃ群＞
特徴Ｃ群は、球進入手段（例えば、右始動入賞装置４３２）を通過する遊技球を好適に誘導可能な遊技機に関するものであり、後述する特徴６０〜６２として記載の遊技機を含む。
【０４０５】
従来の遊技機において、遊技球が進入した場合に賞球が払い出される入賞口を有する入賞装置を、板状の基体（ベニヤ板等）の表側に取り付ける構成が知られている。基体には、入賞装置が取り付けられる部分に貫通穴が設けられ、基体の表側を流下し入賞装置に進入した遊技球は、貫通穴を通して基体の裏側に案内され、その後、基体の裏側を流下する（例えば、特開２０１２−８１０２２号公報参照）。
【０４０６】
上記の従来の遊技機において、入賞装置に代表されるような基体に取り付けられる部品（球進入手段）に進入した遊技球や、球進入手段に進入する遊技球など、球進入手段を通過する遊技球を誘導する通路に関する構成について、改善の余地のある可能性がある。
【０４０７】
＜特徴６０＞
遊技球が流下する遊技領域の後方側の少なくとも一部を構成する板状部と、該板状部に貫通して形成された取付穴とを備えた遊技領域構成部材（例えば、基体４０１）と、
遊技球が通過可能な球通過部を有し、前記遊技領域構成部材の取付穴の内側に一部が配置された状態で設けられる球進入手段（例えば、右始動入賞装置４３２）と、
前記取付穴に対して前後方向において重ならない外側部分に突出し、前記板状部に対して後側に重なる位置に配置されて前記球通過部を通過する遊技球に接触して所定の方向側に遊技球を誘導可能な突出誘導部（例えば、突出誘導部８１）と、を備え、
前記球進入手段を前記遊技領域構成部材に取り付ける場合において、前記球進入手段と前記突出誘導部とが予め一体化された状態にして前記突出誘導部を前記取付穴に進入させることが可能に構成されていることを特徴とする遊技機。
【０４０８】
＜特徴６１＞
遊技球が流下する遊技領域の後方側の少なくとも一部を構成する板状部（例えば、板状部４０１Ｆ）と、該板状部に貫通して形成された取付穴（例えば、貫通孔４０１Ｈ）とを備えた遊技領域構成部材（例えば、基体４０１）と、
前記遊技領域を流下する遊技球が進入可能に上方側に開口した開口部（例えば、一対の可動片７１）と遊技球が通過可能な球通過部（例えば、内部通路７２）とを有し、該球通過部を通過する遊技球を前記遊技領域構成部材の板状部に対して後側（背面側）に誘導する手段であって、前記遊技領域構成部材の取付穴の内側に一部が配置された状態で設けられる球進入手段（例えば、右始動入賞装置４３２）と、
前記取付穴に対して前後方向において重ならない外側部分に突出し、前記板状部に対して後側に重なる位置に配置されて前記球通過部を通過する遊技球に接触して所定の方向側に遊技球を誘導可能な突出誘導部（例えば、突出誘導部８１）と、を備え、
前記球進入手段を前記遊技領域構成部材に取り付ける場合において、前記球進入手段と前記突出誘導部とが予め一体化された状態にして前記突出誘導部を前記取付穴に進入させることが可能であり、
前記取付穴の内側を前記突出誘導部が通過する状況において前記突出誘導部が前記取付穴の内側を通過可能な第１位置（例えば、図２５（Ａ）及び図２５（Ｂ）に示す通過中位置）に配置され、
前記突出誘導部が前記取付穴を通過した後に、前記取付穴に対して前記外側部分に相当する第２位置（例えば、図２５（Ｂ）に示す通過後位置）へと前記突出誘導部が変位し、該第２位置に前記突出誘導部が配置されていることを特徴とする遊技機。
【０４０９】
特徴６０及び６１に記載の遊技機であれば、球進入手段を通過する遊技球を好適に誘導可能な遊技機を提供することができる。
【０４１０】
すなわち、球進入手段（球通過部）を通過する遊技球に接触して所定の方向側に遊技球を誘導可能な突出誘導部が設けられているので、球進入手段を通過する遊技球を球進入手段の近くにおいて誘導が必要な方向側に誘導し易く構成することができる。
【０４１１】
また、球進入手段を通過する遊技球に接触して所定の方向側に遊技球を誘導可能な突出誘導部を遊技領域構成部材に取り付ける場合においては、突出誘導部を球進入手段と一体化した状態で取付穴を通して遊技領域構成部材の正面側から取り付けることができる。そして、その取り付けの際には、取付穴の内側を通過する位置から突出誘導部を変位させて、取付穴に対して前後方向において重ならない外側部分に突出誘導部を突出させることができる。このため、球進入手段の取り付けとは、全く別の作業によって突出誘導部を取り付ける必要がなく、球進入手段と突出誘導部とをまとめて取り付け易くすることができる。
【０４１２】
また、球進入手段と突出誘導部とを別々に遊技領域構成部材に取り付ける場合と比べて、球進入手段に対する突出誘導部の位置ズレを抑制でし易くすることができ、突出誘導部を設計者の意図する位置に高精度で配置することができる。このため、突出誘導部によって、球進入手段を通過した遊技球を所定の方向側に高精度で誘導することができる。
【０４１３】
また、球進入手段を取り付ける取付穴とは異なる取付穴（例えば、貫通孔４０１Ｈ）を利用して取り付けられる他の装置（例えば、大入賞装置ユニット４３０）が球進入手段に接近して配置され、近隣の他の装置と球進入手段との間において板状部に対して後側に重なる部分に狭い空間しか確保できない場合であっても、その狭い空間に突出誘導部を簡便かつ高精度で配置することができる。このため、球進入手段を通過した遊技球を近隣の他の装置を避ける方向側に誘導したり、近隣の他の装置に形成された受取領域や受取通路に進入させる方向側に誘導したりする構成を容易に実現することができる。よって、球進入手段を配置する自由度や、近隣の他の装置を配置する自由度を高めつつ好適に遊技球を誘導可能な遊技機を提供することができる。
【０４１４】
＜特徴６２＞
遊技球が流下する遊技領域の後方側の少なくとも一部を構成する板状部と、該板状部に貫通して形成された取付穴とを備えた遊技領域構成部材と、
前記遊技領域に遊技球を放出可能に下方側に開口した開口部と遊技球が通過可能な球通過部とを有し、該球通過部を通過する遊技球を前記遊技領域構成部材の板状部に対して前側に誘導する手段であって、前記遊技領域構成部材の取付穴の内側に一部が配置された状態で設けられる球進入手段と、
前記取付穴に対して前後方向において重ならない外側部分に突出し、前記板状部に対して後側に重なる位置に配置されて前記球通過部を通過する遊技球に接触して所定の方向側に遊技球を誘導可能な突出誘導部と、を備え、
前記球進入手段を前記遊技領域構成部材に取り付ける場合において、前記球進入手段と前記突出誘導部とが予め一体化された状態にして前記突出誘導部を前記取付穴に進入させることが可能であり、
前記取付穴の内側を前記突出誘導部が通過する状況において前記突出誘導部が前記取付穴の内側を通過可能な第１位置に配置され、
前記突出誘導部が前記取付穴を通過した後に、前記取付穴に対して前記外側部分に相当する第２位置へと前記突出誘導部が変位し、該第２位置に前記突出誘導部が配置されていることを特徴とする遊技機。
【０４１５】
特徴６２に記載の遊技機であれば、球進入手段の球通過部を通過することになる遊技球を遊技領域構成部材の背面側において誘導可能な部材を好適に設けることが可能な遊技機を提供することができる。
【０４１６】
すなわち、特徴６２に記載の遊技機において、球進入手段（球通過部）を通過することになる遊技球に接触して所定の方向側に遊技球を誘導可能な突出誘導部を遊技領域構成部材に取り付ける場合に、突出誘導部を球進入手段と一体化した状態で取付穴を通して遊技領域構成部材の正面側から背面側に移動可能であり、その移動後に、取付穴の内側を通過する位置から変位させて取付穴に対して前後方向において重ならない外側部分に突出可能な構成としている。これによって、突出誘導部を板状部に対して後側に重なる位置に配置させることが可能となり、このように配置された突出誘導部によって、球進入手段を通過することになる遊技球を、板状部に対して後側に重なる部分において球通過部に流入可能な方向側（所定の方向側）に誘導することができ、球進入手段と離隔して設けられる部材で形成された所定の領域や通路（以下、受渡領域や受渡通路と称す）から受け取ることができる。
【０４１７】
また、球進入手段の取り付けとは別の作業によって突出誘導部を取り付けなくてもよく、球進入手段及び突出誘導部を取り付ける過程で、球進入手段に対する突出誘導部の位置にズレが生じることを抑制でき、突出誘導部を所定の位置に高精度で配置することが可能となり、このように配置された突出誘導部によって、球進入手段を通過することになる遊技球を球通過部に高精度で誘導することができる。
【０４１８】
また、球進入手段を取り付ける取付穴とは異なる取付穴を通して取り付けられる他の装置が球進入手段に接近して配置され、近隣の他の装置と球進入手段との間において板状部に対して後側に重なる部分に狭い空間しか確保できない場合であっても、その狭い空間に誘導突出部を簡便かつ高精度で配置することが可能となり、その狭い空間内において、球進入手段を通過することになる遊技球を、近隣の他の装置に形成された受渡領域や受渡通路又は近隣の他の装置を避けるように遊技球を流下させる受渡領域や受渡通路から開口部に誘導することが可能となる。また、球進入手段における開口部と受渡領域や受渡通路との相対位置、例えば、開口部における遊技球の流入端と受渡領域や受渡通路における遊技球の流出端との間隔や、その流入端への遊技球の流入方向や、その流出端からの遊技球の流出方向に対する制約を低減でき、球進入手段を配置する自由度や、受渡領域や受渡通路を形成する他の部材を配置する自由度を高めることも可能になる。
【０４１９】
＜特徴Ｄ群＞
特徴Ａ群は、基体４０１の背面側から基体４０１の正面側又は背面側の好適な位置に遊技球を誘導可能な遊技機に関するものであり、後述する特徴７０〜８１として記載の遊技機を含む。
【０４２０】
従来の遊技機において、遊技球を転動させたりして遊技球の動きによる演出を行うステージを有するセンターフレームが、板状の基体（ベニヤ板等）に取り付けられる構成が知られている。そして、このセンターフレームの構成として、ステージで転動した遊技球の一部が、基体の後方側へ移動した後に基体の表側へと誘導されてから、誘導通路の出口部分の下側に位置する入賞口へ入賞可能とする構成が知られている（例えば、特開２００８−７３１９１号公報参照）。
【０４２１】
上記の従来の遊技機において、センターフレームに代表されるような、基体に取り付けられる取付部材の近くを通過する遊技球を誘導する通路や、基体を構成する板状部の後側から前側へ遊技球を誘導する通路に関する構成について、改善の余地のある可能性があった。
【０４２２】
＜特徴７０＞
遊技球が流下する遊技領域の後方側の少なくとも一部を構成する板状部（例えば、板状部４０１Ｆ）と、該板状部に貫通して形成された取付穴（例えば、中央貫通孔４０１Ｍ）とを備えた遊技領域構成部材（例えば、基体４０１）と、
前記遊技領域構成部材の取付穴の内側に一部が配置された状態にして取り付けられる取付部材（例えば、上側中始動入賞装置４３１Ａ）とを備え、
前記遊技領域構成部材の取付穴の一部によって、遊技球を前記板状部の前側に進行可能な遊技球誘導部（例えば、貫通誘導部９０）が構成され、
前記板状部の後側から前記板状部の前側へ遊技球が進行する場合に、その進行する遊技球の下側を、前記遊技領域構成部材の取付穴に設けられる遊技球誘導部によって支持して、当該遊技球を誘導可能に構成されていることを特徴とする遊技機。
【０４２３】
＜特徴７１＞
遊技球が流下する遊技領域の後方側の少なくとも一部を構成する板状部（例えば、板状部４０１Ｆ）と、該板状部に貫通して形成された取付穴（例えば、中央貫通孔４０１Ｍ）とを備えた遊技領域構成部材（例えば、基体４０１）と、
前記遊技領域構成部材の取付穴の内側に一部が配置された状態にして取り付けられる取付部材（例えば、上側中始動入賞装置４３１Ａ）とを備え、
前記遊技領域構成部材の取付穴には、遊技球を前記板状部の前側へ進行可能な形状に形成された遊技球誘導部（例えば、貫通誘導部９０）が設けられ、
前記板状部の後側から前記板状部の前側へ遊技球が進行する場合に、その進行する遊技球の下側を、前記遊技領域構成部材の取付穴に設けられる遊技球誘導部によって支持し、前記板状部の前側に遊技球を誘導可能に構成されていることを特徴とする遊技機。
【０４２４】
特徴７０及び７１に記載の遊技機であれば、遊技領域構成部材に取り付けられる取付部材の近くを通過する遊技球を好適に誘導可能な遊技機を提供することができる。すなわち、特徴７０及び７１に記載の遊技機においては、板状部の前側に遊技球を誘導可能な形状の遊技球誘導部が、板状部の取付穴に設けられている。このため、取付部材の一部として筒状や樋状の通路を形成する場合に比べて、その通路を形成する部分の厚みや、通路を形成する部分と取付穴との間に必要な間隙を設ける必要がない分、取付穴の周縁近くで遊技球を支持して誘導することができる。これによって、遊技球誘導部から流出してから所定の領域に進入するまでに必要な流下距離を短く設定し易くしたり、釘などの別部品に近い位置にて遊技球を誘導可能にしつつ部材の強度を確保し易くするなど、取付部材の近くを通過する遊技球の通路の配置の自由度を高めて、遊技球を好適に誘導可能にすることができる。
【０４２５】
＜特徴８０＞
遊技球が流下する遊技領域の後方側の少なくとも一部を構成する板状部（例えば、板状部４０１Ｆ）と、
該板状部の後側から前記板状部の前側へ遊技球を進行可能な形状に形成された遊技球誘導部（例えば、貫通誘導部９０）と、
該遊技球誘導部によって前記板状部の前側へ遊技球が進行可能な経路に対して鉛直下方側に連続する通路の入口を構成する入口構成部（例えば、入口構成釘４１１Ｌ，４１１Ｒ）とを備え、
前記入口構成部は、遊技機正面視において前記遊技球誘導部から前記板状部の前側へ出力させる遊技球の下端より上側に位置する高さに配置されていることを特徴とする遊技機。
【０４２６】
＜特徴８１＞
遊技球が流下する遊技領域の後方側の少なくとも一部を構成する板状部（例えば、板状部４０１Ｆ）と、
該板状部の後側から前記板状部の前側へ遊技球を進行可能な形状に形成された遊技球誘導部（例えば、貫通誘導部９０）と、
該遊技球誘導部によって前記板状部の前側へ遊技球が進行可能な経路に対して鉛直下方側に連続する通路の入口を構成する入口構成部（例えば、入口構成釘４１１Ｌ，４１１Ｒ）とを備え、
前記入口構成部は、前記遊技球誘導部を経由した遊技球と前記遊技球誘導部を経由しない遊技球とが進入可能な入口を構成し、遊技機正面視において前記遊技球誘導部から前記板状部の前側へ出力させる遊技球の下端より上側に位置する高さに配置されていることを特徴とする遊技機。
【０４２７】
特徴８０及び８１に記載の遊技機であれば、板状部の後側から板状部の前側へ遊技球を好適に誘導可能な通路を備えた遊技機を提供することができる。すなわち、遊技球誘導部を経由しないで遊技球が進入可能な入口を構成する入口構成部の入口の幅を狭く設定しつつ、当該入口に向かって遊技球誘導部を経由した後に落下して当該入口に進入する遊技球の進入確率を高く設定し易くすることができる。板状部の後側から前側に遊技球を誘導する遊技球誘導部と入口構成部とが、入口構成部が遊技球誘導部から流出させる遊技球の下端よりも上側になるように配置されているので、遊技球誘導部から流出させた遊技球が入口構成部に衝突することを抑制でき、また、衝突したとしても遊技球の左右方向の端部の近傍で接触し、入口構成部を入口とする通路に進入しない方向に跳ね返ることを抑制できる。これによって、遊技球誘導部から入口構成部を入口とする通路（所定の領域や通路）への遊技球の進入漏れを低減することができる。したがって、上記構成の遊技球誘導部によれば、所定の領域や通路への進入漏れを低減可能な好適な位置に遊技球を誘導することが可能となる。
【０４２８】
＜特徴Ｅ群＞
特徴Ｅ群は、遊技領域構成部材（例えば、遊技盤４００の基体４０１）に被取付部材（例えば、右始動入賞装置４３２）を好適に取付可能な遊技機に関するものであり、後述する特徴９０〜１０１として記載の遊技機を含む。
【０４２９】
従来の遊技機において、遊技球が進入した場合に賞球が払い出される入賞口を有する入賞装置を、板状の基体（ベニヤ板等）の表側に取り付ける構成が知られている。基体には、入賞装置が取り付けられる部分に貫通穴が設けられ、基体の表側を流下し入賞装置に進入した遊技球は、貫通穴を通して基体の裏側に案内され、その後、基体の裏側を流下する（例えば、特開２０１２−８１０２２号公報参照）。
【０４３０】
上記の従来の遊技機において、入賞装置に代表されるような基体に取り付けられる部品（被取付部材）に関する構成について、改善の余地のある可能性がある。
【０４３１】
＜特徴９０＞
遊技機における一部の領域を構成する板状部（例えば、板状部４０１Ｆ）と、該板状部に貫通して形成された取付穴（例えば、貫通孔４０１Ｈ）とを備えた遊技領域構成部材（例えば、基体４０１）と、
前記遊技領域構成部材の前側から取り付けられ、前記遊技領域構成部材の取付穴（例えば、貫通孔４０１Ｈ）の内側に一部が配置された状態で設けられる被取付部材（例えば、右始動入賞装置４３２）と、
前記被取付部材を前記遊技領域構成部材に固定する手段であって、前記遊技領域構成部材の前側から固定操作及び固定を解除する操作が可能に設けられる固定手段（例えば、連結部材）と、
前記固定手段による前記被取付部材の固定を解除して、前記被取付部材を前側に取り外そうとした場合において前記被取付部材の取り外しを制限可能な制限部（例えば、移動制限部８５）とを備えていることを特徴とする遊技機。
【０４３２】
＜特徴９１＞
遊技球が流下する遊技領域の後方側の少なくとも一部を構成する板状部（例えば、板状部４０１Ｆ）と、該板状部に貫通して形成された取付穴（例えば、貫通孔４０１Ｈ）とを備えた遊技領域構成部材（例えば、基体４０１）と、
前記遊技領域構成部材の前側から取り付けられ、前記遊技領域構成部材の取付穴の内側に一部が配置された状態で設けられる被取付部材（例えば、右始動入賞装置４３２）と、
前記被取付部材を前記遊技領域構成部材に固定する手段であって、前記遊技領域構成部材の前側から固定操作及び固定を解除する操作が可能に設けられる固定手段（例えば、連結部材）と、
前記取付穴に対して前後方向において重ならない外側部分に突出して設けられ、前記固定手段による前記被取付部材の固定を解除して、前記被取付部材を前側に取り外そうとした場合において前記被取付部材の取り外しを制限可能な制限部（例えば、移動制限部８５）とを備えていることを特徴とする遊技機。
【０４３３】
特徴９０及び９１に記載の遊技機であれば、遊技領域構成部材に被取付部材を好適に取付可能な遊技機を提供することができる。すなわち、遊技領域構成部材の前側からの固定を解除する操作に加えて、制限部による被取付部材の取り外しの制限の解除を、被取付部材の取り外しに必要なものとすることができる。このため、後側からの他の部材との接続部分の分離作業を先行して行う必要がある場合等において、不用意に、前側から被取付部材を強引に取り外してしまわれる事態を回避することができる。
【０４３４】
なお、特徴９０及び特徴９１に記載の遊技機において、被取付部材の取り外しを制限可能とは、固定手段に対しての固定解除操作とは別の所定の取り外し操作を行うことを条件として被取付部材の取り外しを可能とする構成であってもよく、好ましくは、遊技領域構成部材の後側からの取り外し操作を行うことを条件として被取付部材の取り外しを可能とする構成とすることが好適である。
【０４３５】
＜特徴Ａ０＞
遊技球が流下する遊技領域の後方側の少なくとも一部を構成する板状部（例えば、板状部４０１Ｆ）と、該板状部に貫通して形成された取付穴（例えば、貫通孔４０１Ｈ）とを備えた遊技領域構成部材（例えば、基体４０１）と、
前記遊技領域構成部材の取付穴の内側に一部が配置された状態で設けられる被取付部材（例えば、右始動入賞装置４３２）と、
前記遊技球の通路を構成する部材であって、前記被取付部材を前記遊技領域構成部材から取り外そうとした場合において前記被取付部材の取り外しを制限可能な通路構成制限部材（例えば、誘導部材８０，８０ｂ、上大入賞装置４３４の受取通路４３０Ａを構成する部材）とを備えていることを特徴とする遊技機。
【０４３６】
＜特徴Ａ１＞
遊技球が流下する遊技領域の後方側の少なくとも一部を構成する板状部（例えば、板状部４０１Ｆ）と、該板状部に貫通して形成された取付穴（例えば、貫通孔４０１Ｈ）とを備えた遊技領域構成部材（例えば、基体４０１）と、
前記遊技領域構成部材の取付穴の内側に一部が配置された状態で設けられる被取付部材（例えば、右始動入賞装置４３２）と、
前記遊技球の通路を構成する部材であって、前記被取付部材を前記遊技領域構成部材から取り外そうとした場合において前記被取付部材の取り外しを制限可能に、前記被取付部材に係合（例えば、誘導部材８０の係合部８６ａと、上大入賞装置４３４の係合部８６ｂとの係合）する通路構成制限部材（例えば、誘導部材８０，８０ｂ、上大入賞装置４３４の受取通路４３０Ａを構成する部材）とを備えていることを特徴とする遊技機。
【０４３７】
特徴Ａ０及びＡ１に記載の遊技機であれば、遊技領域構成部材に被取付部材を好適に取付可能な遊技機を提供することができる。すなわち、遊技球の通路を構成する通路構成制限部材が被取付部材に係合することによって、被取付部材の取り外しを制限することができる。このため、被取付部材の取り外しを制限するために専用の部材を設ける必要がなく、部品点数の増加を抑制しつつ被取付部材を遊技領域構成部材に好適に取付可能とすることができる。
【０４３８】
なお、特徴１０〜Ａ１に記載の少なくとも１つの特徴を他のいずれか又は複数の特徴に組み合わせて適用しても良い。以下には、上記した各特徴を適用し得る遊技機の基本構成を示す。
【０４３９】
パチンコ機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【０４４０】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０４４１】
以上のように、この発明は、弾球遊技機等の遊技機に適している。
【符号の説明】
【０４４２】
１００…パチンコ機、２１，２５…タイミング情報、２２…開始時間情報、２３，２８…コード情報、２４…喫煙中情報、２６…終了時間情報、２７…補助情報、３０…モバイル機器、５０…擬似入賞装置、５１…奥進入規制機構、５２…振分部、５２Ｖ…特定進入口、６１…擬似遊技可能情報、６２…装飾図柄、６３…特図２保留情報、６４…擬似図柄、６５…擬似保留情報、６６…結果履歴情報、７１…一対の可動片（開口部）、７２…内部通路（球通過部）、７３…前部材、７３ａ…下端部、７３ｂ…操作部、７４…中間部材、８０，８０ａ，８０ｂ…誘導部材、８１…突出誘導部、８１Ａ…放出通路、８２…支持部、８３…接続部、８４…位置規制部、８５…移動制限部（制限部）、８６ａ…係合部、８６ｂ…被係合部、８６ｃ…締結部材、８８…コネクタ、８９…配線、８９ａ…コネクタ、９０…貫通誘導部（遊技球誘導部）、９１Ｌ，９１Ｒ…側壁、９２Ｌ，９２Ｒ…突出壁、９３…底壁、２６０…入力操作装置、４００…遊技盤、４０１…基体（遊技領域構成部材）、４０１Ｆ…板状部、４０１Ｈ…貫通孔（取付穴）、４０１Ｊ…貫通孔、４０１Ｍ…中央貫通孔（取付穴）、４０１Ｎ…貫通孔、４１１Ｌ，４１１Ｒ…入口構成釘（入口構成部）、４１１Ｐ…入賞案内通路、４２０…中央構造体、４２１…転動ステージ、４２２…短絡案内通路、４２２Ｅ…出口、４３１Ａ…上側中始動入賞装置、４３２…右始動入賞装置（球進入手段）、４３３…下大入賞装置、４３４…上大入賞装置、４３６…始動装置、４５３…下進入規制機構、４６３…下進入規制ソレノイド、４７９…装飾図柄表示装置、６００…遊技盤、６３９…特別入賞装置、６０１Ａ…排出口、６０１Ｒ…右遊技領域、６０１Ｆ…擬似遊技領域、９２０…主制御基板、９４０…副制御基板
【図１】
2020182570.tif 000003
【図２】
2020182570.tif 000004
【図３】
2020182570.tif 000005
【図４】
2020182570.tif 000006
【図５】
2020182570.tif 000007
【図６】
2020182570.tif 000008
【図７】
2020182570.tif 000009
【図８】
2020182570.tif 000010
【図９】
2020182570.tif 000011
【図１０】
2020182570.tif 000012
【図１１】
2020182570.tif 000013
【図１２】
2020182570.tif 000014
【図１３】
2020182570.tif 000015
【図１４】
2020182570.tif 000016
【図１５】
2020182570.tif 000017
【図１６】
2020182570.tif 000018
【図１７】
2020182570.tif 000019
【図１８】
2020182570.tif 000020
【図１９】
2020182570.tif 000021
【図２０】
2020182570.tif 000022
【図２１】
2020182570.tif 000023
【図２２】
2020182570.tif 000024
【図２３】
2020182570.tif 000025
【図２４】
2020182570.tif 000026
【図２５】
2020182570.tif 000027
【図２６】
2020182570.tif 000028
【図２７】
2020182570.tif 000029
【図２８】
2020182570.tif 000030
【図２９】
2020182570.tif 000031
【図３０】
2020182570.tif 000032
【図３１】
2020182570.tif 000033
【図３２】
2020182570.tif 000034